(57)【要約】【課題】ゴルフクラブヘッドのフェースの重心とヒットエリアとソール重心との振り子と音叉の振動エネルギーさらには、横軸のスムーズな回転を利用した飛距離とコントロール性の調整、さらにはフェースの内部の多層調整による音との共鳴現象の調整。【解決手段】ゴルフクラブヘッドのフェースのヒットエリア付近であるフェース重心とソール部分を結んだ振り子と音叉の振動エネルギー効果を利用して、飛距離とコントロール性と音の調整さらには、衝撃吸収と様々な要求にたいしての解決手段として、ゴルフクラブヘッドのフェース素材を多層化することとゴルフクラブヘッドのフェースの水平軸である縦軸と垂直軸である横軸の調整。さらにフェース全体における重心位置の調整、さらには全体重量とのフェース内部のステンレス合金とチタン合金とその接合部分である凸起状部分の錘との重量配分方法の設計。【選択図】　　　図３
2004057521.tif 000002
【特許請求の範囲】
【請求項１】
ゴルフクラブヘッドのフェース内側でありクラウン部とソール部と外周との溶接ヶ所付近の内側の巾が１０ｍｍ以内で、クラウン部のトップライン中心付近とソール中心付近のトウからヒールに向かっての横巾が５０ｍｍ以内の領域で、肉厚がフェース中心部の肉厚より厚くした部分の錘の重さがフェース部分全体重量の２％から１０％までの重さであり、その取り付け位置がクラウン部のトップライン中心付近もしくはソール中心付近の両方に付けるか、又はどちらか一方に取り付けたことを特徴とするゴルフクラブヘッドのフェース。
【請求項２】
ゴルフクラブヘッドのフェース内側でありクラウン部とソール部と外周との溶接ヶ所付近の内側の巾が１０ｍｍ以内で、クラウン部のトップライン中心付近とソール中心付近のトウからヒールに向かっての横巾が５０ｍｍ以内の領域で、肉厚がフェース中心部の肉厚より厚くした部分の錘の重さがフェース部分全体重量の１０％から２０％までの重さであり、その取り付け位置がクラウン部のトップライン中心付近もしくはソール中心付近の両方に付けるか、又はどちらか一方に取り付けたことを特徴とするゴルフクラブヘッドのフェース。
【請求項３】
ゴルフクラブヘッドのフェース内側でありクラウン部とソール部と外周との溶接ヶ所付近の内側の巾が１０ｍｍ以内で、クラウン部のトップライン中心付近とソール中心付近のトウからヒールに向かっての横巾が５０ｍｍ以内の領域で、肉厚がフェース中心部の肉厚より厚くした部分の錘の重さがフェース部分全体重量の２０％から３０％までの重さであり、その取り付け位置がクラウン部のトップライン中心付近もしくはソール中心付近の両方に付けるか、又はどちらか一方に取り付けたことを特徴とするゴルフクラブヘッドのフェース。
【請求項４】
ゴルフクラブヘッドのクラウン部とソール部と外周の接合部分を除くフェース部全体の主材料としてマグネシューム合金を使用し正面である表面にステンレス合金かチタン合金を接合し、フェース全体の重量の２０％以上から５０％未満までをステンレス合金かチタン合金とし、フェースの重心点が中心から直径１６ｍｍ以内の領域にあることを特徴とするゴルフクラブヘッドのフェース。
【請求項５】
ゴルフクラブヘッドのクラウン部とソール部と外周の接合部分を除くフェース部全体の主材料としてマグネシューム合金を使用し正面である表面にステンレス合金かチタン合金を接合し、さらに、ステンレス合金かチタン合金、亜鉛、銅等の比重４．５から１９．３までの金属や非鉄金属又はセラミックで直径１ｍｍ以上であり深さ０．２ｍｍ以上で凸起状となる錘を、垂直と水平のフェース断面図において２ヶ所以上の場所に接合か一体とし、表面のステンレス合金かチタン合金の重量と凸起状錘の重量の合計がフェース全体重量の２０％から５０％未満であり、その周辺部分をマグネシューム合金で埋め込み挟んだ状態とし、またフェースの重心点が中心から直径１６ｍｍ以内の領域にあることを特徴とするゴルフクラブヘッドのフェース。
【請求項６】
ゴルフクラブヘッドのクラウン部とソール部と外周の接合部分を除くフェース部全体の主材料としてマグネシューム合金を使用し正面である表面にステンレス合金かチタン合金を接合し、さらに、ステンレス合金かチタン合金、亜鉛、銅等の比重４．５から１９．３までの金属や非鉄金属又はセラミックで直径１ｍｍ以上であり深さ０．２ｍｍ以上で凸起状となる錘の形状が円、楕円、五角、六角形やＵ字形の単または複数パターンであり、フェース表面のステンレス合金かチタン合金に接合するか一体とし、表面のステンレス合金かチタン合金の重量と凸起状錘の重量の合計がフェース全体重量の２０％から５０％未満であり、その周辺部分をマグネシューム合金で埋め込んだ状態とし、またフェースの重心点が中心から直径１６ｍｍ以内の領域にあることを特徴とするゴルフクラブヘッドのフェース。
【請求項７】
ゴルフクラブヘッドのクラウン部とソール部と外周の接合部分を除くフェース部の正面である表面にはステンレス合金かチタン合金使用し、フェースの裏面にはカーボン繊維などの比重の軽い物を使用し、フェース正面である表面と裏面の間にマグネシューム合金を挟んで接合した形状であり、フェース全体の重量の２０％以上から５０％未満までをステンレス合金かチタン合金とし、フェースの重心点が中心から直径１６ｍｍ以内の領域にあることを特徴とするゴルフクラブヘッドのフェース。
【請求項８】
ゴルフクラブヘッドのクラウン部とソール部と外周の接合部分を除くフェース部の正面である表面にはステンレス合金かチタン合金使用し、フェースの裏面にはカーボン繊維などの比重の軽い物を使用し、フェース正面である表面と裏面の間にマグネシューム合金を挟んで接合した形状であり、さらにステンレス合金かチタン合金、亜鉛、銅等の比重４．５から１９．３までの金属や非鉄金属又はセラミックで直径１ｍｍ以上であり深さ０．２ｍｍ以上で凸起状となる錘を、垂直と水平のフェース断面図において２ヶ所以上の場所に接合するか一体とし、表面のステンレス合金かチタン合金の重量と凸起状錘の重量の合計がフェース全体重量の２０％から５０％未満であり、またフェースの重心点が中心から直径１６ｍｍ以内の領域にあることを特徴とするゴルフクラブヘッドのフェース。
【請求項９】
ゴルフクラブヘッドのクラウン部とソール部と外周の接合部分を除くフェース部の正面である表面にはステンレス合金かチタン合金使用し、フェースの裏面にはカーボン繊維などの比重の軽い物を使用し、マグネシューム合金を挟んで接合した形状であり、さらにステンレス合金かチタン合金、亜鉛、銅等の比重４．５から１９．３までの金属や非鉄金属又はセラミックで直径１ｍｍ以上であり深さ０．２ｍｍ以上で凸起状となる錘の形状が円、楕円、五角、六角形やＵ字形の単または複数パターンであり、フェース表面のステンレス合金かチタン合金に接合か一体とし、表面のステンレス合金かチタン合金の重量と凸起状錘の重量の合計がフェース全体重量の２０％から５０％未満であり、またフェースの重心点が中心から直径１６ｍｍ以内の領域にあることを特徴とするゴルフクラブヘッドのフェース。
【請求項１０】
ゴルフクラブヘッドのクラウン部とソール部と外周の接合部分を除くフェース部の正面である表面には、カーボン繊維などの比重の軽い素材を使用し、２層目にはステンレス合金かチタン合金を使用し、３層目にはマグネシューム合金を使用した物を接合し、フェース全体の重量の２０％以上から５０％未満までを２層目のステンレス合金かチタン合金とし、フェースの重心点が中心から直径１６ｍｍ以内の領域にあることを特徴とするゴルフクラブヘッドのフェース。
【請求項１１】
ゴルフクラブヘッドのクラウン部とソール部と外周の接合部分を除くフェース部の正面である表面には、カーボン繊維などの比重の軽い素材を使用し、２層目にはステンレス合金かチタン合金を使用し、３層目にはマグネシューム合金を使用した物を接合し、２層目と３層目の間にステンレス合金かチタン合金、亜鉛、銅等の比重４．５から１９．３までの金属や非鉄金属又はセラミックで直径１ｍｍ以上であり深さ０．２ｍｍ以上で凸起状となる錘を、垂直と水平のフェース断面図において２ヶ所以上の場所に接合するか一体とし、２層目のステンレス合金かチタン合金の重量と凸起状錘の重量の合計がフェース全体重量の２０％から５０％未満であり、またフェースの重心点が中心から直径１６ｍｍ以内の領域にあることを特徴とするゴルフクラブヘッドのフェース。
【請求項１２】
ゴルフクラブヘッドのクラウン部とソール部と外周の接合部分を除くフェース部の正面である表面には、カーボン繊維などの比重の軽い素材を使用し、２層目にはステンレス合金かチタン合金を使用し、３層目にはマグネシューム合金を使用した物を接合し、２層目と３層目の間にステンレス合金かチタン合金、亜鉛、銅等の比重４．５から１９．３までの金属や非鉄金属又はセラミックで直径１ｍｍ以上であり深さ０．２ｍｍ以上で凸起状となる錘の形状が円、楕円、五角、六角形やＵ字形の単または複数パターンであり、２層目のステンレス合金かチタン合金に接合か一体とし、２層目のステンレス合金かチタン合金の重量と凸起状錘の重量の合計がフェース全体重量の２０％から５０％未満であり、またフェースの重心点が中心から直径１６ｍｍ以内の領域にあることを特徴とするゴルフクラブヘッドのフェース。
【請求項１３】
ゴルフクラブヘッドのクラウン部とソール部と外周の接合部分を除くフェース部の正面である表面には、カーボン繊維などの比重の軽い素材を使用し、２層目にはステンレス合金かチタン合金を使用し、３層目にはマグネシューム合金を使用した物を接合し、フェース全体の重量の２０％以上から５０％未満までをステンレス合金かチタン合金とし、フェースの重心点が中心から直径１６ｍｍ以内の領域にあることを特徴とするゴルフクラブヘッドのフェース。
【請求項１４】
ゴルフクラブヘッドのクラウン部とソール部と外周の接合部分を除くフェース部の正面である表面には、カーボン繊維などの比重の軽い素材を使用し、２層目にはステンレス合金かチタン合金を使用し、３層目にはマグネシューム合金を使用した物を接合し、２層目と３層目の間にステンレス合金かチタン合金、亜鉛、銅等の比重４．５から１９．３までの金属や非鉄金属又はセラミックで直径１ｍｍ以上であり深さ０．２ｍｍ以上で凸起状となる錘を、垂直と水平のフェース断面図において２ヶ所以上の場所に接合するか一体とし、２層目のステンレス合金かチタン合金の重量と凸起状錘の重量の合計がフェース全体重量の２０％から５０％未満であり、またフェースの重心点が中心から直径１６ｍｍ以内の領域にあることを特徴とするゴルフクラブヘッドのフェース。
【請求項１５】
ゴルフクラブヘッドのクラウン部とソール部と外周の接合部分を除くフェース部の正面である表面には、カーボン繊維などの比重の軽い素材を使用し、２層目にはステンレス合金かチタン合金を使用し、３層目にはマグネシューム合金を使用した物を接合し、２層目と３層目の間にステンレス合金かチタン合金、亜鉛、銅等の比重４．５から１９．３までの金属や非鉄金属又はセラミックで直径１ｍｍ以上であり深さ０．２ｍｍ以上で凸起状となる錘の形状が円、楕円、五角、六角形やＵ字形の単または複数パターンであり、２層目のフェース上部のステンレス合金かチタン合金に接合か一体とし、２層目のステンレス合金かチタン合金の重量と凸起状錘の重量の合計がフェース全体重量の２０％から５０％未満であり、またフェースの重心点が中心から直径１６ｍｍ以内の領域にあることを特徴とするゴルフクラブヘッドのフェース。
【請求項１６】
ゴルフクラブヘッドのクラウン部とソール部と外周の接合部分を除くフェース部全体の主材料としてマグネシューム合金を使用し正面である表面にステンレス合金かチタン合金を接合し、フェース全体の重量の２０％以上から５０％未満までをステンレス合金かチタン合金とし、フェースの重心点が中心から垂直に伸ばし天に向かった線を０度とした場合、０度からヒール側に架けて９０度の範囲で中心から直径１６ｍｍ以内の範囲を除く領域にあることを特徴とするゴルフクラブヘッドのフェース。
【請求項１７】
ゴルフクラブヘッドのクラウン部とソール部と外周の接合部分を除くフェース部全体の主材料としてマグネシューム合金を使用し正面である表面にステンレス合金かチタン合金を接合し、さらに、ステンレス合金かチタン合金、亜鉛、銅等の比重４．５から１９．３までの金属や非鉄金属又はセラミックで直径１ｍｍ以上であり深さ０．２ｍｍ以上で凸起状となる錘を、垂直と水平のフェース断面図において２ヶ所以上の場所に接合か一体とし、表面のステンレス合金かチタン合金の重量と凸起状錘の重量の合計がフェース全体重量の２０％から５０％未満であり、その周辺部分をマグネシューム合金で埋め込み挟んだ状態とし、またフェースの重心点が中心から垂直に伸ばし天に向かった線を０度とした場合、０度からヒール側に架けて９０度の範囲で中心から直径１６ｍｍ以内の範囲を除く領域にあることを特徴とするゴルフクラブヘッドのフェース。
【請求項１８】
ゴルフクラブヘッドのクラウン部とソール部と外周の接合部分を除くフェース部全体の主材料としてマグネシューム合金を使用し正面である表面にステンレス合金かチタン合金を接合し、さらに、ステンレス合金かチタン合金、亜鉛、銅等の比重４．５から１９．３までの金属や非鉄金属又はセラミックで直径１ｍｍ以上であり深さ０．２ｍｍ以上で凸起状となる錘の形状が円、楕円、五角、六角形やＵ字形の単または複数パターンであり、フェース表面のステンレス合金かチタン合金に接合するか一体とし、表面のステンレス合金かチタン合金の重量と凸起状錘の重量の合計がフェース全体重量の２０％から５０％未満であり、その周辺部分をマグネシューム合金で埋め込んだ状態とし、またフェースの重心点が中心から垂直に伸ばし天に向かった線を０度とした場合、０度からヒール側に架けて９０度の範囲で中心から直径１６ｍｍ以内の範囲を除く領域にあることを特徴とするゴルフクラブヘッドのフェース。
【請求項１９】
ゴルフクラブヘッドのクラウン部とソール部と外周の接合部分を除くフェース部の正面である表面にはステンレス合金かチタン合金使用し、フェースの裏面にはカーボン繊維などの比重の軽い物を使用し、フェース正面である表面と裏面の間にマグネシューム合金を挟んで接合した形状であり、フェース全体の重量の２０％以上から５０％未満までをステンレス合金かチタン合金とし、またフェースの重心点が中心から垂直に伸ばし天に向かった線を０度とした場合、０度からヒール側に架けて９０度の範囲で中心から直径１６ｍｍ以内の範囲を除く領域にあることを特徴とするゴルフクラブヘッドのフェース。
【請求項２０】
ゴルフクラブヘッドのクラウン部とソール部と外周の接合部分を除くフェース部の正面である表面にはステンレス合金かチタン合金使用し、フェースの裏面にはカーボン繊維などの比重の軽い物を使用し、フェース正面である表面と裏面の間にマグネシューム合金を挟んで接合した形状であり、さらに、ステンレス合金かチタン合金、亜鉛、銅等の比重４．５から１９．３までの金属や非鉄金属又はセラミックで直径１ｍｍ以上であり深さ０．２ｍｍ以上で凸起状となる錘を、垂直と水平のフェース断面図において２ヶ所以上の場所に接合するか一体とし、表面のステンレス合金かチタン合金の重量と凸起状錘の重量の合計がフェース全体重量の２０％から５０％未満であり、またフェースの重心点が中心から垂直に伸ばし天に向かった線を０度とした場合、０度からヒール側に架けて９０度の範囲で中心から直径１６ｍｍ以内の範囲を除く領域にあることを特徴とするゴルフクラブヘッドのフェース。
【請求項２１】
ゴルフクラブヘッドのクラウン部とソール部と外周の接合部分を除くフェース部の正面である表面にはステンレス合金かチタン合金使用し、フェースの裏面にはカーボン繊維などの比重の軽い物を使用し、フェース正面である表面と裏面の間にマグネシューム合金を挟んで接合した形状であり、さらに、ステンレス合金かチタン合金、亜鉛、銅等の比重４．５から１９．３までの金属や非鉄金属又はセラミックで直径１ｍｍ以上であり深さ０．２ｍｍ以上で凸起状となる錘の形状が円、楕円、五角、六角形やＵ字形の単または複数パターンであり、フェース表面のステンレス合金かチタン合金に接合か一体とし、表面のステンレス合金かチタン合金の重量と凸起状錘の重量の合計がフェース全体重量の２０％から５０％未満であり、またフェースの重心点が中心から垂直に伸ばし天に向かった線を０度とした場合、０度からヒール側に架けて９０度の範囲で中心から直径１６ｍｍ以内の範囲を除く領域にあることを特徴とするゴルフクラブヘッドのフェース。
【請求項２２】
ゴルフクラブヘッドのクラウン部とソール部と外周の接合部分を除くフェース部の正面である表面には、カーボン繊維などの比重の軽い素材を使用し、２層目にはステンレス合金かチタン合金を使用し、３層目にはマグネシューム合金を使用した物を接合し、フェース全体の重量の２０％以上から５０％未満までをステンレス合金かチタン合金とし、またフェースの重心点が中心から垂直に伸ばし天に向かった線を０度とした場合、０度からヒール側に架けて９０度の範囲で中心から直径１６ｍｍ以内の範囲を除く領域にあることを特徴とするゴルフクラブヘッドのフェース。
【請求項２３】
ゴルフクラブヘッドのクラウン部とソール部と外周の接合部分を除くフェース部の正面である表面には、カーボン繊維などの比重の軽い素材を使用し、２層目にはステンレス合金かチタン合金を使用し、３層目にはマグネシューム合金を使用した物を接合し、２層目と３層目の間にステンレス合金かチタン合金、亜鉛、銅等の比重４．５から１９．３までの金属や非鉄金属又はセラミックで直径１ｍｍ以上であり深さ０．２ｍｍ以上で凸起状となる錘を、垂直と水平のフェース断面図において２ヶ所以上の場所に接合するか一体とし、２層目のステンレス合金かチタン合金の重量と凸起状錘の重量の合計がフェース全体重量の２０％から５０％未満であり、またフェースの重心点が中心から垂直に伸ばし天に向かった線を０度とした場合、０度からヒール側に架けて９０度の範囲で中心から直径１６ｍｍ以内の範囲を除く領域にあることを特徴とするゴルフクラブヘッドのフェース。
【請求項２４】
ゴルフクラブヘッドのクラウン部とソール部と外周の接合部分を除くフェース部の正面である表面には、カーボン繊維などの比重の軽い素材を使用し、２層目にはステンレス合金かチタン合金を使用し、３層目にはマグネシューム合金を使用した物を接合し、２層目と３層目の間にステンレス合金かチタン合金、亜鉛、銅等の比重４．５から１９．３までの金属や非鉄金属又はセラミックで直径１ｍｍ以上であり深さ０．２ｍｍ以上で凸起状となる錘の形状が円、楕円、五角、六角形やＵ字形の単または複数パターンであり、２層目のステンレス合金かチタン合金に接合か一体とし、２層目のステンレス合金かチタン合金の重量と凸起状錘の重量の合計がフェース全体重量の２０％から５０％未満であり、またフェースの重心点が中心から垂直に伸ばし天に向かった線を０度とした場合、０度からヒール側に架けて９０度の範囲で中心から直径１６ｍｍ以内の範囲を除く領域にあることを特徴とするゴルフクラブヘッドのフェース。
【請求項２５】
ゴルフクラブヘッドのクラウン部とソール部と外周の接合部分を除くフェース部の正面である表面には、カーボン繊維などの比重の軽い素材を使用し、２層目にはステンレス合金かチタン合金を使用し、３層目にはマグネシューム合金を使用した物を接合し、フェース全体の重量の２０％以上から５０％未満までをステンレス合金かチタン合金とし、またフェースの重心点が中心から垂直に伸ばし天に向かった線を０度とした場合、０度からヒール側に架けて９０度の範囲で中心から直径１６ｍｍ以内の範囲を除く領域にあることを特徴とするゴルフクラブヘッドのフェース。
【請求項２６】
ゴルフクラブヘッドのクラウン部とソール部と外周の接合部分を除くフェース部の正面である表面には、カーボン繊維などの比重の軽い素材を使用し、２層目にはステンレス合金かチタン合金を使用し、３層目にはマグネシューム合金を使用した物を接合し、２層目と３層目の間にステンレス合金かチタン合金、亜鉛、銅等の比重４．５から１９．３までの金属や非鉄金属又はセラミックで直径１ｍｍ以上であり深さ０．２ｍｍ以上で凸起状となる錘を、垂直と水平のフェース断面図において２ヶ所以上の場所に接合するか一体とし、２層目のステンレス合金かチタン合金の重量と凸起状錘の重量の合計がフェース全体重量の２０％から５０％未満であり、またフェースの重心点が中心から垂直に伸ばし天に向かった線を０度とした場合、０度からヒール側に架けて９０度の範囲で中心から直径１６ｍｍ以内の範囲を除く領域にあることを特徴とするゴルフクラブヘッドのフェース。
【請求項２７】
ゴルフクラブヘッドのクラウン部とソール部と外周の接合部分を除くフェース部の正面である表面には、カーボン繊維などの比重の軽い素材を使用し、２層目にはステンレス合金かチタン合金を使用し、３層目にはマグネシューム合金を使用した物を接合し、２層目と３層目の間にステンレス合金かチタン合金、亜鉛、銅等の比重４．５から１９．３までの金属や非鉄金属又はセラミックで直径１ｍｍ以上であり深さ０．２ｍｍ以上で凸起状となる錘の形状が円、楕円、五角、六角形やＵ字形の単または複数パターンであり、２層目のフェース上部のステンレス合金かチタン合金に接合か一体とし、２層目のステンレス合金かチタン合金の重量と凸起状錘の重量の合計がフェース全体重量の２０％から５０％未満であり、またフェースの重心点が中心から垂直に伸ばし天に向かった線を０度とした場合、０度からヒール側に架けて９０度の範囲で中心から直径１６ｍｍ以内の範囲を除く領域にあることを特徴とするゴルフクラブヘッドのフェース。
【請求項２８】
ゴルフクラブヘッドのクラウン部とソール部と外周の接合部分を除くフェース部全体の主材料としてマグネシューム合金を使用し正面である表面にステンレス合金かチタン合金を接合し、フェース全体の重量の２０％以上から５０％未満までをステンレス合金かチタン合金とし、フェースの重心点が中心から垂直に伸ばし天に向かった線を０度とした場合、直角となるヒール側９０度から１８０度の範囲で中心から直径１６ｍｍ以内の範囲を除く領域にあることを特徴とするゴルフクラブヘッドのフェース。
【請求項２９】
ゴルフクラブヘッドのクラウン部とソール部と外周の接合部分を除くフェース部全体の主材料としてマグネシューム合金を使用し正面である表面にステンレス合金かチタン合金を接合し、さらにステンレス合金かチタン合金、亜鉛、銅等の比重４．５から１９．３までの金属や非鉄金属又はセラミックで直径１ｍｍ以上であり深さ０．２ｍｍ以上で凸起状となる錘を、垂直と水平のフェース断面図において２ヶ所以上の場所に接合か一体とし、表面のステンレス合金かチタン合金の重量と凸起状錘の重量の合計がフェース全体重量の２０％から５０％未満であり、またフェースの重心点が中心から垂直に伸ばし天に向かった線を０度とした場合、直角となるヒール側９０度から１８０度の範囲で中心から直径１６ｍｍ以内の範囲を除く領域にあることを特徴とするゴルフクラブヘッドのフェース。
【請求項３０】
ゴルフクラブヘッドのクラウン部とソール部と外周の接合部分を除くフェース部全体の主材料としてマグネシューム合金を使用し正面である表面にステンレス合金かチタン合金を接合し、さらにステンレス合金かチタン合金、亜鉛、銅等の比重４．５から１９．３までの金属や非鉄金属又はセラミックで直径１ｍｍ以上であり深さ０．２ｍｍ以上で凸起状となる錘の形状が円、楕円、五角、六角形やＵ字形の単または複数パターンであり、フェース表面のステンレス合金かチタン合金に接合か一体とし、表面のステンレス合金かチタン合金の重量と凸起状錘の重量の合計がフェース全体重量の２０％から５０％未満であり、またフェースの重心点が中心から垂直に伸ばし天に向かった線を０度とした場合、直角となるヒール側９０度から１８０度の範囲で中心から直径１６ｍｍ以内の範囲を除く領域にあることを特徴とするゴルフクラブヘッドのフェース。
【請求項３１】
ゴルフクラブヘッドのクラウン部とソール部と外周の接合部分を除くフェース部の正面である表面にはステンレス合金かチタン合金使用し、フェースの裏面にはカーボン繊維などの比重の軽い物を使用し、フェース正面である表面と裏面の間にマグネシューム合金を挟んで接合した形状であり、フェース全体の重量の２０％以上から５０％未満までをステンレス合金かチタン合金とし、またフェースの重心点が中心から垂直に伸ばし天に向かった線を０度とした場合、直角となるヒール側９０度から１８０度の範囲で中心から直径１６ｍｍ以内の範囲を除く領域にあることを特徴とするゴルフクラブヘッドのフェース。
【請求項３２】
ゴルフクラブヘッドのクラウン部とソール部と外周の接合部分を除くフェース部の正面である表面にはステンレス合金かチタン合金使用し、フェースの裏面にはカーボン繊維などの比重の軽い物を使用し、フェース正面である表面と裏面の間にマグネシューム合金を挟んで接合した形状であり、さらにステンレス合金かチタン合金、亜鉛、銅等の比重４．５から１９．３までの金属や非鉄金属又はセラミックで直径１ｍｍ以上であり深さ０．２ｍｍ以上で凸起状となる錘を、垂直と水平のフェース断面図において２ヶ所以上の場所に接合するか一体とし、表面のステンレス合金かチタン合金の重量と凸起状錘の重量の合計がフェース全体重量の２０％から５０％未満であり、またフェースの重心点が中心から垂直に伸ばし天に向かった線を０度とした場合、直角となるヒール側９０度から１８０度の範囲で中心から直径１６ｍｍ以内の範囲を除く領域にあることを特徴とするゴルフクラブヘッドのフェース。
【請求項３３】
ゴルフクラブヘッドのクラウン部とソール部と外周の接合部分を除くフェース部の正面である表面にはステンレス合金かチタン合金使用し、フェースの裏面にはカーボン繊維などの比重の軽い物を使用し、フェース正面である表面と裏面の間にマグネシューム合金を挟んで接合した形状であり、さらにステンレス合金かチタン合金、亜鉛、銅等の比重４．５から１９．３までの金属や非鉄金属又はセラミックで直径１ｍｍ以上であり深さ０．２ｍｍ以上で凸起状となる錘の形状が円、楕円、五角、六角形やＵ字形の単または複数パターンであり、フェース表面のステンレス合金かチタン合金に接合か一体とし、表面のステンレス合金かチタン合金の重量と凸起状錘の重量の合計がフェース全体重量の２０％から５０％未満であり、またフェースの重心点が中心から垂直に伸ばし天に向かった線を０度とした場合、直角となるヒール側９０度から１８０度の範囲で中心から直径１６ｍｍ以内の範囲を除く領域にあることを特徴とするゴルフクラブヘッドのフェース。
【請求項３４】
ゴルフクラブヘッドのクラウン部とソール部と外周の接合部分を除くフェース部の正面である表面には、カーボン繊維などの比重の軽い素材を使用し、２層目にはステンレス合金かチタン合金を使用し、３層目にはマグネシューム合金を使用した物を接合し、フェース全体の重量の２０％以上から５０％未満までを２層目のステンレス合金かチタン合金とし、またフェースの重心点が中心から垂直に伸ばし天に向かった線を０度とした場合、直角であるヒール側９０度から１８０度の範囲で中心から直径１６ｍｍ以内の範囲を除く領域にあることを特徴とするゴルフクラブヘッドのフェース。
【請求項３５】
ゴルフクラブヘッドのクラウン部とソール部と外周の接合部分を除くフェース部の正面である表面には、カーボン繊維などの比重の軽い素材を使用し、２層目にはステンレス合金かチタン合金を使用し、３層目にはマグネシューム合金を使用した物を接合し、２層目と３層目の間にステンレス合金かチタン合金、亜鉛、銅等の比重４．５から１９．３までの金属や非鉄金属又はセラミックで直径１ｍｍ以上であり深さ０．２ｍｍ以上で凸起状となる錘を、垂直と水平のフェース断面図において２ヶ所以上の場所に接合するか一体とし、２層目のステンレス合金かチタン合金の重量と凸起状錘の重量の合計がフェース全体重量の２０％から５０％未満であり、またフェースの重心点が中心から垂直に伸ばし天に向かった線を０度とした場合、直角となるヒール側９０度から１８０度の範囲で中心から直径１６ｍｍ以内の範囲を除く領域にあることを特徴とするゴルフクラブヘッドのフェース。
【請求項３６】
ゴルフクラブヘッドのクラウン部とソール部と外周の接合部分を除くフェース部の正面である表面には、カーボン繊維などの比重の軽い素材を使用し、２層目にはステンレス合金かチタン合金を使用し、３層目にはマグネシューム合金を使用した物を接合し、２層目と３層目の間にステンレス合金かチタン合金、亜鉛、銅等の比重４．５から１９．３までの金属や非鉄金属又はセラミックで直径１ｍｍ以上であり深さ０．２ｍｍ以上で凸起状となる錘の形状が円、楕円、五角、六角形やＵ字形の単または複数パターンであり、２層目のフェース上部のステンレス合金かチタン合金に接合か一体とし、２層目のステンレス合金かチタン合金の重量と凸起状錘の重量の合計がフェース全体重量の２０％から５０％未満であり、またフェースの重心点が中心から垂直に伸ばし天に向かった線を０度とした場合、直角であるヒール側９０度から１８０度の範囲で中心から直径１６ｍｍ以内の範囲を除く領域にあることを特徴とするゴルフクラブヘッドのフェース。
【請求項３７】
ゴルフクラブヘッドのクラウン部とソール部と外周の接合部分を除くフェース部の正面である表面には、カーボン繊維などの比重の軽い素材を使用し、２層目にはステンレス合金かチタン合金を使用し、３層目にはマグネシューム合金を使用した物を接合し、フェース全体の重量の２０％以上から５０％未満までをステンレス合金かチタン合金とし、またフェースの重心点が中心から垂直に伸ばし天に向かった線を０度とした場合、直角であるヒール側９０度から１８０度の範囲で中心から直径１６ｍｍ以内の範囲を除く領域にあることを特徴とするゴルフクラブヘッドのフェース。
【請求項３８】
ゴルフクラブヘッドのクラウン部とソール部と外周の接合部分を除くフェース部の正面である表面には、カーボン繊維などの比重の軽い素材を使用し、２層目にはステンレス合金かチタン合金を使用し、３層目にはマグネシューム合金を使用した物を接合し、２層目と３層目の間にステンレス合金かチタン合金、亜鉛、銅等の比重４．５から１９．３までの金属や非鉄金属又はセラミックで直径１ｍｍ以上であり深さ０．２ｍｍ以上で凸起状となる錘を、垂直と水平のフェース断面図において２ヶ所以上の場所に接合するか一体とし、２層目のステンレス合金かチタン合金の重量と凸起状錘の重量の合計がフェース全体重量の２０％から５０％未満であり、またフェースの重心点が中心から垂直に伸ばし天に向かった線を０度とした場合、直角となるヒール側９０度から１８０度の範囲で中心から直径１６ｍｍ以内の範囲を除く領域にあることを特徴とするゴルフクラブヘッドのフェース。
【請求項３９】
ゴルフクラブヘッドのクラウン部とソール部と外周の接合部分を除くフェース部の正面である表面には、カーボン繊維などの比重の軽い素材を使用し、２層目にはステンレス合金かチタン合金を使用し、３層目にはマグネシューム合金を使用した物を接合し、２層目と３層目の間にステンレス合金かチタン合金、亜鉛、銅等の比重４．５から１９．３までの金属や非鉄金属又はセラミックで直径１ｍｍ以上であり深さ０．２ｍｍ以上で凸起状となる錘の形状が円、楕円、五角、六角形やＵ字形の単または複数パターンであり、２層目のフェース上部のステンレス合金かチタン合金に接合か一体とし、２層目のステンレス合金かチタン合金の重量と凸起状錘の重量の合計がフェース全体重量の２０％から５０％未満であり、またフェースの重心点が中心から垂直に伸ばし天に向かった線を０度とした場合、直角となるヒール側９０度から１８０度の範囲で中心から直径１６ｍｍ以内の範囲を除く領域にあることを特徴とするゴルフクラブヘッドのフェース。
【請求項４０】
ゴルフクラブヘッドのクラウン部とソール部と外周の接合部分を除くフェース部全体の主材料としてマグネシューム合金を使用し正面である表面にステンレス合金かチタン合金を接合し、フェース全体の重量の２０％以上から５０％未満までをステンレス合金かチタン合金とし、フェースの重心点が中心から垂直に伸ばし天に向かった線を０度とした場合、０度からトウ側に架けて９０度の範囲で中心から直径１６ｍｍ以内の範囲を除く領域にあることを特徴とするゴルフクラブヘッドのフェース。
【請求項４１】
ゴルフクラブヘッドのクラウン部とソール部と外周の接合部分を除くフェース部全体の主材料としてマグネシューム合金を使用し正面である表面にステンレス合金かチタン合金を接合し、さらにステンレス合金かチタン合金、亜鉛、銅等の比重４．５から１９．３までの金属や非鉄金属又はセラミックで直径１ｍｍ以上であり深さ０．２ｍｍ以上で凸起状となる錘を、垂直と水平のフェース断面図において２ヶ所以上の場所に接合か一体とし、表面のステンレス合金かチタン合金の重量と凸起状錘の重量の合計がフェース全体重量の２０％から５０％未満であり、またフェースの重心点が中心から垂直に伸ばし天に向かった線を０度とした場合、０度からトウ側に架けて９０度の範囲で中心から直径１６ｍｍ以内の範囲を除く領域にあることを特徴とするゴルフクラブヘッドのフェース。
【請求項４２】
ゴルフクラブヘッドのクラウン部とソール部と外周の接合部分を除くフェース部全体の主材料としてマグネシューム合金を使用し正面である表面にステンレス合金かチタン合金を接合し、さらにステンレス合金かチタン合金、亜鉛、銅等の比重４．５から１９．３までの金属や非鉄金属又はセラミックで直径１ｍｍ以上であり深さ０．２ｍｍ以上で凸起状となる錘の形状が円、楕円、五角、六角形やＵ字形の単または複数パターンであり、フェース表面のステンレス合金かチタン合金に接合か一体とし、表面のステンレス合金かチタン合金の重量と凸起状錘の重量の合計がフェース全体重量の２０％から５０％未満であり、またフェースの重心点が中心から垂直に伸ばし天に向かった線を０度とした場合、０度からトウ側に架けて９０度の範囲で中心から直径１６ｍｍ以内の範囲を除く領域にあることを特徴とするゴルフクラブヘッドのフェース。
【請求項４３】
ゴルフクラブヘッドのクラウン部とソール部と外周の接合部分を除くフェース部の正面である表面にはステンレス合金かチタン合金使用し、フェース裏面にはカーボン繊維などの比重の軽い物を使用し、フェース正面である表面と裏面の間にマグネシューム合金を挟んで接合した形状であり、フェース全体の重量の２０％以上から５０％未満までをステンレス合金かチタン合金とし、またフェースの重心点が中心から垂直に伸ばし天に向かった線を０度とした場合、０度からトウ側に架けて９０度の範囲で中心から直径１６ｍｍ以内の範囲を除く領域にあることを特徴とするゴルフクラブヘッドのフェース。
【請求項４４】
ゴルフクラブヘッドのクラウン部とソール部と外周の接合部分を除くフェース部の正面である表面にはステンレス合金かチタン合金使用し、フェースの裏面にはカーボン繊維などの比重の軽い物を使用し、フェース正面である表面と裏面の間にマグネシューム合金を挟んで接合した形状であり、さらにステンレス合金かチタン合金、亜鉛、銅等の比重４．５から１９．３までの金属や非鉄金属又はセラミックで直径１ｍｍ以上であり深さ０．２ｍｍ以上で凸起状となる錘を、垂直と水平のフェース断面図において２ヶ所以上の場所に接合するか一体とし、表面のステンレス合金かチタン合金の重量と凸起状錘の重量の合計がフェース全体重量の２０％から５０％未満であり、またフェースの重心点が中心から垂直に伸ばし天に向かった線を０度とした場合、０度からトウ側に架けて９０度の範囲で中心から直径１６ｍｍ以内の範囲を除く領域にあることを特徴とするゴルフクラブヘッドのフェース。
【請求項４５】
ゴルフクラブヘッドのクラウン部とソール部と外周の接合部分を除くフェース部の正面である表面にはステンレス合金かチタン合金使用し、フェースの裏面にはカーボン繊維などの比重の軽い物を使用し、フェース正面である表面と裏面の間にマグネシューム合金を挟んで接合した形状であり、さらにステンレス合金かチタン合金、亜鉛、銅等の比重４．５から１９．３までの金属や非鉄金属又はセラミックで直径１ｍｍ以上であり深さ０．２ｍｍ以上で凸起状となる錘の形状が円、楕円、五角、六角形やＵ字形の単または複数パターンであり、フェース表面のステンレス合金かチタン合金に接合か一体とし、表面のステンレス合金かチタン合金の重量と凸起状錘の重量の合計がフェース全体重量の２０％から５０％未満であり、またフェースの重心点が中心から垂直に伸ばし天に向かった線を０度とした場合、０度からトウ側に架けて９０度の範囲で中心から直径１６ｍｍ以内の範囲を除く領域にあることを特徴とするゴルフクラブヘッドのフェース。
【請求項４６】
ゴルフクラブヘッドのクラウン部とソール部と外周の接合部分を除くフェース部の正面である表面には、カーボン繊維などの比重の軽い素材を使用し、２層目にはステンレス合金かチタン合金を使用し、３層目にはマグネシューム合金を使用した物を接合し、フェース全体の重量の２０％以上から５０％未満までを２層目のステンレス合金かチタン合金とし、またフェースの重心点が中心から垂直に伸ばし天に向かった線を０度とした場合、０度からトウ側に架けて９０度の範囲で中心から直径１６ｍｍ以内の範囲を除く領域にあることを特徴とするゴルフクラブヘッドのフェース。
【請求項４７】
ゴルフクラブヘッドのクラウン部とソール部と外周の接合部分を除くフェース部の正面である表面には、カーボン繊維などの比重の軽い素材を使用し、２層目にはステンレス合金かチタン合金を使用し、３層目にはマグネシューム合金を使用した物を接合し、２層目と３層目の間にステンレス合金かチタン合金、亜鉛、銅等の比重４．５から１９．３までの金属や非鉄金属又はセラミックで直径１ｍｍ以上であり深さ０．２ｍｍ以上で凸起状となる錘を、垂直と水平のフェース断面図において２ヶ所以上の場所に接合するか一体とし、２層目のステンレス合金かチタン合金の重量と凸起状錘の重量の合計がフェース全体重量の２０％から５０％未満であり、またフェースの重心点が中心から垂直に伸ばし天に向かった線を０度とした場合、０度からトウ側に架けて９０度の範囲で中心から直径１６ｍｍ以内の範囲を除く領域にあることを特徴とするゴルフクラブヘッドのフェース。
【請求項４８】
ゴルフクラブヘッドのクラウン部とソール部と外周の接合部分を除くフェース部の正面である表面には、カーボン繊維などの比重の軽い素材を使用し、２層目にはステンレス合金かチタン合金を使用し、３層目にはマグネシューム合金を使用した物を接合し、２層目と３層目の間にステンレス合金かチタン合金、亜鉛、銅等の比重４．５から１９．３までの金属や非鉄金属又はセラミックで直径１ｍｍ以上であり深さ０．２ｍｍ以上で凸起状となる錘の形状が円、楕円、五角、六角形やＵ字形の単または複数パターンであり、２層目のフェース上部のステンレス合金かチタン合金に接合か一体とし、２層目のステンレス合金かチタン合金の重量と凸起状錘の重量の合計がフェース全体重量の２０％から５０％未満であり、またフェースの重心点が中心から垂直に伸ばし天に向かった線を０度とした場合、０度からトウ側に架けて９０度の範囲で中心から直径１６ｍｍ以内の範囲を除く領域にあることを特徴とするゴルフクラブヘッドのフェース。
【請求項４９】
ゴルフクラブヘッドのクラウン部とソール部と外周の接合部分を除くフェース部の正面である表面には、カーボン繊維などの比重の軽い素材を使用し、２層目にはステンレス合金かチタン合金を使用し、３層目にはマグネシューム合金を使用した物を接合し、フェース全体の重量の２０％以上から５０％未満までをステンレス合金かチタン合金とし、またフェースの重心点が中心から垂直に伸ばし天に向かった線を０度とした場合、０度からトウ側に架けて９０度の範囲で中心から直径１６ｍｍ以内の範囲を除く領域にあることを特徴とするゴルフクラブヘッドのフェース。
【請求項５０】
ゴルフクラブヘッドのクラウン部とソール部と外周の接合部分を除くフェース部の正面である表面には、カーボン繊維などの比重の軽い素材を使用し、２層目にはステンレス合金かチタン合金を使用し、３層目にはマグネシューム合金を使用した物を接合し、２層目と３層目の間にステンレス合金かチタン合金、亜鉛、銅等の比重４．５から１９．３までの金属や非鉄金属又はセラミックで直径１ｍｍ以上であり深さ０．２ｍｍ以上で凸起状となる錘を、垂直と水平のフェース断面図において２ヶ所以上の場所に接合するか一体とし、２層目のステンレス合金かチタン合金の重量と凸起状錘の重量の合計がフェース全体重量の２０％から５０％未満であり、またフェースの重心点が中心から垂直に伸ばし天に向かった線を０度とした場合、０度からトウ側に架けて９０度の範囲で中心から直径１６ｍｍ以内の範囲を除く領域にあることを特徴とするゴルフクラブヘッドのフェース。
【請求項５１】
ゴルフクラブヘッドのクラウン部とソール部と外周の接合部分を除くフェース部の正面である表面には、カーボン繊維などの比重の軽い素材を使用し、２層目にはステンレス合金かチタン合金を使用し、３層目にはマグネシューム合金を使用した物を接合し、２層目と３層目の間にステンレス合金かチタン合金、亜鉛、銅等の比重４．５から１９．３までの金属や非鉄金属又はセラミックで直径１ｍｍ以上であり深さ０．２ｍｍ以上で凸起状となる錘の形状が円、楕円、五角、六角形やＵ字形の単または複数パターンであり、２層目のステンレス合金かチタン合金に接合か一体とし、２層目のステンレス合金かチタン合金の重量と凸起状錘の重量の合計がフェース全体重量の２０％から５０％未満であり、またフェースの重心点が中心から垂直に伸ばし天に向かった線を０度とした場合、０度からトウ側に架けて９０度の範囲で中心から直径１６ｍｍ以内の範囲を除く領域にあることを特徴とするゴルフクラブヘッドのフェース。
【請求項５２】
ゴルフクラブヘッドのクラウン部とソール部と外周の接合部分を除くフェース部全体の主材料としてマグネシューム合金を使用し正面である表面にステンレス合金かチタン合金を接合し、フェース全体の重量の２０％以上から５０％未満までをステンレス合金かチタン合金とし、フェースの重心点が中心から垂直に伸ばし天に向かった線を０度とした場合、直角となるトウ側９０度から１８０度の範囲で中心から直径１６ｍｍ以内の範囲を除く領域にあることを特徴とするゴルフクラブヘッドのフェース。
【請求項５３】
ゴルフクラブヘッドのクラウン部とソール部と外周の接合部分を除くフェース部全体の主材料としてマグネシューム合金を使用し正面である表面にステンレス合金かチタン合金を接合し、さらにステンレス合金かチタン合金、亜鉛、銅等の比重４．５から１９．３までの金属や非鉄金属又はセラミックで直径１ｍｍ以上であり深さ０．２ｍｍ以上で凸起状となる錘を、垂直と水平のフェース断面図において２ヶ所以上の場所に接合か一体とし、表面のステンレス合金かチタン合金の重量と凸起状錘の重量の合計がフェース全体重量の２０％から５０％未満であり、またフェースの重心点が中心から垂直に伸ばし天に向かった線を０度とした場合、直角となるトウ側９０度から１８０度の範囲で中心から直径１６ｍｍ以内の範囲を除く領域にあることを特徴とするゴルフクラブヘッドのフェース。
【請求項５４】
ゴルフクラブヘッドのクラウン部とソール部と外周の接合部分を除くフェース部全体の主材料としてマグネシューム合金を使用し正面である表面にステンレス合金かチタン合金を接合し、さらにステンレス合金かチタン合金、亜鉛、銅等の比重４．５から１９．３までの金属や非鉄金属又はセラミックで直径１ｍｍ以上であり深さ０．２ｍｍ以上で凸起状となる錘の形状が円、楕円、五角、六角形やＵ字形の単または複数パターンであり、フェース表面のステンレス合金かチタン合金に接合か一体とし、表面のステンレス合金かチタン合金の重量と凸起状錘の重量の合計がフェース全体重量の２０％から５０％未満であり、またフェースの重心点が中心から垂直に伸ばし天に向かった線を０度とした場合、直角となるトウ側９０度から１８０度の範囲で中心から直径１６ｍｍ以内の範囲を除く領域にあることを特徴とするゴルフクラブヘッドのフェース。
【請求項５５】
ゴルフクラブヘッドのクラウン部とソール部と外周の接合部分を除くフェース部の正面である表面にはステンレス合金かチタン合金使用し、フェース裏面にはカーボン繊維などの比重の軽い物を使用し、フェース表面と裏面の間にマグネシューム合金を挟んで接合した形状であり、フェース全体の重量の２０％以上から５０％未満までをステンレス合金かチタン合金とし、またフェースの重心点が中心から垂直に伸ばし天に向かった線を０度とした場合、直角となるトウ側９０度から１８０度の範囲で中心から直径１６ｍｍ以内の範囲を除く領域にあることを特徴とするゴルフクラブヘッドのフェース。
【請求項５６】
ゴルフクラブヘッドのクラウン部とソール部と外周の接合部分を除くフェース部の正面である表面にはステンレス合金かチタン合金使用し、フェースの裏面にはカーボン繊維などの比重の軽い物を使用し、フェース正面である表面と裏面の間にマグネシューム合金を挟んで接合した形状であり、さらにステンレス合金かチタン合金、亜鉛、銅等の比重４．５から１９．３までの金属や非鉄金属又はセラミックで直径１ｍｍ以上であり深さ０．２ｍｍ以上で凸起状となる錘を、垂直と水平のフェース断面図において２ヶ所以上の場所に接合するか一体とし、表面のステンレス合金かチタン合金の重量と凸起状錘の重量の合計がフェース全体重量の２０％から５０％未満であり、またフェースの重心点が中心から垂直に伸ばし天に向かった線を０度とした場合、直角となるトウ側９０度から１８０度の範囲で中心から直径１６ｍｍ以内の範囲を除く領域にあることを特徴とするゴルフクラブヘッドのフェース。
【請求項５７】
ゴルフクラブヘッドのクラウン部とソール部と外周の接合部分を除くフェース部の正面である表面にはステンレス合金かチタン合金使用し、フェースの裏面にはカーボン繊維などの比重の軽い物を使用し、フェース正面である表面と裏面の間にマグネシューム合金を挟んで接合した形状であり、さらに、ステンレス合金かチタン合金、亜鉛、銅等の比重４．５から１９．３までの金属や非鉄金属又はセラミックで直径１ｍｍ以上であり深さ０．２ｍｍ以上で凸起状となる錘の形状が円、楕円、五角、六角形やＵ字形の単または複数パターンであり、フェース表面のステンレス合金かチタン合金に接合か一体とし、表面のステンレス合金かチタン合金の重量と凸起状錘の重量の合計がフェース全体重量の２０％から５０％未満であり、またフェースの重心点が中心から垂直に伸ばし天に向かった線を０度とした場合、直角となるトウ側９０度から１８０度の範囲で中心から直径１６ｍｍ以内の範囲を除く領域にあることを特徴とするゴルフクラブヘッドのフェース。
【請求項５８】
ゴルフクラブヘッドのクラウン部とソール部と外周の接合部分を除くフェース部の正面である表面には、カーボン繊維などの比重の軽い素材を使用し、２層目にはステンレス合金かチタン合金を使用し、３層目にはマグネシューム合金を使用した物を接合し、フェース全体の重量の２０％以上から５０％未満までをステンレス合金かチタン合金とし、またフェースの重心点が中心から垂直に伸ばし天に向かった線を０度とした場合、直角となるトウ側９０度から１８０度の範囲で中心から直径１６ｍｍ以内の範囲を除く領域にあることを特徴とするゴルフクラブヘッドのフェース。
【請求項５９】
ゴルフクラブヘッドのクラウン部とソール部と外周の接合部分を除くフェース部の正面である表面には、カーボン繊維などの比重の軽い素材を使用し、２層目にはステンレス合金かチタン合金を使用し、３層目にはマグネシューム合金を使用した物を接合し、２層目と３層目の間にステンレス合金かチタン合金、亜鉛、銅等の比重４．５から１９．３までの金属や非鉄金属又はセラミックで直径１ｍｍ以上であり深さ０．２ｍｍ以上で凸起状となる錘を、垂直と水平のフェース断面図において２ヶ所以上の場所に接合するか一体とし、２層目のステンレス合金かチタン合金の重量と凸起状錘の重量の合計がフェース全体重量の２０％から５０％未満であり、またフェースの重心点が中心から垂直に伸ばし天に向かった線を０度とした場合、直角となるトウ側９０度から１８０度の範囲で中心から直径１６ｍｍ以内の範囲を除く領域にあることを特徴とするゴルフクラブヘッドのフェース。
【請求項６０】
ゴルフクラブヘッドのクラウン部とソール部と外周の接合部分を除くフェース部の正面である表面には、カーボン繊維などの比重の軽い素材を使用し、２層目にはステンレス合金かチタン合金を使用し、３層目にはマグネシューム合金を使用した物を接合し、２層目と３層目の間にステンレス合金かチタン合金、亜鉛、銅等の比重４．５から１９．３までの金属や非鉄金属又はセラミックで直径１ｍｍ以上であり深さ０．２ｍｍ以上で凸起状となる錘の形状が円、楕円、五角、六角形やＵ字形の単または複数パターンであり、２層目のフェース上部のステンレス合金かチタン合金に接合か一体とし、２層目のステンレス合金かチタン合金の重量と凸起状錘の重量の合計がフェース全体重量の２０％から５０％未満であり、またフェースの重心点が中心から垂直に伸ばし天に向かった線を０度とした場合、直角となるトウ側９０度から１８０度の範囲で中心から直径１６ｍｍ以内の範囲を除く領域にあることを特徴とするゴルフクラブヘッドのフェース。
【請求項６１】
ゴルフクラブヘッドのクラウン部とソール部と外周の接合部分を除くフェース部の正面である表面には、カーボン繊維などの比重の軽い素材を使用し、２層目にはステンレス合金かチタン合金を使用し、３層目にはマグネシューム合金を使用した物を接合し、フェース全体の重量の２０％以上から５０％未満までをステンレス合金かチタン合金とし、またフェースの重心点が中心から垂直に伸ばし天に向かった線を０度とした場合、直角となるトウ側９０度から１８０度の範囲で中心から直径１６ｍｍ以内の範囲を除く領域にあることを特徴とするゴルフクラブヘッドのフェース。
【請求項６２】
ゴルフクラブヘッドのクラウン部とソール部と外周の接合部分を除くフェース部の正面である表面には、カーボン繊維などの比重の軽い素材を使用し、２層目にはステンレス合金かチタン合金を使用し、３層目にはマグネシューム合金を使用した物を接合し、２層目と３層目の間にステンレス合金かチタン合金、亜鉛、銅等の比重４．５から１９．３までの金属や非鉄金属又はセラミックで直径１ｍｍ以上であり深さ０．２ｍｍ以上で凸起状となる錘を、垂直と水平のフェース断面図において２ヶ所以上の場所に接合するか一体とし、２層目のステンレス合金かチタン合金の重量と凸起状錘の重量の合計がフェース全体重量の２０％から５０％未満であり、またフェースの重心点が中心から垂直に伸ばし天に向かった線を０度とした場合、直角となるトウ側９０度から１８０度の範囲で中心から直径１６ｍｍ以内の範囲を除く領域にあることを特徴とするゴルフクラブヘッドのフェース。
【請求項６３】
ゴルフクラブヘッドのクラウン部とソール部と外周の接合部分を除くフェース部の正面である表面には、カーボン繊維などの比重の軽い素材を使用し、２層目にはステンレス合金かチタン合金を使用し、３層目にはマグネシューム合金を使用した物を接合し、２層目と３層目の間にステンレス合金かチタン合金、亜鉛、銅等の比重４．５から１９．３までの金属や非鉄金属又はセラミックで直径１ｍｍ以上であり深さ０．２ｍｍ以上で凸起状となる錘の形状が円、楕円、五角、六角形やＵ字形の単または複数パターンであり、２層目のステンレス合金かチタン合金に接合か一体とし、２層目のステンレス合金かチタン合金の重量と凸起状錘の重量の合計がフェース全体重量の２０％から５０％未満であり、またフェースの重心点が中心から垂直に伸ばし天に向かった線を０度とした場合、直角となるトウ側９０度から１８０度の範囲で中心から直径１６ｍｍ以内の範囲を除く領域にあることを特徴とするゴルフクラブヘッドのフェース。
【請求項６４】
ゴルフクラブヘッドのクラウン部とソール部と外周の接合部分を除くフェース部全体の主材料としてマグネシューム合金を使用し正面である表面にステンレス合金かチタン合金を接合し、フェース全体の重量の５０％以上から８０％未満までをステンレス合金かチタン合金とし、フェースの重心点が中心から直径１６ｍｍ以内の領域にあることを特徴とするゴルフクラブヘッドのフェース。
【請求項６５】
ゴルフクラブヘッドのクラウン部とソール部と外周の接合部分を除くフェース部全体の主材料としてマグネシューム合金を使用し正面である表面にステンレス合金かチタン合金を接合し、さらに、ステンレス合金かチタン合金、亜鉛、銅等の比重４．５から１９．３までの金属や非鉄金属又はセラミックで直径１ｍｍ以上であり深さ０．２ｍｍ以上で凸起状となる錘を、垂直と水平のフェース断面図において２ヶ所以上の場所に接合か一体とし、表面のステンレス合金かチタン合金の重量と凸起状錘の重量の合計がフェース全体重量の５０％以上から８０％未満であり、その周辺部分をマグネシューム合金で埋め込み挟んだ状態とし、またフェースの重心点が中心から直径１６ｍｍ以内の領域にあることを特徴とするゴルフクラブヘッドのフェース。
【請求項６６】
ゴルフクラブヘッドのクラウン部とソール部と外周の接合部分を除くフェース部全体の主材料としてマグネシューム合金を使用し正面である表面にステンレス合金かチタン合金を接合し、さらに、ステンレス合金かチタン合金、亜鉛、銅等の比重４．５から１９．３までの金属や非鉄金属又はセラミックで直径１ｍｍ以上であり深さ０．２ｍｍ以上で凸起状となる錘の形状が円、楕円、五角、六角形やＵ字形の単または複数パターンであり、フェース表面のステンレス合金かチタン合金に接合するか一体とし、表面のステンレス合金かチタン合金の重量と凸起状錘の重量の合計がフェース全体重量の５０％以上から８０％未満であり、その周辺部分をマグネシューム合金で埋め込んだ状態とし、またフェースの重心点が中心から直径１６ｍｍ以内の領域にあることを特徴とするゴルフクラブヘッドのフェース。
【請求項６７】
ゴルフクラブヘッドのクラウン部とソール部と外周の接合部分を除くフェース部の正面である表面にはステンレス合金かチタン合金使用し、フェースの裏面にはカーボン繊維などの比重の軽い物を使用し、フェース正面である表面と裏面の間にマグネシューム合金を挟んで接合した形状であり、フェース全体の重量の５０％以上から８０％未満までをステンレス合金かチタン合金とし、フェースの重心点が中心から直径１６ｍｍ以内の領域にあることを特徴とするゴルフクラブヘッドのフェース。
【請求項６８】
ゴルフクラブヘッドのクラウン部とソール部と外周の接合部分を除くフェース部の正面である表面にはステンレス合金かチタン合金使用し、フェースの裏面にはカーボン繊維などの比重の軽い物を使用し、フェース正面である表面と裏面の間にマグネシューム合金を挟んで接合した形状であり、さらにステンレス合金かチタン合金、亜鉛、銅等の比重４．５から１９．３までの金属や非鉄金属又はセラミックで直径１ｍｍ以上であり深さ０．２ｍｍ以上で凸起状となる錘を、垂直と水平のフェース断面図において２ヶ所以上の場所に接合するか一体とし、表面のステンレス合金かチタン合金の重量と凸起状錘の重量の合計がフェース全体重量の５０％以上から８０％未満であり、またフェースの重心点が中心から直径１６ｍｍ以内の領域にあることを特徴とするゴルフクラブヘッドのフェース。
【請求項６９】
ゴルフクラブヘッドのクラウン部とソール部と外周の接合部分を除くフェース部の正面である表面にはステンレス合金かチタン合金使用し、フェースの裏面にはカーボン繊維などの比重の軽い物を使用し、マグネシューム合金を挟んで接合した形状であり、さらにステンレス合金かチタン合金、亜鉛、銅等の比重４．５から１９．３までの金属や非鉄金属又はセラミックで直径１ｍｍ以上であり深さ０．２ｍｍ以上で凸起状となる錘の形状が円、楕円、五角、六角形やＵ字形の単または複数パターンであり、フェース表面のステンレス合金かチタン合金に接合か一体とし、表面のステンレス合金かチタン合金の重量と凸起状錘の重量の合計がフェース全体重量の５０％以上から８０％未満であり、またフェースの重心点が中心から直径１６ｍｍ以内の領域にあることを特徴とするゴルフクラブヘッドのフェース。
【請求項７０】
ゴルフクラブヘッドのクラウン部とソール部と外周の接合部分を除くフェース部の正面である表面には、カーボン繊維などの比重の軽い素材を使用し、２層目にはステンレス合金かチタン合金を使用し、３層目にはマグネシューム合金を使用した物を接合し、フェース全体の重量の５０％以上から８０％未満までを２層目のステンレス合金かチタン合金とし、フェースの重心点が中心から直径１６ｍｍ以内の領域にあることを特徴とするゴルフクラブヘッドのフェース。
【請求項７１】
ゴルフクラブヘッドのクラウン部とソール部と外周の接合部分を除くフェース部の正面である表面には、カーボン繊維などの比重の軽い素材を使用し、２層目にはステンレス合金かチタン合金を使用し、３層目にはマグネシューム合金を使用した物を接合し、２層目と３層目の間にステンレス合金かチタン合金、亜鉛、銅等の比重４．５から１９．３までの金属や非鉄金属又はセラミックで直径１ｍｍ以上であり深さ０．２ｍｍ以上で凸起状となる錘を、垂直と水平のフェース断面図において２ヶ所以上の場所に接合するか一体とし、　２層目のステンレス合金かチタン合金の重量と凸起状錘の重量の合計がフェース全体重量の５０％以上から８０％未満であり、またフェースの重心点が中心から直径１６ｍｍ以内の領域にあることを特徴とするゴルフクラブヘッドのフェース。
【請求項７２】
ゴルフクラブヘッドのクラウン部とソール部と外周の接合部分を除くフェース部の正面である表面には、カーボン繊維などの比重の軽い素材を使用し、２層目にはステンレス合金かチタン合金を使用し、３層目にはマグネシューム合金を使用した物を接合し、２層目と３層目の間にステンレス合金かチタン合金、亜鉛、銅等の比重４．５から１９．３までの金属や非鉄金属又はセラミックで直径１ｍｍ以上であり深さ０．２ｍｍ以上で凸起状となる錘の形状が円、楕円、五角、六角形やＵ字形の単または複数パターンであり、２層目ステンレス合金かチタン合金に接合か一体とし、２層目のステンレス合金かチタン合金の重量と凸起状錘の重量の合計がフェース全体重量の５０％以上から８０％未満であり、またフェースの重心点が中心から直径１６ｍｍ以内の領域にあることを特徴とするゴルフクラブヘッドのフェース。
【請求項７３】
ゴルフクラブヘッドのクラウン部とソール部と外周の接合部分を除くフェース部の正面である表面には、カーボン繊維などの比重の軽い素材を使用し、２層目にはステンレス合金かチタン合金を使用し、３層目にはマグネシューム合金を使用した物を接合し、フェース全体の重量の５０％以上から８０％未満までをステンレス合金かチタン合金とし、フェースの重心点が中心から直径１６ｍｍ以内の領域にあることを特徴とするゴルフクラブヘッドのフェース。
【請求項７４】
ゴルフクラブヘッドのクラウン部とソール部と外周の接合部分を除くフェース部の正面である表面には、カーボン繊維などの比重の軽い素材を使用し、２層目にはステンレス合金かチタン合金を使用し、３層目にはマグネシューム合金を使用した物を接合し、２層目と３層目の間にステンレス合金かチタン合金、亜鉛、銅等の比重４．５から１９．３までの金属や非鉄金属又はセラミックで直径１ｍｍ以上であり深さ０．２ｍｍ以上で凸起状となる錘を、垂直と水平のフェース断面図において２ヶ所以上の場所に接合するか一体とし、２層目のステンレス合金かチタン合金の重量と凸起状錘の重量の合計がフェース全体重量の５０％以上から８０％未満であり、またフェースの重心点が中心から直径１６ｍｍ以内の領域にあることを特徴とするゴルフクラブヘッドのフェース。
【請求項７５】
ゴルフクラブヘッドのクラウン部とソール部と外周の接合部分を除くフェース部の正面である表面には、カーボン繊維などの比重の軽い素材を使用し、２層目にはステンレス合金かチタン合金を使用し、３層目にはマグネシューム合金を使用した物を接合し、２層目と３層目の間にステンレス合金かチタン合金、亜鉛、銅等の比重４．５から１９．３までの金属や非鉄金属又はセラミックで直径１ｍｍ以上であり深さ０．２ｍｍ以上で凸起状となる錘の形状が円、楕円、五角、六角形やＵ字形の単または複数パターンであり、２層目ステンレス合金かチタン合金に接合か一体とし、２層目のステンレス合金かチタン合金の重量と凸起状錘の重量の合計がフェース全体重量の５０％以上から８０％未満であり、またフェースの重心点が中心から直径１６ｍｍ以内の領域にあることを特徴とするゴルフクラブヘッドのフェース。
【請求項７６】
ゴルフクラブヘッドのクラウン部とソール部と外周の接合部分を除くフェース部全体の主材料としてマグネシューム合金を使用し正面である表面にステンレス合金かチタン合金を接合し、フェース全体の重量の５０％以上から８０％未満までをステンレス合金かチタン合金とし、フェースの重心点が中心から垂直に伸ばし天に向かった線を０度とした場合、０度からヒール側に架けて９０度の範囲で中心から直径１６ｍｍ以内の範囲を除く領域にあることを特徴とするゴルフクラブヘッドのフェース。
【請求項７７】
ゴルフクラブヘッドのクラウン部とソール部と外周の接合部分を除くフェース部全体の主材料としてマグネシューム合金を使用し正面である表面にステンレス合金かチタン合金を接合し、さらにステンレス合金かチタン合金、亜鉛、銅等の比重４．５から１９．３までの金属や非鉄金属又はセラミックで直径１ｍｍ以上であり深さ０．２ｍｍ以上で凸起状となる錘を、垂直と水平のフェース断面図において２ヶ所以上の場所に接合か一体とし、表面のステンレス合金かチタン合金の重量と凸起状錘の重量の合計がフェース全体重量の５０％以上から８０％未満であり、その周辺部分をマグネシューム合金で埋め込み挟んだ状態とし、またフェースの重心点が中心から垂直に伸ばし天に向かった線を０度とした場合、０度からヒール側に架けて９０度の範囲で中心から直径１６ｍｍ以内の範囲を除く領域にあることを特徴とするゴルフクラブヘッドのフェース。
【請求項７８】
ゴルフクラブヘッドのクラウン部とソール部と外周の接合部分を除くフェース部全体の主材料としてマグネシューム合金を使用し正面である表面にステンレス合金かチタン合金を接合し、さらに、ステンレス合金かチタン合金、亜鉛、銅等の比重４．５から１９．３までの金属や非鉄金属又はセラミックで直径１ｍｍ以上であり深さ０．２ｍｍ以上で凸起状となる錘の形状が円、楕円、五角、六角形やＵ字形の単または複数パターンであり、フェース表面のステンレス合金かチタン合金に接合するか一体とし、表面のステンレス合金かチタン合金の重量と凸起状錘の重量の合計がフェース全体重量の５０％以上から８０％未満であり、その周辺部分をマグネシューム合金で埋め込んだ状態とし、またフェースの重心点が中心から垂直に伸ばし天に向かった線を０度とした場合、０度からヒール側に架けて９０度の範囲で中心から直径１６ｍｍ以内の範囲を除く領域にあることを特徴とするゴルフクラブヘッドのフェース。
【請求項７９】
ゴルフクラブヘッドのクラウン部とソール部と外周の接合部分を除くフェース部の正面である表面にはステンレス合金かチタン合金使用し、フェースの裏面にはカーボン繊維などの比重の軽い物を使用し、フェース正面である表面と裏面の間にマグネシューム合金を挟んで接合した形状であり、フェース全体の重量の５０％以上から８０％未満までをステンレス合金かチタン合金とし、またフェースの重心点が中心から垂直に伸ばし天に向かった線を０度とした場合、０度からヒール側に架けて９０度の範囲で中心から直径１６ｍｍ以内の範囲を除く領域にあることを特徴とするゴルフクラブヘッドのフェース。
【請求項８０】
ゴルフクラブヘッドのクラウン部とソール部と外周の接合部分を除くフェース部の正面である表面にはステンレス合金かチタン合金使用し、フェースの裏面にはカーボン繊維などの比重の軽い物を使用し、フェース正面である表面と裏面の間にマグネシューム合金を挟んで接合した形状であり、さらに、ステンレス合金かチタン合金、亜鉛、銅等の比重４．５から１９．３までの金属や非鉄金属又はセラミックで直径１ｍｍ以上であり深さ０．２ｍｍ以上で凸起状となる錘を、垂直と水平のフェース断面図において２ヶ所以上の場所に接合するか一体とし、表面のステンレス合金かチタン合金の重量と凸起状錘の重量の合計がフェース全体重量の５０％以上から８０％未満であり、またフェースの重心点が中心から垂直に伸ばし天に向かった線を０度とした場合、０度からヒール側に架けて９０度の範囲で中心から直径１６ｍｍ以内の範囲を除く領域にあることを特徴とするゴルフクラブヘッドのフェース。
【請求項８１】
ゴルフクラブヘッドのクラウン部とソール部と外周の接合部分を除くフェース部の正面である表面にはステンレス合金かチタン合金使用し、フェースの裏面にはカーボン繊維などの比重の軽い物を使用し、フェース正面である表面と裏面の間にマグネシューム合金を挟んで接合した形状であり、さらに、ステンレス合金かチタン合金、亜鉛、銅等の比重４．５から１９．３までの金属や非鉄金属又はセラミックで直径１ｍｍ以上であり深さ０．２ｍｍ以上で凸起状となる錘の形状が円、楕円、五角、六角形やＵ字形の単または複数パターンであり、フェース表面のステンレス合金かチタン合金に接合か一体とし、表面のステンレス合金かチタン合金の重量と凸起状錘の重量の合計がフェース全体重量の５０％以上から８０％未満であり、またフェースの重心点が中心から垂直に伸ばし天に向かった線を０度とした場合、０度からヒール側に架けて９０度の範囲で中心から直径１６ｍｍ以内の範囲を除く領域にあることを特徴とするゴルフクラブヘッドのフェース。
【請求項８２】
ゴルフクラブヘッドのクラウン部とソール部と外周の接合部分を除くフェース部の正面である表面には、カーボン繊維などの比重の軽い素材を使用し、２層目にはステンレス合金かチタン合金を使用し、３層目にはマグネシューム合金を使用した物を接合し、フェース全体の重量の５０％以上から８０％未満までを２層目のステンレス合金かチタン合金とし、またフェースの重心点が中心から垂直に伸ばし天に向かった線を０度とした場合、０度からヒール側に架けて９０度の範囲で中心から直径１６ｍｍ以内の範囲を除く領域にあることを特徴とするゴルフクラブヘッドのフェース。
【請求項８３】
ゴルフクラブヘッドのクラウン部とソール部と外周の接合部分を除くフェース部の正面である表面には、カーボン繊維などの比重の軽い素材を使用し、２層目にはステンレス合金かチタン合金を使用し、３層目にはマグネシューム合金を使用した物を接合し、２層目と３層目の間にステンレス合金かチタン合金、亜鉛、銅等の比重４．５から１９．３までの金属や非鉄金属又はセラミックで直径１ｍｍ以上であり深さ０．２ｍｍ以上で凸起状となる錘を、垂直と水平のフェース断面図において２ヶ所以上の場所に接合するか一体とし、２層目のステンレス合金かチタン合金の重量と凸起状錘の重量の合計がフェース全体重量の５０％以上から８０％未満であり、またフェースの重心点が中心から垂直に伸ばし天に向かった線を０度とした場合、０度からヒール側に架けて９０度の範囲で中心から直径１６ｍｍ以内の範囲を除く領域にあることを特徴とするゴルフクラブヘッドのフェース。
【請求項８４】
ゴルフクラブヘッドのクラウン部とソール部と外周の接合部分を除くフェース部の正面である表面には、カーボン繊維などの比重の軽い素材を使用し、２層目にはステンレス合金かチタン合金を使用し、３層目にはマグネシューム合金を使用した物を接合し、２層目と３層目の間にステンレス合金かチタン合金、亜鉛、銅等の比重４．５から１９．３までの金属や非鉄金属又はセラミックで直径１ｍｍ以上であり深さ０．２ｍｍ以上で凸起状となる錘の形状が円、楕円、五角、六角形やＵ字形の単または複数パターンであり、２層目のステンレス合金かチタン合金に接合か一体とし、２層目のステンレス合金かチタン合金の重量と凸起状錘の重量の合計がフェース全体重量の５０％以上から８０％未満であり、またフェースの重心点が中心から垂直に伸ばし天に向かった線を０度とした場合、０度からヒール側に架けて９０度の範囲で中心から直径１６ｍｍ以内の範囲を除く領域にあることを特徴とするゴルフクラブヘッドのフェース。
【請求項８５】
ゴルフクラブヘッドのクラウン部とソール部と外周の接合部分を除くフェース部の正面である表面には、カーボン繊維などの比重の軽い素材を使用し、２層目にはステンレス合金かチタン合金を使用し、３層目にはマグネシューム合金を使用した物を接合し、フェース全体の重量の５０％以上から８０％未満までをステンレス合金かチタン合金とし、またフェースの重心点が中心から垂直に伸ばし天に向かった線を０度とした場合、０度からヒール側に架けて９０度の範囲で中心から直径１６ｍｍ以内の範囲を除く領域にあることを特徴とするゴルフクラブヘッドのフェース。
【請求項８６】
ゴルフクラブヘッドのクラウン部とソール部と外周の接合部分を除くフェース部の正面である表面には、カーボン繊維などの比重の軽い素材を使用し、２層目にはステンレス合金かチタン合金を使用し、３層目にはマグネシューム合金を使用した物を接合し、２層目と３層目の間にステンレス合金かチタン合金、亜鉛、銅等の比重４．５から１９．３までの金属や非鉄金属又はセラミックで直径１ｍｍ以上であり深さ０．２ｍｍ以上で凸起状となる錘を、垂直と水平のフェース断面図において２ヶ所以上の場所に接合するか一体とし、２層目のステンレス合金かチタン合金の重量と凸起状錘の重量の合計がフェース全体重量の５０％以上から８０％未満であり、またフェースの重心点が中心から垂直に伸ばし天に向かった線を０度とした場合、０度からヒール側に架けて９０度の範囲で中心から直径１６ｍｍ以内の範囲を除く領域にあることを特徴とするゴルフクラブヘッドのフェース。
【請求項８７】
ゴルフクラブヘッドのクラウン部とソール部と外周の接合部分を除くフェース部の正面である表面には、カーボン繊維などの比重の軽い素材を使用し、２層目にはステンレス合金かチタン合金を使用し、３層目にはマグネシューム合金を使用した物を接合し、２層目と３層目の間にステンレス合金かチタン合金、亜鉛、銅等の比重４．５から１９．３までの金属や非鉄金属又はセラミックで直径１ｍｍ以上であり深さ０．２ｍｍ以上で凸起状となる錘の形状が円、楕円、五角、六角形やＵ字形の単または複数パターンであり、２層目のステンレス合金かチタン合金に接合か一体とし、２層目のステンレス合金かチタン合金の重量と凸起状錘の重量の合計がフェース全体重量の５０％以上から８０％未満であり、またフェースの重心点が中心から垂直に伸ばし天に向かった線を０度とした場合、０度からヒール側に架けて９０度の範囲で中心から直径１６ｍｍ以内の範囲を除く領域にあることを特徴とするゴルフクラブヘッドのフェース。
【請求項８８】
ゴルフクラブヘッドのクラウン部とソール部と外周の接合部分を除くフェース部全体の主材料としてマグネシューム合金を使用し正面である表面にステンレス合金かチタン合金を接合し、フェース全体の重量の５０％以上から８０％未満までをステンレス合金かチタン合金とし、フェースの重心点が中心から垂直に伸ばし天に向かった線を０度とした場合、直角となるヒール側９０度から１８０度の範囲で中心から直径１６ｍｍ以内の範囲を除く領域にあることを特徴とするゴルフクラブヘッドのフェース。
【請求項８９】
ゴルフクラブヘッドのクラウン部とソール部と外周の接合部分を除くフェース部全体の主材料としてマグネシューム合金を使用し正面である表面にステンレス合金かチタン合金を接合し、さらにステンレス合金かチタン合金、亜鉛、銅等の比重４．５から１９．３までの金属や非鉄金属又はセラミックで直径１ｍｍ以上であり深さ０．２ｍｍ以上で凸起状となる錘を、垂直と水平のフェース断面図において２ヶ所以上の場所に接合か一体とし、表面のステンレス合金かチタン合金の重量と凸起状錘の重量の合計がフェース全体重量の５０％以上から８０％未満であり、またフェースの重心点が中心から垂直に伸ばし天に向かった線を０度とした場合、直角となるヒール側９０度から１８０度の範囲で中心から直径１６ｍｍ以内の範囲を除く領域にあることを特徴とするゴルフクラブヘッドのフェース。
【請求項９０】
ゴルフクラブヘッドのクラウン部とソール部と外周の接合部分を除くフェース部全体の主材料としてマグネシューム合金を使用し正面である表面にステンレス合金かチタン合金を接合し、その間にステンレス合金かチタン合金、亜鉛、銅等の比重４．５から１９．３までの金属や非鉄金属又はセラミックで直径１ｍｍ以上であり深さ０．２ｍｍ以上で凸起状となる錘の形状が円、楕円、五角、六角形やＵ字形の単または複数パターンであり、フェース上部のステンレス合金かチタン合金に接合か一体とし、ステンレス合金かチタン合金の重量と凸起状錘の重量の合計がフェース全体重量の５０％以上から８０％未満であり、またフェースの重心点が中心から垂直に伸ばし天に向かった線を０度とした場合、直角となるヒール側９０度から１８０度の範囲で中心から直径１６ｍｍ以内の範囲を除く領域にあることを特徴とするゴルフクラブヘッドのフェース。
【請求項９１】
ゴルフクラブヘッドのクラウン部とソール部と外周の接合部分を除くフェース部の正面である表面にはステンレス合金かチタン合金使用し、フェースの裏面にはカーボン繊維などの比重の軽い物を使用し、フェース正面である表面と裏面の間にマグネシューム合金を挟んで接合した形状であり、フェース全体の重量の５０％以上から８０％未満までをステンレス合金かチタン合金とし、またフェースの重心点が中心から垂直に伸ばし天に向かった線を０度とした場合、直角となるヒール側９０度から１８０度の範囲で中心から直径１６ｍｍ以内の範囲を除く領域にあることを特徴とするゴルフクラブヘッドのフェース。
【請求項９２】
ゴルフクラブヘッドのクラウン部とソール部と外周の接合部分を除くフェース部の正面である表面にはステンレス合金かチタン合金使用し、フェースの裏面にはカーボン繊維などの比重の軽い物を使用し、フェース正面である表面と裏面の間にマグネシューム合金を挟んで接合した形状であり、さらにステンレス合金かチタン合金、亜鉛、銅等の比重４．５から１９．３までの金属や非鉄金属又はセラミックで直径１ｍｍ以上であり深さ０．２ｍｍ以上で凸起状となる錘を、垂直と水平のフェース断面図において２ヶ所以上の場所に接合するか一体とし、表面のステンレス合金かチタン合金の重量と凸起状錘の重量の合計がフェース全体重量の５０％以上から８０％未満であり、またフェースの重心点が中心から垂直に伸ばし天に向かった線を０度とした場合、直角となるヒール側９０度から１８０度の範囲で中心から直径１６ｍｍ以内の範囲を除く領域にあることを特徴とするゴルフクラブヘッドのフェース。
【請求項９３】
ゴルフクラブヘッドのクラウン部とソール部と外周の接合部分を除くフェース部の正面である表面にはステンレス合金かチタン合金使用し、フェースの裏面にはカーボン繊維などの比重の軽い物を使用し、フェース正面である表面と裏面の間にマグネシューム合金を挟んで接合した形状であり、さらにステンレス合金かチタン合金、亜鉛、銅等の比重４．５から１９．３までの金属や非鉄金属又はセラミックで直径１ｍｍ以上であり深さ０．２ｍｍ以上で凸起状となる錘の形状が円、楕円、五角、六角形やＵ字形の単または複数パターンであり、フェース表面のステンレス合金かチタン合金に接合か一体とし、表面のステンレス合金かチタン合金の重量と凸起状錘の重量の合計がフェース全体重量の５０％以上から８０％未満であり、またフェースの重心点が中心から垂直に伸ばし天に向かった線を０度とした場合、直角となるヒール側９０度から１８０度の範囲で中心から直径１６ｍｍ以内の範囲を除く領域にあることを特徴とするゴルフクラブヘッドのフェース。
【請求項９４】
ゴルフクラブヘッドのクラウン部とソール部と外周の接合部分を除くフェース部の正面である表面には、カーボン繊維などの比重の軽い素材を使用し、２層目にはステンレス合金かチタン合金を使用し、３層目にはマグネシューム合金を使用した物を接合し、フェース全体の重量の５０％以上から８０％未満までを２層目のステンレス合金かチタン合金とし、またフェースの重心点が中心から垂直に伸ばし天に向かった線を０度とした場合、直角であるヒール側９０度から１８０度の範囲で中心から直径１６ｍｍ以内の範囲を除く領域にあることを特徴とするゴルフクラブヘッドのフェース。
【請求項９５】
ゴルフクラブヘッドのクラウン部とソール部と外周の接合部分を除くフェース部の正面である表面には、カーボン繊維などの比重の軽い素材を使用し、２層目にはステンレス合金かチタン合金を使用し、３層目にはマグネシューム合金を使用した物を接合し、２層目と３層目の間にステンレス合金かチタン合金、亜鉛、銅等の比重４．５から１９．３までの金属や非鉄金属又はセラミックで直径１ｍｍ以上であり深さ０．２ｍｍ以上で凸起状となる錘を、垂直と水平のフェース断面図において２ヶ所以上の場所に接合するか一体とし、２層目のステンレス合金かチタン合金の重量と凸起状錘の重量の合計がフェース全体重量の５０％以上から８０％未満であり、またフェースの重心点が中心から垂直に伸ばし天に向かった線を０度とした場合、直角となるヒール側９０度から１８０度の範囲で中心から直径１６ｍｍ以内の範囲を除く領域にあることを特徴とするゴルフクラブヘッドのフェース。
【請求項９６】
ゴルフクラブヘッドのクラウン部とソール部と外周の接合部分を除くフェース部の正面である表面には、カーボン繊維などの比重の軽い素材を使用し、２層目にはステンレス合金かチタン合金を使用し、３層目にはマグネシューム合金を使用した物を接合し、２層目と３層目の間にステンレス合金かチタン合金、亜鉛、銅等の比重４．５から１９．３までの金属や非鉄金属又はセラミックで直径１ｍｍ以上であり深さ０．２ｍｍ以上で凸起状となる錘の形状が円、楕円、五角、六角形やＵ字形の単または複数パターンであり、２層目のステンレス合金かチタン合金に接合か一体とし、２層目のステンレス合金かチタン合金の重量と凸起状錘の重量の合計がフェース全体重量の５０％以上から８０％未満であり、またフェースの重心点が中心から垂直に伸ばし天に向かった線を０度とした場合、直角であるヒール側９０度から１８０度の範囲で中心から直径１６ｍｍ以内の範囲を除く領域にあることを特徴とするゴルフクラブヘッドのフェース。
【請求項９７】
ゴルフクラブヘッドのクラウン部とソール部と外周の接合部分を除くフェース部の正面である表面には、カーボン繊維などの比重の軽い素材を使用し、２層目にはステンレス合金かチタン合金を使用し、３層目にはマグネシューム合金を使用した物を接合し、フェース全体の重量の５０％以上から８０％未満までをステンレス合金かチタン合金とし、またフェースの重心点が中心から垂直に伸ばし天に向かった線を０度とした場合、直角であるヒール側９０度から１８０度の範囲で中心から直径１６ｍｍ以内の範囲を除く領域にあることを特徴とするゴルフクラブヘッドのフェース。
【請求項９８】
ゴルフクラブヘッドのクラウン部とソール部と外周の接合部分を除くフェース部の正面である表面には、カーボン繊維などの比重の軽い素材を使用し、２層目にはステンレス合金かチタン合金を使用し、３層目にはマグネシューム合金を使用した物を接合し、２層目と３層目の間にステンレス合金かチタン合金、亜鉛、銅等の比重４．５から１９．３までの金属や非鉄金属又はセラミックで直径１ｍｍ以上であり深さ０．２ｍｍ以上で凸起状となる錘を、垂直と水平のフェース断面図において２ヶ所以上の場所に接合するか一体とし、２層目のステンレス合金かチタン合金の重量と凸起状錘の重量の合計がフェース全体重量の５０％以上から８０％未満であり、またフェースの重心点が中心から垂直に伸ばし天に向かった線を０度とした場合、直角となるヒール側９０度から１８０度の範囲で中心から直径１６ｍｍ以内の範囲を除く領域にあることを特徴とするゴルフクラブヘッドのフェース。
【請求項９９】
ゴルフクラブヘッドのクラウン部とソール部と外周の接合部分を除くフェース部の正面である表面には、カーボン繊維などの比重の軽い素材を使用し、２層目にはステンレス合金かチタン合金を使用し、３層目にはマグネシューム合金を使用した物を接合し、２層目と３層目の間にステンレス合金かチタン合金、亜鉛、銅等の比重４．５から１９．３までの金属や非鉄金属又はセラミックで直径１ｍｍ以上であり深さ０．２ｍｍ以上で凸起状となる錘の形状が円、楕円、五角、六角形やＵ字形の単または複数パターンであり、２層目のステンレス合金かチタン合金に接合か一体とし、２層目のステンレス合金かチタン合金の重量と凸起状錘の重量の合計がフェース全体重量の５０％以上から８０％未満であり、またフェースの重心点が中心から垂直に伸ばし天に向かった線を０度とした場合、直角となるヒール側９０度から１８０度の範囲で中心から直径１６ｍｍ以内の範囲を除く領域にあることを特徴とするゴルフクラブヘッドのフェース。
【請求項１００】
ゴルフクラブヘッドのクラウン部とソール部と外周の接合部分を除くフェース部全体の主材料としてマグネシューム合金を使用し正面である表面にステンレス合金かチタン合金を接合し、フェース全体の重量の５０％以上から８０％未満までをステンレス合金かチタン合金とし、フェースの重心点が中心から垂直に伸ばし天に向かった線を０度とした場合、０度からトウ側に架けて９０度の範囲で中心から直径１６ｍｍ以内の範囲を除く領域にあることを特徴とするゴルフクラブヘッドのフェース。
【請求項１０１】
ゴルフクラブヘッドのクラウン部とソール部と外周の接合部分を除くフェース部全体の主材料としてマグネシューム合金を使用し正面である表面にステンレス合金かチタン合金を接合し、その間にステンレス合金かチタン合金、亜鉛、銅等の比重４．５から１９．３までの金属や非鉄金属又はセラミックで直径１ｍｍ以上であり深さ０．２ｍｍ以上で凸起状となる錘を、垂直と水平のフェース断面図において２ヶ所以上の場所に接合か一体とし、表面のステンレス合金かチタン合金の重量と凸起状錘の重量の合計がフェース全体重量の５０％以上から８０％未満であり、またフェースの重心点が中心から垂直に伸ばし天に向かった線を０度とした場合、０度からトウ側に架けて９０度の範囲で中心から直径１６ｍｍ以内の範囲を除く領域にあることを特徴とするゴルフクラブヘッドのフェース。
【請求項１０２】
ゴルフクラブヘッドのクラウン部とソール部と外周の接合部分を除くフェース部全体の主材料としてマグネシューム合金を使用し正面である表面にステンレス合金かチタン合金を接合し、さらにステンレス合金かチタン合金、亜鉛、銅等の比重４．５から１９．３までの金属や非鉄金属又はセラミックで直径１ｍｍ以上であり深さ０．２ｍｍ以上で凸起状となる錘の形状が円、楕円、五角、六角形やＵ字形の単または複数パターンであり、フェース表面のステンレス合金かチタン合金に接合か一体とし、表面のステンレス合金かチタン合金の重量と凸起状錘の重量の合計がフェース全体重量の５０％以上から８０％未満であり、またフェースの重心点が中心から垂直に伸ばし天に向かった線を０度とした場合、０度からトウ側に架けて９０度の範囲で中心から直径１６ｍｍ以内の範囲を除く領域にあることを特徴とするゴルフクラブヘッドのフェース。
【請求項１０３】
ゴルフクラブヘッドのクラウン部とソール部と外周の接合部分を除くフェース部の正面である表面にはステンレス合金かチタン合金使用し、フェース裏面にはカーボン繊維などの比重の軽い物を使用し、フェース正面である表面と裏面の間にマグネシューム合金を挟んで接合した形状であり、フェース全体の重量の５０％以上から８０％未満までをステンレス合金かチタン合金とし、またフェースの重心点が中心から垂直に伸ばし天に向かった線を０度とした場合、０度からトウ側に架けて９０度の範囲で中心から直径１６ｍｍ以内の範囲を除く領域にあることを特徴とするゴルフクラブヘッドのフェース。
【請求項１０４】
ゴルフクラブヘッドのクラウン部とソール部と外周の接合部分を除くフェース部の正面である表面にはステンレス合金かチタン合金使用し、フェースの裏面にはカーボン繊維などの比重の軽い物を使用し、フェース正面である表面と裏面の間にマグネシューム合金を挟んで接合した形状であり、さらにステンレス合金かチタン合金、亜鉛、銅等の比重４．５から１９．３までの金属や非鉄金属又はセラミックで直径１ｍｍ以上であり深さ０．２ｍｍ以上で凸起状となる錘を、垂直と水平のフェース断面図において２ヶ所以上の場所に接合するか一体とし、表面のステンレス合金かチタン合金の重量と凸起状錘の重量の合計がフェース全体重量の５０％以上から８０％未満であり、またフェースの重心点が中心から垂直に伸ばし天に向かった線を０度とした場合、０度からトウ側に架けて９０度の範囲で中心から直径１６ｍｍ以内の範囲を除く領域にあることを特徴とするゴルフクラブヘッドのフェース。
【請求項１０５】
ゴルフクラブヘッドのクラウン部とソール部と外周の接合部分を除くフェース部の正面である表面にはステンレス合金かチタン合金使用し、フェースの裏面にはカーボン繊維などの比重の軽い物を使用し、フェース正面である表面と裏面の間にマグネシューム合金を挟んで接合した形状であり、さらにステンレス合金かチタン合金、亜鉛、銅等の比重４．５から１９．３までの金属や非鉄金属又はセラミックで直径１ｍｍ以上であり深さ０．２ｍｍ以上で凸起状となる錘の形状が円、楕円、五角、六角形やＵ字形の単または複数パターンであり、フェース表面のステンレス合金かチタン合金に接合か一体とし、表面のステンレス合金かチタン合金の重量と凸起状錘の重量の合計がフェース全体重量の５０％以上から８０％未満であり、またフェースの重心点が中心から垂直に伸ばし天に向かった線を０度とした場合、０度からトウ側に架けて９０度の範囲で中心から直径１６ｍｍ以内の範囲を除く領域にあることを特徴とするゴルフクラブヘッドのフェース。
【請求項１０６】
ゴルフクラブヘッドのクラウン部とソール部と外周の接合部分を除くフェース部の正面である表面には、カーボン繊維などの比重の軽い素材を使用し、２層目にはステンレス合金かチタン合金を使用し、３層目にはマグネシューム合金を使用した物を接合し、フェース全体の重量の５０％以上から８０％未満までを２層目のステンレス合金かチタン合金とし、またフェースの重心点が中心から垂直に伸ばし天に向かった線を０度とした場合、０度からトウ側に架けて９０度の範囲で中心から直径１６ｍｍ以内の範囲を除く領域にあることを特徴とするゴルフクラブヘッドのフェース。
【請求項１０７】
ゴルフクラブヘッドのクラウン部とソール部と外周の接合部分を除くフェース部の正面である表面には、カーボン繊維などの比重の軽い素材を使用し、２層目にはステンレス合金かチタン合金を使用し、３層目にはマグネシューム合金を使用した物を接合し、２層目と３層目の間にステンレス合金かチタン合金、亜鉛、銅等の比重４．５から１９．３までの金属や非鉄金属又はセラミックで直径１ｍｍ以上であり深さ０．２ｍｍ以上で凸起状となる錘を、垂直と水平のフェース断面図において２ヶ所以上の場所に接合するか一体とし、２層目のステンレス合金かチタン合金の重量と凸起状錘の重量の合計がフェース全体重量の５０％以上から８０％未満であり、またフェースの重心点が中心から垂直に伸ばし天に向かった線を０度とした場合、０度からトウ側に架けて９０度の範囲で中心から直径１６ｍｍ以内の範囲を除く領域にあることを特徴とするゴルフクラブヘッドのフェース。
【請求項１０８】
ゴルフクラブヘッドのクラウン部とソール部と外周の接合部分を除くフェース部の正面である表面には、カーボン繊維などの比重の軽い素材を使用し、２層目にはステンレス合金かチタン合金を使用し、３層目にはマグネシューム合金を使用した物を接合し、２層目と３層目の間にステンレス合金かチタン合金、亜鉛、銅等の比重４．５から１９．３までの金属や非鉄金属又はセラミックで直径１ｍｍ以上であり深さ０．２ｍｍ以上で凸起状となる錘の形状が円、楕円、五角、六角形やＵ字形の単または複数パターンであり、２層目のステンレス合金かチタン合金に接合か一体とし、２層目のステンレス合金かチタン合金の重量と凸起状錘の重量の合計がフェース全体重量の５０％以上から８０％未満であり、またフェースの重心点が中心から垂直に伸ばし天に向かった線を０度とした場合、０度からトウ側に架けて９０度の範囲で中心から直径１６ｍｍ以内の範囲を除く領域にあることを特徴とするゴルフクラブヘッドのフェース。
【請求項１０９】
ゴルフクラブヘッドのクラウン部とソール部と外周の接合部分を除くフェース部の正面である表面には、カーボン繊維などの比重の軽い素材を使用し、２層目にはステンレス合金かチタン合金を使用し、３層目にはマグネシューム合金を使用した物を接合し、フェース全体の重量の５０％以上から８０％未満までをステンレス合金かチタン合金とし、またフェースの重心点が中心から垂直に伸ばし天に向かった線を０度とした場合、０度からトウ側に架けて９０度の範囲で中心から直径１６ｍｍ以内の範囲を除く領域にあることを特徴とするゴルフクラブヘッドのフェース。
【請求項１１０】
ゴルフクラブヘッドのクラウン部とソール部と外周の接合部分を除くフェース部の正面である表面には、カーボン繊維などの比重の軽い素材を使用し、２層目にはステンレス合金かチタン合金を使用し、３層目にはマグネシューム合金を使用した物を接合し、２層目と３層目の間にステンレス合金かチタン合金等の比重４．５から１９．３までの金属かセラミックで直径１ｍｍ以上であり深さ０．２ｍｍ以上で凸起状となる錘を、垂直と水平のフェース断面図において２ヶ所以上の場所に接合するか一体とし、２層目のステンレス合金かチタン合金の重量と凸起状錘の重量の合計がフェース全体重量の５０％以上から８０％未満であり、またフェースの重心点が中心から垂直に伸ばし天に向かった線を０度とした場合、０度からトウ側に架けて９０度の範囲で中心から直径１６ｍｍ以内の範囲を除く領域にあることを特徴とするゴルフクラブヘッドのフェース。
【請求項１１１】
ゴルフクラブヘッドのクラウン部とソール部と外周の接合部分を除くフェース部の正面である表面には、カーボン繊維などの比重の軽い素材を使用し、２層目にはステンレス合金かチタン合金を使用し、３層目にはマグネシューム合金を使用した物を接合し、２層目と３層目の間にステンレス合金かチタン合金、亜鉛、銅等の比重４．５から１９．３までの金属や非鉄金属又はセラミックで直径１ｍｍ以上であり深さ０．２ｍｍ以上で凸起状となる錘の形状が円、楕円、五角、六角形やＵ字形の単または複数パターンであり、２層目のステンレス合金かチタン合金に接合か一体とし、２層目のステンレス合金かチタン合金の重量と凸起状錘の重量の合計がフェース全体重量の５０％以上から８０％未満であり、またフェースの重心点が中心から垂直に伸ばし天に向かった線を０度とした場合、０度からトウ側に架けて９０度の範囲で中心から直径１６ｍｍ以内の範囲を除く領域にあることを特徴とするゴルフクラブヘッドのフェース。
【請求項１１２】
ゴルフクラブヘッドのクラウン部とソール部と外周の接合部分を除くフェース部全体の主材料としてマグネシューム合金を使用し正面である表面にステンレス合金かチタン合金を接合し、フェース全体の重量の５０％以上から８０％未満までをステンレス合金かチタン合金とし、フェースの重心点が中心から垂直に伸ばし天に向かった線を０度とした場合、直角となるトウ側９０度から１８０度の範囲で中心から直径１６ｍｍ以内の範囲を除く領域にあることを特徴とするゴルフクラブヘッドのフェース。
【請求項１１３】
ゴルフクラブヘッドのクラウン部とソール部と外周の接合部分を除くフェース部全体の主材料としてマグネシューム合金を使用し正面である表面にステンレス合金かチタン合金を接合し、さらにステンレス合金かチタン合金、亜鉛、銅等の比重４．５から１９．３までの金属や非鉄金属又はセラミックで直径１ｍｍ以上であり深さ０．２ｍｍ以上で凸起状となる錘を、垂直と水平のフェース断面図において２ヶ所以上の場所に接合か一体とし、表面のステンレス合金かチタン合金の重量と凸起状錘の重量の合計がフェース全体重量の５０％以上から８０％未満であり、またフェースの重心点が中心から垂直に伸ばし天に向かった線を０度とした場合、直角となるトウ側９０度から１８０度の範囲で中心から直径１６ｍｍ以内の範囲を除く領域にあることを特徴とするゴルフクラブヘッドのフェース。
【請求項１１４】
ゴルフクラブヘッドのクラウン部とソール部と外周の接合部分を除くフェース部全体の主材料としてマグネシューム合金を使用し正面である表面にステンレス合金かチタン合金を接合し、さらにステンレス合金かチタン合金、亜鉛、銅等の比重４．５から１９．３までの金属や非鉄金属又はセラミックで直径１ｍｍ以上であり深さ０．２ｍｍ以上で凸起状となる錘の形状が円、楕円、五角、六角形やＵ字形の単または複数パターンであり、フェース表面のステンレス合金かチタン合金に接合か一体とし、表面のステンレス合金かチタン合金の重量と凸起状錘の重量の合計がフェース全体重量の５０％以上から８０％未満であり、またフェースの重心点が中心から垂直に伸ばし天に向かった線を０度とした場合、直角となるトウ側９０度から１８０度の範囲で中心から直径１６ｍｍ以内の範囲を除く領域にあることを特徴とするゴルフクラブヘッドのフェース。
【請求項１１５】
ゴルフクラブヘッドのクラウン部とソール部と外周の接合部分を除くフェース部の正面である表面にはステンレス合金かチタン合金使用し、フェース裏面にはカーボン繊維などの比重の軽い物を使用し、フェース正面である表面と裏面の間にマグネシューム合金を挟んで接合した形状であり、フェース全体の重量の５０％以上から８０％未満までをステンレス合金かチタン合金とし、またフェースの重心点が中心から垂直に伸ばし天に向かった線を０度とした場合、直角となるトウ側９０度から１８０度の範囲で中心から直径１６ｍｍ以内の範囲を除く領域にあることを特徴とするゴルフクラブヘッドのフェース。
【請求項１１６】
ゴルフクラブヘッドのクラウン部とソール部と外周の接合部分を除くフェース部の正面である表面にはステンレス合金かチタン合金使用し、フェースの裏面にはカーボン繊維などの比重の軽い物を使用し、フェース正面である表面と裏面の間にマグネシューム合金を挟んで接合した形状であり、さらにステンレス合金かチタン合金、亜鉛、銅等の比重４．５から１９．３までの金属や非鉄金属又はセラミックで直径１ｍｍ以上であり深さ０．２ｍｍ以上で凸起状となる錘を、垂直と水平のフェース断面図において２ヶ所以上の場所に接合するか一体とし、表面のステンレス合金かチタン合金の重量と凸起状錘の重量の合計がフェース全体重量の５０％以上から８０％未満であり、またフェースの重心点が中心から垂直に伸ばし天に向かった線を０度とした場合、直角となるトウ側９０度から１８０度の範囲で中心から直径１６ｍｍ以内の範囲を除く領域にあることを特徴とするゴルフクラブヘッドのフェース。
【請求項１１７】
ゴルフクラブヘッドのクラウン部とソール部と外周の接合部分を除くフェース部の正面である表面にはステンレス合金かチタン合金使用し、フェースの裏面にはカーボン繊維などの比重の軽い物を使用し、フェース正面である表面と裏面の間にマグネシューム合金を挟んで接合した形状であり、さらに、ステンレス合金かチタン合金、亜鉛、銅等の比重４．５から１９．３までの金属や非鉄金属又はセラミックで直径１ｍｍ以上であり深さ０．２ｍｍ以上で凸起状となる錘の形状が円、楕円、五角、六角形やＵ字形の単または複数パターンであり、フェース表面のステンレス合金かチタン合金に接合か一体とし、表面のステンレス合金かチタン合金の重量と凸起状錘の重量の合計がフェース全体重量の５０％以上から８０％未満であり、またフェースの重心点が中心から垂直に伸ばし天に向かった線を０度とした場合、直角となるトウ側９０度から１８０度の範囲で中心から直径１６ｍｍ以内の範囲を除く領域にあることを特徴とするゴルフクラブヘッドのフェース。
【請求項１１８】
ゴルフクラブヘッドのクラウン部とソール部と外周の接合部分を除くフェース部の正面である表面には、カーボン繊維などの比重の軽い素材を使用し、２層目にはステンレス合金かチタン合金を使用し、３層目にはマグネシューム合金を使用した物を接合し、フェース全体の重量の５０％以上から８０％未満までを２層目のステンレス合金かチタン合金とし、またフェースの重心点が中心から垂直に伸ばし天に向かった線を０度とした場合、直角となるトウ側９０度から１８０度の範囲で中心から直径１６ｍｍ以内の範囲を除く領域にあることを特徴とするゴルフクラブヘッドのフェース。
【請求項１１９】
ゴルフクラブヘッドのクラウン部とソール部と外周の接合部分を除くフェース部の正面である表面には、カーボン繊維などの比重の軽い素材を使用し、２層目にはステンレス合金かチタン合金を使用し、３層目にはマグネシューム合金を使用した物を接合し、２層目と３層目の間にステンレス合金かチタン合金、亜鉛、銅等の比重４．５から１９．３までの金属や非鉄金属又はセラミックで直径１ｍｍ以上であり深さ０．２ｍｍ以上で凸起状となる錘を、垂直と水平のフェース断面図において２ヶ所以上の場所に接合するか一体とし、２層目のステンレス合金かチタン合金の重量と凸起状錘の重量の合計がフェース全体重量の５０％以上から８０％未満であり、またフェースの重心点が中心から垂直に伸ばし天に向かった線を０度とした場合、直角となるトウ側９０度から１８０度の範囲で中心から直径１６ｍｍ以内の範囲を除く領域にあることを特徴とするゴルフクラブヘッドのフェース。
【請求項１２０】
ゴルフクラブヘッドのクラウン部とソール部と外周の接合部分を除くフェース部の正面である表面には、カーボン繊維などの比重の軽い素材を使用し、２層目にはステンレス合金かチタン合金を使用し、３層目にはマグネシューム合金を使用した物を接合し、２層目と３層目の間にステンレス合金かチタン合金、亜鉛、銅等の比重４．５から１９．３までの金属や非鉄金属又はセラミックで直径１ｍｍ以上であり深さ０．２ｍｍ以上で凸起状となる錘の形状が円、楕円、五角、六角形やＵ字形の単または複数パターンであり、２層目ステンレス合金かチタン合金に接合か一体とし、２層目のステンレス合金かチタン合金の重量と凸起状錘の重量の合計がフェース全体重量の５０％以上から８０％未満であり、またフェースの重心点が中心から垂直に伸ばし天に向かった線を０度とした場合、直角となるトウ側９０度から１８０度の範囲で中心から直径１６ｍｍ以内の範囲を除く領域にあることを特徴とするゴルフクラブヘッドのフェース。
【請求項１２１】
ゴルフクラブヘッドのクラウン部とソール部と外周の接合部分を除くフェース部の正面である表面には、カーボン繊維などの比重の軽い素材を使用し、２層目にはステンレス合金かチタン合金を使用し、３層目にはマグネシューム合金を使用した物を接合し、フェース全体の重量の５０％以上から８０％未満までをステンレス合金かチタン合金とし、またフェースの重心点が中心から垂直に伸ばし天に向かった線を０度とした場合、直角となるトウ側９０度から１８０度の範囲で中心から直径１６ｍｍ以内の範囲を除く領域にあることを特徴とするゴルフクラブヘッドのフェース。
【請求項１２２】
ゴルフクラブヘッドのクラウン部とソール部と外周の接合部分を除くフェース部の正面である表面には、カーボン繊維などの比重の軽い素材を使用し、２層目にはステンレス合金かチタン合金を使用し、３層目にはマグネシューム合金を使用した物を接合し、２層目と３層目の間にステンレス合金かチタン合金、亜鉛、銅等の比重４．５から１９．３までの金属や非鉄金属又はセラミックで直径１ｍｍ以上であり深さ０．２ｍｍ以上で凸起状となる錘を、垂直と水平のフェース断面図において２ヶ所以上の場所に接合するか一体とし、２層目のステンレス合金かチタン合金の重量と凸起状錘の重量の合計がフェース全体重量の５０％以上から８０％未満であり、またフェースの重心点が中心から垂直に伸ばし天に向かった線を０度とした場合、直角となるトウ側９０度から１８０度の範囲で中心から直径１６ｍｍ以内の範囲を除く領域にあることを特徴とするゴルフクラブヘッドのフェース。
【請求項１２３】
ゴルフクラブヘッドのクラウン部とソール部と外周の接合部分を除くフェース部の正面である表面には、カーボン繊維などの比重の軽い素材を使用し、２層目にはステンレス合金かチタン合金を使用し、３層目にはマグネシューム合金を使用した物を接合し、２層目と３層目の間にステンレス合金かチタン合金、亜鉛、銅等の比重４．５から１９．３までの金属や非鉄金属又はセラミックで直径１ｍｍ以上であり深さ０．２ｍｍ以上で凸起状となる錘の形状が円、楕円、五角、六角形やＵ字形の単または複数パターンであり、２層目ステンレス合金かチタン合金に接合か一体とし、２層目のステンレス合金かチタン合金の重量と凸起状錘の重量の合計がフェース全体重量の５０％以上から８０％未満であり、またフェースの重心点が中心から垂直に伸ばし天に向かった線を０度とした場合、直角となるトウ側９０度から１８０度の範囲で中心から直径１６ｍｍ以内の範囲を除く領域にあることを特徴とするゴルフクラブヘッドのフェース。
【請求項１２４】
ゴルフクラブヘッドのクラウン部とソール部と外周の接合部分を除くフェース部全体の主材料としてマグネシューム合金を使用し正面である表面にステンレス合金かチタン合金を接合し、さらに、ステンレス合金かチタン合金、亜鉛、銅等の比重４．５から１９．３までの金属や非鉄金属又はセラミックで直径１ｍｍ以上であり深さ０．２ｍｍ以上で凸起状となる錘を、垂直と水平のフェース断面図において２ヶ所以上の場所に接合か一体とし、表面のステンレス合金かチタン合金の重量と凸起状錘の重量の合計がフェース全体重量の２０％から５０％未満であり、その周辺部分をマグネシューム合金で埋め込み挟んだ状態とし、また、ウエイトエリア面積がフェース面全体の３０±２％の範囲にある凸起面の重量が凸起面全体重量の３０から６０％の範囲とし、そのフェースの重心点がフェースの中心から直径１６ｍｍ以内の領域にあることを特徴とするゴルフクラブヘッドのフェース。
【請求項１２５】
ゴルフクラブヘッドのクラウン部とソール部と外周の接合部分を除くフェース部全体の主材料としてマグネシューム合金を使用し正面である表面にステンレス合金かチタン合金を接合し、さらに、ステンレス合金かチタン合金、亜鉛、銅等の比重４．５から１９．３までの金属や非鉄金属又はセラミックで直径１ｍｍ以上であり深さ０．２ｍｍ以上で凸起状となる錘の形状が円、楕円、五角、六角形やＵ字形の単または複数パターンであり、フェース表面のステンレス合金かチタン合金に接合するか一体とし、表面のステンレス合金かチタン合金の重量と凸起状錘の重量の合計がフェース全体重量の２０％から５０％未満であり、その周辺部分をマグネシューム合金で埋め込んだ状態とし、またウエイトエリア面積がフェース面全体の３０±２％の範囲にある凸起面の重量が凸起面全体重量の３０から６０％の範囲とし、そのフェースの重心点がフェースの中心から直径１６ｍｍ以内の領域にあることを特徴とするゴルフクラブヘッドのフェース。
【請求項１２６】
ゴルフクラブヘッドのクラウン部とソール部と外周の接合部分を除くフェース部の正面である表面にはステンレス合金かチタン合金使用し、フェースの裏面にはカーボン繊維などの比重の軽い物を使用し、フェース正面である表面と裏面の間にマグネシューム合金を挟んで接合した形状であり、さらにステンレス合金かチタン合金、亜鉛、銅等の比重４．５から１９．３までの金属や非鉄金属又はセラミックで直径１ｍｍ以上であり深さ０．２ｍｍ以上で凸起状となる錘を、垂直と水平のフェース断面図において２ヶ所以上の場所に接合するか一体とし、表面のステンレス合金かチタン合金の重量と凸起状錘の重量の合計がフェース全体重量の２０％から５０％未満であり、またウエイトエリア面積がフェース面全体の３０±２％の範囲にある凸起面の重量が凸起面全体重量の３０から６０％の範囲とし、そのフェースの重心点がフェースの中心から直径１６ｍｍ以内の領域にあることを特徴とするゴルフクラブヘッドのフェース。
【請求項１２７】
ゴルフクラブヘッドのクラウン部とソール部と外周の接合部分を除くフェース部の正面である表面にはステンレス合金かチタン合金使用し、フェースの裏面にはカーボン繊維などの比重の軽い物を使用し、フェース正面である表面と裏面の間にマグネシューム合金を挟んで接合した形状であり、さらにステンレス合金かチタン合金、亜鉛、銅等の比重４．５から１９．３までの金属や非鉄金属又はセラミックで直径１ｍｍ以上であり深さ０．２ｍｍ以上で凸起状となる錘の形状が円、楕円、五角、六角形やＵ字形の単または複数パターンであり、フェース表面のステンレス合金かチタン合金に接合か一体とし、表面のステンレス合金かチタン合金の重量と凸起状錘の重量の合計がフェース全体重量の２０％から５０％未満であり、またウエイトエリア面積がフェース面全体の３０±２％の範囲にある凸起面の重量が凸起面全体重量の３０から６０％の範囲とし、そのフェースの重心点がフェースの中心から直径１６ｍｍ以内の領域にあることを特徴とするゴルフクラブヘッドのフェース。
【請求項１２８】
ゴルフクラブヘッドのクラウン部とソール部と外周の接合部分を除くフェース部の正面である表面には、カーボン繊維などの比重の軽い素材を使用し、２層目にはステンレス合金かチタン合金を使用し、３層目にはマグネシューム合金を使用した物を接合し、２層目と３層目の間にステンレス合金かチタン合金、亜鉛、銅等の比重４．５から１９．３までの金属や非鉄金属又はセラミックで直径１ｍｍ以上であり深さ０．２ｍｍ以上で凸起状となる錘を、垂直と水平のフェース断面図において２ヶ所以上の場所に接合するか一体とし、２層目のステンレス合金かチタン合金の重量と凸起状錘の重量の合計がフェース全体重量の２０％から５０％未満であり、またウエイトエリア面積がフェース面全体の３０±２％の範囲にある凸起面の重量が凸起面全体重量の３０から６０％の範囲とし、そのフェースの重心点がフェースの中心から直径１６ｍｍ以内の領域にあることを特徴とするゴルフクラブヘッドのフェース。
【請求項１２９】
ゴルフクラブヘッドのクラウン部とソール部と外周の接合部分を除くフェース部の正面である表面には、カーボン繊維などの比重の軽い素材を使用し、２層目にはステンレス合金かチタン合金を使用し、３層目にはマグネシューム合金を使用した物を接合し、２層目と３層目の間にステンレス合金かチタン合金、亜鉛、銅等の比重４．５から１９．３までの金属や非鉄金属又はセラミックで直径１ｍｍ以上であり深さ０．２ｍｍ以上で凸起状となる錘の形状が円、楕円、五角、六角形やＵ字形の単または複数パターンであり、２層目のステンレス合金かチタン合金に接合か一体とし、２層目のステンレス合金かチタン合金の重量と凸起状錘の重量の合計がフェース全体重量の２０％から５０％未満であり、またウエイトエリア面積がフェース面全体の３０±２％の範囲にある凸起面の重量が凸起面全体重量の３０から６０％の範囲とし、そのフェースの重心点がフェースの中心から直径１６ｍｍ以内の領域にあることを特徴とするゴルフクラブヘッドのフェース。
【請求項１３０】
ゴルフクラブヘッドのクラウン部とソール部と外周の接合部分を除くフェース部の正面である表面には、カーボン繊維などの比重の軽い素材を使用し、２層目にはステンレス合金かチタン合金を使用し、３層目にはマグネシューム合金を使用した物を接合し、２層目と３層目の間にステンレス合金かチタン合金、亜鉛、銅等の比重４．５から１９．３までの金属や非鉄金属又はセラミックで直径１ｍｍ以上であり深さ０．２ｍｍ以上で凸起状となる錘を、垂直と水平のフェース断面図において２ヶ所以上の場所に接合するか一体とし、２層目のステンレス合金かチタン合金の重量と凸起状錘の重量の合計がフェース全体重量の２０％から５０％未満であり、またウエイトエリア面積がフェース面全体の３０±２％の範囲にある凸起面の重量が凸起面全体重量の３０から６０％の範囲とし、そのフェースの重心点がフェースの中心から直径１６ｍｍ以内の領域にあることを特徴とするゴルフクラブヘッドのフェース。
【請求項１３１】
ゴルフクラブヘッドのクラウン部とソール部と外周の接合部分を除くフェース部の正面である表面には、カーボン繊維などの比重の軽い素材を使用し、２層目にはステンレス合金かチタン合金を使用し、３層目にはマグネシューム合金を使用した物を接合し、２層目と３層目の間にステンレス合金かチタン合金、亜鉛、銅等の比重４．５から１９．３までの金属や非鉄金属又はセラミックで直径１ｍｍ以上であり深さ０．２ｍｍ以上で凸起状となる錘の形状が円、楕円、五角、六角形やＵ字形の単または複数パターンであり、２層目のステンレス合金かチタン合金に接合か一体とし、２層目のステンレス合金かチタン合金の重量と凸起状錘の重量の合計がフェース全体重量の２０％から５０％未満であり、またウエイトエリア面積がフェース面全体の３０±２％の範囲にある凸起面の重量が凸起面全体重量の３０から６０％の範囲とし、そのフェースの重心点がフェースの中心から直径１６ｍｍ以内の領域にあることを特徴とするゴルフクラブヘッドのフェース。
【請求項１３２】
ゴルフクラブヘッドのクラウン部とソール部と外周の接合部分を除くフェース部全体の主材料としてマグネシューム合金を使用し正面である表面にステンレス合金かチタン合金を接合し、さらに、ステンレス合金かチタン合金、亜鉛、銅等の比重４．５から１９．３までの金属や非鉄金属又はセラミックで直径１ｍｍ以上であり深さ０．２ｍｍ以上で凸起状となる錘を、垂直と水平のフェース断面図において２ヶ所以上の場所に接合か一体とし、表面のステンレス合金かチタン合金の重量と凸起状錘の重量の合計がフェース全体重量の２０％から５０％未満であり、その周辺部分をマグネシューム合金で埋め込み挟んだ状態とし、またウエイトエリア面積がフェース面全体の３０±２％の範囲にある凸起面の重量が凸起面全体重量の３０から６０％の範囲とし、そのフェースの重心点がフェースの中心から垂直に伸ばし天に向かった線を０度とした場合、０度からヒール側に架けて９０度の範囲で中心から直径１６ｍｍ以内の範囲を除く領域にあることを特徴とするゴルフクラブヘッドのフェース。
【請求項１３３】
ゴルフクラブヘッドのクラウン部とソール部と外周の接合部分を除くフェース部全体の主材料としてマグネシューム合金を使用し正面である表面にステンレス合金かチタン合金を接合し、さらに、ステンレス合金かチタン合金、亜鉛、銅等の比重４．５から１９．３までの金属や非鉄金属又はセラミックで直径１ｍｍ以上であり深さ０．２ｍｍ以上で凸起状となる錘の形状が円、楕円、五角、六角形やＵ字形の単または複数パターンであり、フェース表面のステンレス合金かチタン合金に接合するか一体とし、表面のステンレス合金かチタン合金の重量と凸起状錘の重量の合計がフェース全体重量の２０％から５０％未満であり、その周辺部分をマグネシューム合金で埋め込んだ状態とし、またウエイトエリア面積がフェース面全体の３０±２％の範囲にある凸起面の重量が凸起面全体重量の３０から６０％の範囲とし、そのフェースの重心点がフェースの中心から垂直に伸ばし天に向かった線を０度とした場合、０度からヒール側に架けて９０度の範囲で中心から直径１６ｍｍ以内の範囲を除く領域にあることを特徴とするゴルフクラブヘッドのフェース。
【請求項１３４】
ゴルフクラブヘッドのクラウン部とソール部と外周の接合部分を除くフェース部の正面である表面にはステンレス合金かチタン合金使用し、フェースの裏面にはカーボン繊維などの比重の軽い物を使用し、フェース正面である表面と裏面の間にマグネシューム合金を挟んで接合した形状であり、さらに、ステンレス合金かチタン合金、亜鉛、銅等の比重４．５から１９．３までの金属や非鉄金属又はセラミックで直径１ｍｍ以上であり深さ０．２ｍｍ以上で凸起状となる錘を、垂直と水平のフェース断面図において２ヶ所以上の場所に接合するか一体とし、表面のステンレス合金かチタン合金の重量と凸起状錘の重量の合計がフェース全体重量の２０％から５０％未満であり、またウエイトエリア面積がフェース面全体の３０±２％の範囲にある凸起面の重量が凸起面全体重量の３０から６０％の範囲とし、そのフェースの重心点がフェースの中心から垂直に伸ばし天に向かった線を０度とした場合、０度からヒール側に架けて９０度の範囲で中心から直径１６ｍｍ以内の範囲を除く領域にあることを特徴とするゴルフクラブヘッドのフェース。
【請求項１３５】
ゴルフクラブヘッドのクラウン部とソール部と外周の接合部分を除くフェース部の正面である表面にはステンレス合金かチタン合金使用し、フェースの裏面にはカーボン繊維などの比重の軽い物を使用し、フェース正面である表面と裏面の間にマグネシューム合金を挟んで接合した形状であり、さらに、ステンレス合金かチタン合金、亜鉛、銅等の比重４．５から１９．３までの金属や非鉄金属又はセラミックで直径１ｍｍ以上であり深さ０．２ｍｍ以上で凸起状となる錘の形状が円、楕円、五角、六角形やＵ字形の単または複数パターンであり、フェース表面のステンレス合金かチタン合金に接合か一体とし、表面のステンレス合金かチタン合金の重量と凸起状錘の重量の合計がフェース全体重量の２０％から５０％未満であり、またウエイトエリア面積がフェース面全体の３０±２％の範囲にある凸起面の重量が凸起面全体重量の３０から６０％の範囲とし、そのフェースの重心点がフェースの中心から垂直に伸ばし天に向かった線を０度とした場合、０度からヒール側に架けて９０度の範囲で中心から直径１６ｍｍ以内の範囲を除く領域にあることを特徴とするゴルフクラブヘッドのフェース。
【請求項１３６】
ゴルフクラブヘッドのクラウン部とソール部と外周の接合部分を除くフェース部の正面である表面には、カーボン繊維などの比重の軽い素材を使用し、２層目にはステンレス合金かチタン合金を使用し、３層目にはマグネシューム合金を使用した物を接合し、２層と３層の間にステンレス合金かチタン合金、亜鉛、銅等の比重４．５から１９．３までの金属や非鉄金属又はセラミックで直径１ｍｍ以上であり深さ０．２ｍｍ以上で凸起状となる錘を、垂直と水平のフェース断面図において２ヶ所以上の場所に接合するか一体とし、２層目のステンレス合金かチタン合金の重量と凸起状錘の重量の合計がフェース全体重量の２０％から５０％未満であり、またウエイトエリア面積がフェース面全体の３０±２％の範囲にある凸起面の重量が凸起面全体重量の３０から６０％の範囲とし、そのフェースの重心点がフェースの中心から垂直に伸ばし天に向かった線を０度とした場合、０度からヒール側に架けて９０度の範囲で中心から直径１６ｍｍ以内の範囲を除く領域にあることを特徴とするゴルフクラブヘッドのフェース。
【請求項１３７】
ゴルフクラブヘッドのクラウン部とソール部と外周の接合部分を除くフェース部の正面である表面には、カーボン繊維などの比重の軽い素材を使用し、２層目にはステンレス合金かチタン合金を使用し、３層目にはマグネシューム合金を使用した物を接合し、２層と３層の間にステンレス合金かチタン合金、亜鉛、銅等の比重４．５から１９．３までの金属や非鉄金属又はセラミックで直径１ｍｍ以上であり深さ０．２ｍｍ以上で凸起状となる錘の形状が円、楕円、五角、六角形やＵ字形の単または複数パターンであり、２層目のステンレス合金かチタン合金に接合か一体とし、２層目のステンレス合金かチタン合金の重量と凸起状錘の重量の合計がフェース全体重量の２０％から５０％未満であり、またウエイトエリア面積がフェース面全体の３０±２％の範囲にある凸起面の重量が凸起面全体重量の３０から６０％の範囲とし、そのフェースの重心点がフェースの中心から垂直に伸ばし天に向かった線を０度とした場合、０度からヒール側に架けて９０度の範囲で中心から直径１６ｍｍ以内の範囲を除く領域にあることを特徴とするゴルフクラブヘッドのフェース。
【請求項１３８】
ゴルフクラブヘッドのクラウン部とソール部と外周の接合部分を除くフェース部の正面である表面には、カーボン繊維などの比重の軽い素材を使用し、２層目にはステンレス合金かチタン合金を使用し、３層目にはマグネシューム合金を使用した物を接合し、２層目と３層目の間にステンレス合金かチタン合金、亜鉛、銅等の比重４．５から１９．３までの金属や非鉄金属又はセラミックで直径１ｍｍ以上であり深さ０．２ｍｍ以上で凸起状となる錘を、垂直と水平のフェース断面図において２ヶ所以上の場所に接合するか一体とし、２層目のステンレス合金かチタン合金の重量と凸起状錘の重量の合計がフェース全体重量の２０％から５０％未満であり、またウエイトエリア面積がフェース面全体の３０±２％の範囲にある凸起面の重量が凸起面全体重量の３０から６０％の範囲とし、そのフェースの重心点がフェースの中心から垂直に伸ばし天に向かった線を０度とした場合、０度からヒール側に架けて９０度の範囲で中心から直径１６ｍｍ以内の範囲を除く領域にあることを特徴とするゴルフクラブヘッドのフェース。
【請求項１３９】
ゴルフクラブヘッドのクラウン部とソール部と外周の接合部分を除くフェース部の正面である表面には、カーボン繊維などの比重の軽い素材を使用し、２層目にはステンレス合金かチタン合金を使用し、３層目にはマグネシューム合金を使用した物を接合し、２層目と３層目の間にステンレス合金かチタン合金、亜鉛、銅等の比重４．５から１９．３までの金属や非鉄金属又はセラミックで直径１ｍｍ以上であり深さ０．２ｍｍ以上で凸起状となる錘の形状が円、楕円、五角、六角形やＵ字形の単または複数パターンであり、２層目のステンレス合金かチタン合金に接合か一体とし、２層目のステンレス合金かチタン合金の重量と凸起状錘の重量の合計がフェース全体重量の２０％から５０％未満であり、またウエイトエリア面積がフェース面全体の３０±２％の範囲にある凸起面の重量が凸起面全体重量の３０から６０％の範囲とし、そのフェースの重心点がフェースの中心から垂直に伸ばし天に向かった線を０度とした場合、０度からヒール側に架けて９０度の範囲で中心から直径１６ｍｍ以内の範囲を除く領域にあることを特徴とするゴルフクラブヘッドのフェース。
【請求項１４０】
ゴルフクラブヘッドのクラウン部とソール部と外周の接合部分を除くフェース部全体の主材料としてマグネシューム合金を使用し正面である表面にステンレス合金かチタン合金を接合し、さらにステンレス合金かチタン合金、亜鉛、銅等の比重４．５から１９．３までの金属や非鉄金属又はセラミックで直径１ｍｍ以上であり深さ０．２ｍｍ以上で凸起状となる錘を、垂直と水平のフェース断面図において２ヶ所以上の場所に接合か一体とし、表面のステンレス合金かチタン合金の重量と凸起状錘の重量の合計がフェース全体重量の２０％から５０％未満であり、またウエイトエリア面積がフェース面全体の３０±２％の範囲にある凸起面の重量が凸起面全体重量の３０から６０％の範囲とし、そのフェースの重心点がフェースの中心から垂直に伸ばし天に向かった線を０度とした場合、直角となるヒール側９０度から１８０度の範囲で中心から直径１６ｍｍ以内の範囲を除く領域にあることを特徴とするゴルフクラブヘッドのフェース。
【請求項１４１】
ゴルフクラブヘッドのクラウン部とソール部と外周の接合部分を除くフェース部全体の主材料としてマグネシューム合金を使用し正面である表面にステンレス合金かチタン合金を接合し、さらにステンレス合金かチタン合金、亜鉛、銅等の比重４．５から１９．３までの金属や非鉄金属又はセラミックで直径１ｍｍ以上であり深さ０．２ｍｍ以上で凸起状となる錘の形状が円、楕円、五角、六角形やＵ字形の単または複数パターンであり、フェース表面のステンレス合金かチタン合金に接合か一体とし、表面のステンレス合金かチタン合金の重量と凸起状錘の重量の合計がフェース全体重量の２０％から５０％未満であり、またウエイトエリア面積がフェース面全体の３０±２％の範囲にある凸起面の重量が凸起面全体重量の３０から６０％の範囲とし、そのフェースの重心点がフェースの中心から垂直に伸ばし天に向かった線を０度とした場合、直角となるヒール側９０度から１８０度の範囲で中心から直径１６ｍｍ以内の範囲を除く領域にあることを特徴とするゴルフクラブヘッドのフェース。
【請求項１４２】
ゴルフクラブヘッドのクラウン部とソール部と外周の接合部分を除くフェース部の正面である表面にはステンレス合金かチタン合金使用し、フェースの裏面にはカーボン繊維などの比重の軽い物を使用し、フェース正面である表面と裏面の間にマグネシューム合金を挟んで接合した形状であり、さらにステンレス合金かチタン合金、亜鉛、銅等の比重４．５から１９．３までの金属や非鉄金属又はセラミックで直径１ｍｍ以上であり深さ０．２ｍｍ以上で凸起状となる錘を、垂直と水平のフェース断面図において２ヶ所以上の場所に接合するか一体とし、表面のステンレス合金かチタン合金の重量と凸起状錘の重量の合計がフェース全体重量の２０％から５０％未満であり、またウエイトエリア面積がフェース面全体の３０±２％の範囲にある凸起面の重量が凸起面全体重量の３０から６０％の範囲とし、そのフェースの重心点がフェースの中心から垂直に伸ばし天に向かった線を０度とした場合、直角となるヒール側９０度から１８０度の範囲で中心から直径１６ｍｍ以内の範囲を除く領域にあることを特徴とするゴルフクラブヘッドのフェース。
【請求項１４３】
ゴルフクラブヘッドのクラウン部とソール部と外周の接合部分を除くフェース部の正面である表面にはステンレス合金かチタン合金使用し、フェースの裏面にはカーボン繊維などの比重の軽い物を使用し、フェース正面である表面と裏面の間にマグネシューム合金を挟んで接合した形状であり、その間にステンレス合金かチタン合金、亜鉛、銅等の比重４．５から１９．３までの金属や非鉄金属又はセラミックで直径１ｍｍ以上であり深さ０．２ｍｍ以上で凸起状となる錘の形状が円、楕円、五角、六角形やＵ字形の単または複数パターンであり、フェース表面のステンレス合金かチタン合金に接合か一体とし、表面のステンレス合金かチタン合金の重量と凸起状錘の重量の合計がフェース全体重量の２０％から５０％未満であり、またウエイトエリア面積がフェース面全体の３０±２％の範囲にある凸起面の重量が凸起面全体重量の３０から６０％の範囲とし、そのフェースの重心点がフェースの中心から垂直に伸ばし天に向かった線を０度とした場合、直角となるヒール側９０度から１８０度の範囲で中心から直径１６ｍｍ以内の範囲を除く領域にあることを特徴とするゴルフクラブヘッドのフェース。
【請求項１４４】
ゴルフクラブヘッドのクラウン部とソール部と外周の接合部分を除くフェース部の正面である表面には、カーボン繊維などの比重の軽い素材を使用し、２層目にはステンレス合金かチタン合金を使用し、３層目にはマグネシューム合金を使用した物を接合し、２層目と３層目の間にステンレス合金かチタン合金、亜鉛、銅等の比重４．５から１９．３までの金属や非鉄金属又はセラミックで直径１ｍｍ以上であり深さ０．２ｍｍ以上で凸起状となる錘を、垂直と水平のフェース断面図において２ヶ所以上の場所に接合するか一体とし、２層目のステンレス合金かチタン合金の重量と凸起状錘の重量の合計がフェース全体重量の２０％から５０％未満であり、またウエイトエリア面積がフェース面全体の３０±２％の範囲にある凸起面の重量が凸起面全体重量の３０から６０％の範囲とし、そのフェースの重心点がフェースの中心から垂直に伸ばし天に向かった線を０度とした場合、直角となるヒール側９０度から１８０度の範囲で中心から直径１６ｍｍ以内の範囲を除く領域にあることを特徴とするゴルフクラブヘッドのフェース。
【請求項１４５】
ゴルフクラブヘッドのクラウン部とソール部と外周の接合部分を除くフェース部の正面である表面には、カーボン繊維などの比重の軽い素材を使用し、２層目にはステンレス合金かチタン合金を使用し、３層目にはマグネシューム合金を使用した物を接合し、２層目と３層目の間にステンレス合金かチタン合金、亜鉛、銅等の比重４．５から１９．３までの金属や非鉄金属又はセラミックで直径１ｍｍ以上であり深さ０．２ｍｍ以上で凸起状となる錘の形状が円、楕円、五角、六角形やＵ字形の単または複数パターンであり、２層目のステンレス合金かチタン合金に接合か一体とし、２層目のステンレス合金かチタン合金の重量と凸起状錘の重量の合計がフェース全体重量の２０％から５０％未満であり、またウエイトエリア面積がフェース面全体の３０±２％の範囲にある凸起面の重量が凸起面全体重量の３０から６０％の範囲とし、そのフェースの重心点がフェースの中心から垂直に伸ばし天に向かった線を０度とした場合、直角となるヒール側９０度から１８０度の範囲で中心から直径１６ｍｍ以内の範囲を除く領域にあることを特徴とするゴルフクラブヘッドのフェース。
【請求項１４６】
ゴルフクラブヘッドのクラウン部とソール部と外周の接合部分を除くフェース部の正面である表面には、カーボン繊維などの比重の軽い素材を使用し、２層目にはステンレス合金かチタン合金を使用し、３層目にはマグネシューム合金を使用した物を接合し、２層目と３層目の間にステンレス合金かチタン合金、亜鉛、銅等の比重４．５から１９．３までの金属や非鉄金属又はセラミックで直径１ｍｍ以上であり深さ０．２ｍｍ以上で凸起状となる錘を、垂直と水平のフェース断面図において２ヶ所以上の場所に接合するか一体とし、２層目のステンレス合金かチタン合金の重量と凸起状錘の重量の合計がフェース全体重量の２０％から５０％未満であり、またウエイトエリア面積がフェース面全体の３０±２％の範囲にある凸起面の重量が凸起面全体重量の３０から６０％の範囲とし、そのフェースの重心点がフェースの中心から垂直に伸ばし天に向かった線を０度とした場合、直角となるヒール側９０度から１８０度の範囲で中心から直径１６ｍｍ以内の範囲を除く領域にあることを特徴とするゴルフクラブヘッドのフェース。
【請求項１４７】
ゴルフクラブヘッドのクラウン部とソール部と外周の接合部分を除くフェース部の正面である表面には、カーボン繊維などの比重の軽い素材を使用し、２層目にはステンレス合金かチタン合金を使用し、３層目にはマグネシューム合金を使用した物を接合し、２層目と３層目の間にステンレス合金かチタン合金、亜鉛、銅等の比重４．５から１９．３までの金属や非鉄金属又はセラミックで直径１ｍｍ以上であり深さ０．２ｍｍ以上で凸起状となる錘の形状が円、楕円、五角、六角形やＵ字形の単または複数パターンであり、２層目のステンレス合金かチタン合金に接合か一体とし、２層目のステンレス合金かチタン合金の重量と凸起状錘の重量の合計がフェース全体重量の２０％から５０％未満であり、またウエイトエリア面積がフェース面全体の３０±２％の範囲にある凸起面の重量が凸起面全体重量の３０から６０％の範囲とし、そのフェースの重心点がフェースの中心から垂直に伸ばし天に向かった線を０度とした場合、直角となるヒール側９０度から１８０度の範囲で中心から直径１６ｍｍ以内の範囲を除く領域にあることを特徴とするゴルフクラブヘッドのフェース。
【請求項１４８】
ゴルフクラブヘッドのクラウン部とソール部と外周の接合部分を除くフェース部全体の主材料としてマグネシューム合金を使用し正面である表面にステンレス合金かチタン合金を接合し、さらにステンレス合金かチタン合金、亜鉛、銅等の比重４．５から１９．３までの金属や非鉄金属又はセラミックで直径１ｍｍ以上であり深さ０．２ｍｍ以上で凸起状となる錘を、垂直と水平のフェース断面図において２ヶ所以上の場所に接合か一体とし、表面のステンレス合金かチタン合金の重量と凸起状錘の重量の合計がフェース全体重量の２０％から５０％未満であり、またウエイトエリア面積がフェース面全体の３０±２％の範囲にある凸起面の重量が凸起面全体重量の３０から６０％の範囲とし、そのフェースの重心点がフェースの中心から垂直に伸ばし天に向かった線を０度とした場合、０度からトウ側に架けて９０度の範囲で中心から直径１６ｍｍ以内の範囲を除く領域にあることを特徴とするゴルフクラブヘッドのフェース。
【請求項１４９】
ゴルフクラブヘッドのクラウン部とソール部と外周の接合部分を除くフェース部全体の主材料としてマグネシューム合金を使用し正面である表面にステンレス合金かチタン合金を接合し、さらにステンレス合金かチタン合金、亜鉛、銅等の比重４．５から１９．３までの金属や非鉄金属又はセラミックで直径１ｍｍ以上であり深さ０．２ｍｍ以上で凸起状となる錘の形状が円、楕円、五角、六角形やＵ字形の単または複数パターンであり、フェース表面のステンレス合金かチタン合金に接合か一体とし、表面のステンレス合金かチタン合金の重量と凸起状錘の重量の合計がフェース全体重量の２０％から５０％未満であり、またウエイトエリア面積がフェース面全の３０±２％の範囲にある凸起面の重量が凸起面全体重量の３０から６０％の範囲とし、そのフェースの重心点がフェースの中心から垂直に伸ばし天に向かった線を０度とした場合、０度からトウ側に架けて９０度の範囲で中心から直径１６ｍｍ以内の範囲を除く領域にあることを特徴とするゴルフクラブヘッドのフェース。
【請求項１５０】
ゴルフクラブヘッドのクラウン部とソール部と外周の接合部分を除くフェース部の正面である表面にはステンレス合金かチタン合金使用し、フェースの裏面にはカーボン繊維などの比重の軽い物を使用し、フェース正面である表面と裏面の間にマグネシューム合金を挟んで接合した形状であり、さらにステンレス合金かチタン合金、亜鉛、銅等の比重４．５から１９．３までの金属や非鉄金属又はセラミックで直径１ｍｍ以上であり深さ０．２ｍｍ以上で凸起状となる錘を、垂直と水平のフェース断面図において２ヶ所以上の場所に接合するか一体とし、表面のステンレス合金かチタン合金の重量と凸起状錘の重量の合計がフェース全体重量の２０％から５０％未満であり、またウエイトエリア面積がフェース面全体の３０±２％の範囲にある凸起面の重量が凸起面全体重量の３０から６０％の範囲とし、そのフェースの重心点がフェースの中心から垂直に伸ばし天に向かった線を０度とした場合、０度からトウ側に架けて９０度の範囲で中心から直径１６ｍｍ以内の範囲を除く領域にあることを特徴とするゴルフクラブヘッドのフェース。
【請求項１５１】
ゴルフクラブヘッドのクラウン部とソール部と外周の接合部分を除くフェース部の正面である表面にはステンレス合金かチタン合金使用し、フェースの裏面にはカーボン繊維などの比重の軽い物を使用し、フェース正面である表面と裏面の間にマグネシューム合金を挟んで接合した形状であり、さらにステンレス合金かチタン合金、亜鉛、銅等の比重４．５から１９．３までの金属や非鉄金属又はセラミックで直径１ｍｍ以上であり深さ０．２ｍｍ以上で凸起状となる錘の形状が円、楕円、五角、六角形やＵ字形の単または複数パターンであり、フェース表面のステンレス合金かチタン合金に接合か一体とし、表面のステンレス合金かチタン合金の重量と凸起状錘の重量の合計がフェース全体重量の２０％から５０％未満であり、またウエイトエリア面積がフェース面全体の３０±２％の範囲にある凸起面の重量が凸起面全体重量の３０から６０％の範囲とし、そのフェースの重心点がフェースの中心から垂直に伸ばし天に向かった線を０度とした場合、０度からトウ側に架けて９０度の範囲で中心から直径１６ｍｍ以内の範囲を除く領域にあることを特徴とするゴルフクラブヘッドのフェース。
【請求項１５２】
ゴルフクラブヘッドのクラウン部とソール部と外周の接合部分を除くフェース部の正面である表面には、カーボン繊維などの比重の軽い素材を使用し、２層目にはステンレス合金かチタン合金を使用し、３層目にはマグネシューム合金を使用した物を接合し、２層目と３層目の間にステンレス合金かチタン合金、亜鉛、銅等の比重４．５から１９．３までの金属や非鉄金属又はセラミックで直径１ｍｍ以上であり深さ０．２ｍｍ以上で凸起状となる錘を、垂直と水平のフェース断面図において２ヶ所以上の場所に接合するか一体とし、２層目のステンレス合金かチタン合金の重量と凸起状錘の重量の合計がフェース全体重量の２０％から５０％未満であり、またウエイトエリア面積がフェース面全体の３０±２％の範囲にある凸起面の重量が凸起面全体重量の３０から６０％の範囲とし、そのフェースの重心点がフェースの中心から垂直に伸ばし天に向かった線を０度とした場合、０度からトウ側に架けて９０度の範囲で中心から直径１６ｍｍ以内の範囲を除く領域にあることを特徴とするゴルフクラブヘッドのフェース。
【請求項１５３】
ゴルフクラブヘッドのクラウン部とソール部と外周の接合部分を除くフェース部の正面である表面には、カーボン繊維などの比重の軽い素材を使用し、２層目にはステンレス合金かチタン合金を使用し、３層目にはマグネシューム合金を使用した物を接合し、２層目と３層目の間にステンレス合金かチタン合金、亜鉛、銅等の比重４．５から１９．３までの金属や非鉄金属又はセラミックで直径１ｍｍ以上であり深さ０．２ｍｍ以上で凸起状となる錘の形状が円、楕円、五角、六角形やＵ字形の単または複数パターンであり、２層目のステンレス合金かチタン合金に接合か一体とし、２層目のステンレス合金かチタン合金の重量と凸起状錘の重量の合計がフェース全体重量の２０％から５０％未満であり、またウエイトエリア面積がフェース面全体の３０±２％の範囲にある凸起面の重量が凸起面全体重量の３０から６０％の範囲とし、そのフェースの重心点がフェースの中心から垂直に伸ばし天に向かった線を０度とした場合、０度からトウ側に架けて９０度の範囲で中心から直径１６ｍｍ以内の範囲を除く領域にあることを特徴とするゴルフクラブヘッドのフェース。
【請求項１５４】
ゴルフクラブヘッドのクラウン部とソール部と外周の接合部分を除くフェース部の正面である表面には、カーボン繊維などの比重の軽い素材を使用し、２層目にはステンレス合金かチタン合金を使用し、３層目にはマグネシューム合金を使用した物を接合し、２層目と３層目の間にステンレス合金かチタン合金、亜鉛、銅等の比重４．５から１９．３までの金属や非鉄金属又はセラミックで直径１ｍｍ以上であり深さ０．２ｍｍ以上で凸起状となる錘を、垂直と水平のフェース断面図において２ヶ所以上の場所に接合するか一体とし、２層目のステンレス合金かチタン合金の重量と凸起状錘の重量の合計がフェース全体重量の２０％から５０％未満であり、またウエイトエリア面積がフェース面全体の３０±２％の範囲にある凸起面の重量が凸起面全体重量の３０から６０％の範囲とし、そのフェースの重心点がフェースの中心から垂直に伸ばし天に向かった線を０度とした場合、０度からトウ側に架けて９０度の範囲で中心から直径１６ｍｍ以内の範囲を除く領域にあることを特徴とするゴルフクラブヘッドのフェース。
【請求項１５５】
ゴルフクラブヘッドのクラウン部とソール部と外周の接合部分を除くフェース部の正面である表面には、カーボン繊維などの比重の軽い素材を使用し、２層目にはステンレス合金かチタン合金を使用し、３層目にはマグネシューム合金を使用した物を接合し、２層目と３層目の間にステンレス合金かチタン合金、亜鉛、銅等の比重４．５から１９．３までの金属や非鉄金属又はセラミックで直径１ｍｍ以上であり深さ０．２ｍｍ以上で凸起状となる錘の形状が円、楕円、五角、六角形やＵ字形の単または複数パターンであり、２層目のステンレス合金かチタン合金に接合か一体とし、２層目のステンレス合金かチタン合金の重量と凸起状錘の重量の合計がフェース全体重量の２０％から５０％未満であり、またウエイトエリア面積がフェース面全体の３０±２％の範囲にある凸起面の重量が凸起面全体重量の３０から６０％の範囲とし、そのフェースの重心点がフェースの中心から垂直に伸ばし天に向かった線を０度とした場合、０度からトウ側に架けて９０度の範囲で中心から直径１６ｍｍ以内の範囲を除く領域にあることを特徴とするゴルフクラブヘッドのフェース。
【請求項１５６】
ゴルフクラブヘッドのクラウン部とソール部と外周の接合部分を除くフェース部全体の主材料としてマグネシューム合金を使用し正面である表面にステンレス合金かチタン合金を接合し、さらにステンレス合金かチタン合金、亜鉛、銅等の比重４．５から１９．３までの金属や非鉄金属又はセラミックで直径１ｍｍ以上であり深さ０．２ｍｍ以上で凸起状となる錘を、垂直と水平のフェース断面図において２ヶ所以上の場所に接合か一体とし、表面のステンレス合金かチタン合金の重量と凸起状錘の重量の合計がフェース全体重量の２０％から５０％未満であり、またウエイトエリア面積がフェース面全体の３０±２％の範囲にある凸起面の重量が凸起面全体重量の３０から６０％の範囲とし、そのフェースの重心点がフェースの中心から垂直に伸ばし天に向かった線を０度とした場合、直角となるトウ側９０度から１８０度の範囲で中心から直径１６ｍｍ以内の範囲を除く領域にあることを特徴とするゴルフクラブヘッドのフェース。
【請求項１５７】
ゴルフクラブヘッドのクラウン部とソール部と外周の接合部分を除くフェース部全体の主材料としてマグネシューム合金を使用し正面である表面にステンレス合金かチタン合金を接合し、さらにステンレス合金かチタン合金、亜鉛、銅等の比重４．５から１９．３までの金属や非鉄金属又はセラミックで直径１ｍｍ以上であり深さ０．２ｍｍ以上で凸起状となる錘の形状が円、楕円、五角、六角形やＵ字形の単または複数パターンであり、フェース表面のステンレス合金かチタン合金に接合か一体とし、表面のステンレス合金かチタン合金の重量と凸起状錘の重量の合計がフェース全体重量の２０％から５０％未満であり、またウエイトエリア面積がフェース面全体の３０±２％の範囲にある凸起面の重量が凸起面全体重量の３０から６０％の範囲とし、そのフェースの重心点がフェースの中心から垂直に伸ばし天に向かった線を０度とした場合、直角となるトウ側９０度から１８０度の範囲で中心から直径１６ｍｍ以内の範囲を除く領域にあることを特徴とするゴルフクラブヘッドのフェース。
【請求項１５８】
ゴルフクラブヘッドのクラウン部とソール部と外周の接合部分を除くフェース部の正面である表面にはステンレス合金かチタン合金使用し、フェースの裏面にはカーボン繊維などの比重の軽い物を使用し、フェース正面である表面と裏面の間にマグネシューム合金を挟んで接合した形状であり、さらにステンレス合金かチタン合金、亜鉛、銅等の比重４．５から１９．３までの金属や非鉄金属又はセラミックで直径１ｍｍ以上であり深さ０．２ｍｍ以上で凸起状となる錘を、垂直と水平のフェース断面図において２ヶ所以上の場所に接合するか一体とし、表面のステンレス合金かチタン合金の重量と凸起状錘の重量の合計がフェース全体重量の２０％から５０％未満であり、またウエイトエリア面積がフェース面全体の３０±２％の範囲にある凸起面の重量が凸起面全体重量の３０から６０％の範囲とし、そのフェースの重心点がフェースの中心から垂直に伸ばし天に向かった線を０度とした場合、直角となるトウ側９０度から１８０度の範囲で中心から直径１６ｍｍ以内の範囲を除く領域にあることを特徴とするゴルフクラブヘッドのフェース。
【請求項１５９】
ゴルフクラブヘッドのクラウン部とソール部と外周の接合部分を除くフェース部の正面である表面にはステンレス合金かチタン合金使用し、フェースの裏面にはカーボン繊維などの比重の軽い物を使用し、フェース正面である表面と裏面の間にマグネシューム合金を挟んで接合した形状であり、さらに、ステンレス合金かチタン合金、亜鉛、銅等の比重４．５から１９．３までの金属や非鉄金属又はセラミックで直径１ｍｍ以上であり深さ０．２ｍｍ以上で凸起状となる錘の形状が円、楕円、五角、六角形やＵ字形の単または複数パターンであり、フェース表面のステンレス合金かチタン合金に接合か一体とし、表面のステンレス合金かチタン合金の重量と凸起状錘の重量の合計がフェース全体重量の２０％から５０％未満であり、またウエイトエリア面積がフェース面全体の３０±２％の範囲にある凸起面の重量が凸起面全体重量の３０から６０％の範囲とし、そのフェースの重心点がフェースの中心から垂直に伸ばし天に向かった線を０度とした場合、直角となるトウ側９０度から１８０度の範囲で中心から直径１６ｍｍ以内の範囲を除く領域にあることを特徴とするゴルフクラブヘッドのフェース。
【請求項１６０】
ゴルフクラブヘッドのクラウン部とソール部と外周の接合部分を除くフェース部の正面である表面には、カーボン繊維などの比重の軽い素材を使用し、２層目にはステンレス合金かチタン合金を使用し、３層目にはマグネシューム合金を使用した物を接合し、２層目と３層目の間にステンレス合金かチタン合金、亜鉛、銅等の比重４．５から１９．３までの金属や非鉄金属又はセラミックで直径１ｍｍ以上であり深さ０．２ｍｍ以上で凸起状となる錘を、垂直と水平のフェース断面図において２ヶ所以上の場所に接合するか一体とし、２層目のステンレス合金かチタン合金の重量と凸起状錘の重量の合計がフェース全体重量の２０％から５０％未満であり、またウエイトエリア面積がフェース面全体の３０±２％の範囲にある凸起面の重量が凸起面全体重量の３０から６０％の範囲とし、そのフェースの重心点がフェースの中心から垂直に伸ばし天に向かった線を０度とした場合、直角となるトウ側９０度から１８０度の範囲で中心から直径１６ｍｍ以内の範囲を除く領域にあることを特徴とするゴルフクラブヘッドのフェース。
【請求項１６１】
ゴルフクラブヘッドのクラウン部とソール部と外周の接合部分を除くフェース部の正面である表面には、カーボン繊維などの比重の軽い素材を使用し、２層目にはステンレス合金かチタン合金を使用し、３層目にはマグネシューム合金を使用した物を接合し、２層目と３層目の間にステンレス合金かチタン合金、亜鉛、銅等の比重４．５から１９．３までの金属や非鉄金属又はセラミックで直径１ｍｍ以上であり深さ０．２ｍｍ以上で凸起状となる錘の形状が円、楕円、五角、六角形やＵ字形の単または複数パターンであり、２層目のステンレス合金かチタン合金に接合か一体とし、２層目のステンレス合金かチタン合金の重量と凸起状錘の重量の合計がフェース全体重量の２０％から５０％未満であり、またウエイトエリア面積がフェース面全体の３０±％の範囲にある凸起面の重量が凸起面全体重量の３０から６０％の範囲とし、そのフェースの重心点がフェースの中心から垂直に伸ばし天に向かった線を０度とした場合、直角となるトウ側９０度から１８０度の範囲で中心から直径１６ｍｍ以内の範囲を除く領域にあることを特徴とするゴルフクラブヘッドのフェース。
【請求項１６２】
ゴルフクラブヘッドのクラウン部とソール部と外周の接合部分を除くフェース部の正面である表面には、カーボン繊維などの比重の軽い素材を使用し、２層目にはステンレス合金かチタン合金を使用し、３層目にはマグネシューム合金を使用した物を接合し、２層目と３層目の間にステンレス合金かチタン合金、亜鉛、銅等の比重４．５から１９．３までの金属や非鉄金属又はセラミックで直径１ｍｍ以上であり深さ０．２ｍｍ以上で凸起状となる錘を、垂直と水平のフェース断面図において２ヶ所以上の場所に接合するか一体とし、２層目のステンレス合金かチタン合金の重量と凸起状錘の重量の合計がフェース全体重量の２０％から５０％未満であり、またウエイトエリア面積がフェース面全体の３０±２％の範囲にある凸起面の重量が凸起面全体重量の３０から６０％の範囲とし、そのフェースの重心点がフェースの中心から垂直に伸ばし天に向かった線を０度とした場合、直角となるトウ側９０度から１８０度の範囲で中心から直径１６ｍｍ以内の範囲を除く領域にあることを特徴とするゴルフクラブヘッドのフェース。
【請求項１６３】
ゴルフクラブヘッドのクラウン部とソール部と外周の接合部分を除くフェース部の正面である表面には、カーボン繊維などの比重の軽い素材を使用し、２層目にはステンレス合金かチタン合金を使用し、３層目にはマグネシューム合金を使用した物を接合し、２層目と３層目の間にステンレス合金かチタン合金、亜鉛、銅等の比重４．５から１９．３までの金属や非鉄金属又はセラミックで直径１ｍｍ以上であり深さ０．２ｍｍ以上で凸起状となる錘の形状が円、楕円、五角、六角形やＵ字形の単または複数パターンであり、２層目のステンレス合金かチタン合金に接合か一体とし、２層目のステンレス合金かチタン合金の重量と凸起状錘の重量の合計がフェース全体重量の２０％から５０％未満であり、またウエイトエリア面積がフェース面全体の３０±２の範囲にある凸起面の重量が凸起面全体重量の３０から６０％の範囲とし、そのフェースの重心点がフェースの中心から垂直に伸ばし天に向かった線を０度とした場合、直角となるトウ側９０度から１８０度の範囲で中心から直径１６ｍｍ以内の範囲を除く領域にあることを特徴とするゴルフクラブヘッドのフェース。
【請求項１６４】
ゴルフクラブヘッドのクラウン部とソール部と外周の接合部分を除くフェース部全体の主材料としてマグネシューム合金を使用し正面である表面にステンレス合金かチタン合金を接合し、さらに、ステンレス合金かチタン合金、亜鉛、銅等の比重４．５から１９．３までの金属や非鉄金属又はセラミックで直径１ｍｍ以上であり深さ０．２ｍｍ以上で凸起状となる錘を、垂直と水平のフェース断面図において２ヶ所以上の場所に接合か一体とし、表面のステンレス合金かチタン合金の重量と凸起状錘の重量の合計がフェース全体重量の５０％以上から８０％未満であり、その周辺部分をマグネシューム合金で埋め込み挟んだ状態とし、またウエイトエリア面積がフェース面全体の３０±２％の範囲にある凸起面の重量が凸起面全体重量の３０から６０％の範囲とし、そのフェースの重心点がフェースの中心から直径１６ｍｍ以内の領域にあることを特徴とするゴルフクラブヘッドのフェース。
【請求項１６５】
ゴルフクラブヘッドのクラウン部とソール部と外周の接合部分を除くフェース部全体の主材料としてマグネシューム合金を使用し正面である表面にステンレス合金かチタン合金を接合し、さらに、ステンレス合金かチタン合金、亜鉛、銅等の比重４．５から１９．３までの金属や非鉄金属又はセラミックで直径１ｍｍ以上であり深さ０．２ｍｍ以上で凸起状となる錘の形状が円、楕円、五角、六角形やＵ字形の単または複数パターンであり、フェース表面のステンレス合金かチタン合金に接合するか一体とし、表面のステンレス合金かチタン合金の重量と凸起状錘の重量の合計がフェース全体重量の５０％以上から８０％未満であり、その周辺部分をマグネシューム合金で埋め込んだ状態とし、またウエイトエリア面積がフェース面全体の３０±２％の範囲にある凸起面の重量が凸起面全体重量の３０から６０％の範囲とし、そのフェースの重心点がフェースの中心から直径１６ｍｍ以内の領域にあることを特徴とするゴルフクラブヘッドのフェース。
【請求項１６６】
ゴルフクラブヘッドのクラウン部とソール部と外周の接合部分を除くフェース部の正面である表面にはステンレス合金かチタン合金使用し、フェースの裏面にはカーボン繊維などの比重の軽い物を使用し、フェース正面である表面と裏面の間にマグネシューム合金を挟んで接合した形状であり、さらにステンレス合金かチタン合金、亜鉛、銅等の比重４．５から１９．３までの金属や非鉄金属又はセラミックで直径１ｍｍ以上であり深さ０．２ｍｍ以上で凸起状となる錘を、垂直と水平のフェース断面図において２ヶ所以上の場所に接合するか一体とし、表面のステンレス合金かチタン合金の重量と凸起状錘の重量の合計がフェース全体重量の５０％以上から８０％未満であり、またウエイトエリア面積がフェース面全体の３０±２％の範囲にある凸起面の重量が凸起面全体重量の３０から６０％の範囲とし、そのフェースの重心点がフェースの中心から直径１６ｍｍ以内の領域にあることを特徴とするゴルフクラブヘッドのフェース。
【請求項１６７】
ゴルフクラブヘッドのクラウン部とソール部と外周の接合部分を除くフェース部の正面である表面にはステンレス合金かチタン合金使用し、フェースの裏面にはカーボン繊維などの比重の軽い物を使用し、マグネシューム合金を挟んで接合した形状であり、さらにステンレス合金かチタン合金、亜鉛、銅等の比重４．５から１９．３までの金属や非鉄金属又はセラミックで直径１ｍｍ以上であり深さ０．２ｍｍ以上で凸起状となる錘の形状が円、楕円、五角、六角形やＵ字形の単または複数パターンであり、フェース表面のステンレス合金かチタン合金に接合か一体とし、表面のステンレス合金かチタン合金の重量と凸起状錘の重量の合計がフェース全体重量の５０％以上から８０％未満であり、またウエイトエリア面積がフェース面全体の３０±２％の範囲にある凸起面の重量が凸起面全体重量の３０から６０％の範囲とし、そのフェースの重心点がフェースの中心から直径１６ｍｍ以内の領域にあることを特徴とするゴルフクラブヘッドのフェース。
【請求項１６８】
ゴルフクラブヘッドのクラウン部とソール部と外周の接合部分を除くフェース部の正面である表面には、カーボン繊維などの比重の軽い素材を使用し、２層目にはステンレス合金かチタン合金を使用し、３層目にはマグネシューム合金を使用した物を接合し、２層と３層の間にステンレス合金かチタン合金、亜鉛、銅等の比重４．５から１９．３までの金属や非鉄金属又はセラミックで直径１ｍｍ以上であり深さ０．２ｍｍ以上で凸起状となる錘を、垂直と水平のフェース断面図において２ヶ所以上の場所に接合するか一体とし、２層のステンレス合金かチタン合金の重量と凸起状錘の重量の合計がフェース全体重量の５０％以上から８０％未満であり、またウエイトエリア面積がフェース面全体の３０±２％の範囲にある凸起面の重量が凸起面全体重量の３０から６０％の範囲とし、そのフェースの重心点がフェースの中心から直径１６ｍｍ以内の領域にあることを特徴とするゴルフクラブヘッドのフェース。
【請求項１６９】
ゴルフクラブヘッドのクラウン部とソール部と外周の接合部分を除くフェース部の表面には、カーボン繊維などの比重の軽い素材を使用し、２層目にはステンレス合金かチタン合金を使用し、３層目にはマグネシューム合金を使用した物を接合し、２層目と３層目の間にステンレス合金かチタン合金、亜鉛、銅等の比重４．５から１９．３までの金属や非鉄金属又はセラミックで直径１ｍｍ以上であり深さ０．２ｍｍ以上で凸起状となる錘の形状が円、楕円、五角、六角形やＵ字形の単または複数パターンであり、２層目のステンレス合金かチタン合金に接合か一体とし、２層目のステンレス合金かチタン合金の重量と凸起状錘の重量の合計がフェース全体重量の５０％以上から８０％未満であり、またウエイトエリア面積がフェース面全体の３０±２％の範囲にある凸起面の重量が凸起面全体重量の３０から６０％の範囲とし、そのフェースの重心点がフェースの中心から直径１６ｍｍ以内の領域にあることを特徴とするゴルフクラブヘッドのフェース。
【請求項１７０】
ゴルフクラブヘッドのクラウン部とソール部と外周の接合部分を除くフェース部の正面である表面には、カーボン繊維などの比重の軽い素材を使用し、２層目にはステンレス合金かチタン合金を使用し、３層目にはマグネシューム合金を使用した物を接合し、２層目と３層目の間にステンレス合金かチタン合金、亜鉛、銅等の比重４．５から１９．３までの金属や非鉄金属又はセラミックで直径１ｍｍ以上であり深さ０．２ｍｍ以上で凸起状となる錘を、垂直と水平のフェース断面図において２ヶ所以上の場所に接合するか一体とし、２層目のステンレス合金かチタン合金の重量と凸起状錘の重量の合計がフェース全体重量の５０％以上から８０％未満であり、またウエイトエリア面積がフェース面全体の３０±２％の範囲にある凸起面の重量が凸起面全体重量の３０から６０％の範囲とし、そのフェースの重心点がフェースの中心から直径１６ｍｍ以内の領域にあることを特徴とするゴルフクラブヘッドのフェース。
【請求項１７１】
ゴルフクラブヘッドのクラウン部とソール部と外周の接合部分を除くフェース部の正面である表面には、カーボン繊維などの比重の軽い素材を使用し、２層目にはステンレス合金かチタン合金を使用し、３層目にはマグネシューム合金を使用した物を接合し、２層目と３層目の間にステンレス合金かチタン合金、亜鉛、銅等の比重４．５から１９．３までの金属や非鉄金属又はセラミックで直径１ｍｍ以上であり深さ０．２ｍｍ以上で凸起状となる錘の形状が円、楕円、五角、六角形やＵ字形の単または複数パターンであり、２層目のステンレス合金かチタン合金に接合か一体とし、２層目のステンレス合金かチタン合金の重量と凸起状錘の重量の合計がフェース全体重量の５０％以上から８０％未満であり、またウエイトエリア面積がフェース面全体の３０±２％の範囲にある凸起面の重量が凸起面全体重量の３０から６０％の範囲とし、そのフェースの重心点がフェースの中心から直径１６ｍｍ以内の領域にあることを特徴とするゴルフクラブヘッドのフェース。
【請求項１７２】
ゴルフクラブヘッドのクラウン部とソール部と外周の接合部分を除くフェース部全体の主材料としてマグネシューム合金を使用し正面である表面にステンレス合金かチタン合金を接合し、さらに、ステンレス合金かチタン合金、亜鉛、銅等の比重４．５から１９．３までの金属や非鉄金属又はセラミックで直径１ｍｍ以上であり深さ０．２ｍｍ以上で凸起状となる錘を、垂直と水平のフェース断面図において２ヶ所以上の場所に接合か一体とし、表面のステンレス合金かチタン合金の重量と凸起状錘の重量の合計がフェース全体重量の５０％以上から８０％未満であり、その周辺部分をマグネシューム合金で埋め込み挟んだ状態とし、またウエイトエリア面積がフェース面全体の３０±２％の範囲にある凸起面の重量が凸起面全体重量の３０から６０％の範囲とし、そのフェースの重心点がフェースの中心から垂直に伸ばし天に向かった線を０度とした場合、０度からヒール側に架けて９０度の範囲で中心から直径１６ｍｍ以内の範囲を除く領域にあることを特徴とするゴルフクラブヘッドのフェース。
【請求項１７３】
ゴルフクラブヘッドのクラウン部とソール部と外周の接合部分を除くフェース部全体の主材料としてマグネシューム合金を使用し正面である表面にステンレス合金かチタン合金を接合し、さらに、ステンレス合金かチタン合金、亜鉛、銅等の比重４．５から１９．３までの金属や非鉄金属又はセラミックで直径１ｍｍ以上であり深さ０．２ｍｍ以上で凸起状となる錘の形状が円、楕円、五角、六角形やＵ字形の単または複数パターンであり、フェース表面のステンレス合金かチタン合金に接合するか一体とし、表面のステンレス合金かチタン合金の重量と凸起状錘の重量の合計がフェース全体重量の５０％以上から８０％未満であり、その周辺部分をマグネシューム合金で埋め込んだ状態とし、またウエイトエリア面積がフェース面全体の３０±２％の範囲にある凸起面の重量が凸起面全体重量の３０から６０％の範囲とし、そのフェースの重心点がフェースの中心から垂直に伸ばし天に向かった線を０度とした場合、０度からヒール側に架けて９０度の範囲で中心から直径１６ｍｍ以内の範囲を除く領域にあることを特徴とするゴルフクラブヘッドのフェース。
【請求項１７４】
ゴルフクラブヘッドのクラウン部とソール部と外周の接合部分を除くフェース部の正面である表面にはステンレス合金かチタン合金使用し、フェースの裏面にはカーボン繊維などの比重の軽い物を使用し、フェース正面である表面と裏面の間にマグネシューム合金を挟んで接合した形状であり、さらに、ステンレス合金かチタン合金、亜鉛、銅等の比重４．５から１９．３までの金属や非鉄金属又はセラミックで直径１ｍｍ以上であり深さ０．２ｍｍ以上で凸起状となる錘を、垂直と水平のフェース断面図において２ヶ所以上の場所に接合するか一体とし、表面のステンレス合金かチタン合金の重量と凸起状錘の重量の合計がフェース全体重量の５０％以上から８０％未満であり、またウエイトエリア面積がフェース面全体の３０±２％の範囲にある凸起面の重量が凸起面全体重量の３０から６０％の範囲とし、そのフェースの重心点がフェースの中心から垂直に伸ばし天に向かった線を０度とした場合、０度からヒール側に架けて９０度の範囲で中心から直径１６ｍｍ以内の範囲を除く領域にあることを特徴とするゴルフクラブヘッドのフェース。
【請求項１７５】
ゴルフクラブヘッドのクラウン部とソール部と外周の接合部分を除くフェース部の正面である表面にはステンレス合金かチタン合金使用し、フェースの裏面にはカーボン繊維などの比重の軽い物を使用し、フェース正面である表面と裏面の間にマグネシューム合金を挟んで接合した形状であり、さらに、ステンレス合金かチタン合金、亜鉛、銅等の比重４．５から１９．３までの金属や非鉄金属又はセラミックで直径１ｍｍ以上であり深さ０．２ｍｍ以上で凸起状となる錘の形状が円、楕円、五角、六角形やＵ字形の単または複数パターンであり、フェース表面のステンレス合金かチタン合金に接合か一体とし、表面のステンレス合金かチタン合金の重量と凸起状錘の重量の合計がフェース全体重量の５０％以上から８０％未満であり、またウエイトエリア面積がフェース面全体の３０±２の範囲にある凸起面の重量が凸起面全体重量の３０から６０％の範囲とし、そのフェースの重心点がフェースの中心から垂直に伸ばし天に向かった線を０度とした場合、０度からヒール側に架けて９０度の範囲で中心から直径１６ｍｍ以内の範囲を除く領域にあることを特徴とするゴルフクラブヘッドのフェース。
【請求項１７６】
ゴルフクラブヘッドのクラウン部とソール部と外周の接合部分を除くフェース部の正面である表面には、カーボン繊維などの比重の軽い素材を使用し、２層目にはステンレス合金かチタン合金を使用し、３層目にはマグネシューム合金を使用した物を接合し、２層目と３層目の間にステンレス合金かチタン合金、亜鉛、銅等の比重４．５から１９．３までの金属や非鉄金属又はセラミックで直径１ｍｍ以上であり深さ０．２ｍｍ以上で凸起状となる錘を、垂直と水平のフェース断面図において４ヶ所以上の場所に接合するか一体とし、２層目のステンレス合金かチタン合金の重量と凸起状錘の重量の合計がフェース全体重量の５０％以上から８０％未満であり、またウエイトエリア面積がフェース面全体の３０±２％の範囲にある凸起面の重量が凸起面全体重量の３０から６０％の範囲とし、そのフェースの重心点がフェースの中心から垂直に伸ばし天に向かった線を０度とした場合、０度からヒール側に架けて９０度の範囲で中心から直径１６ｍｍ以内の範囲を除く領域にあることを特徴とするゴルフクラブヘッドのフェース。
【請求項１７７】
ゴルフクラブヘッドのクラウン部とソール部と外周の接合部分を除くフェース部の正面である表面には、カーボン繊維などの比重の軽い素材を使用し、２層目にはステンレス合金かチタン合金を使用し、３層目にはマグネシューム合金を使用した物を接合し、２層目と３層目のステンレス合金かチタン合金、亜鉛、銅等の比重４．５から１９．３までの金属や非鉄金属又はセラミックで直径１ｍｍ以上であり深さ０．２ｍｍ以上で凸起状となる錘の形状が円、楕円、五角、六角形やＵ字形の単または複数パターンであり、２層目のステンレス合金かチタン合金に接合か一体とし、２層目のステンレス合金かチタン合金の重量と凸起状錘の重量の合計がフェース全体重量の５０％以上から８０％未満であり、またウエイトエリア面積がフェース面全体の３０±２％の範囲にある凸起面の重量が凸起面全体重量の３０から６０％の範囲とし、そのフェースの重心点がフェースの中心から垂直に伸ばし天に向かった線を０度とした場合、０度からヒール側に架けて９０度の範囲で中心から直径１６ｍｍ以内の範囲を除く領域にあることを特徴とするゴルフクラブヘッドのフェース。
【請求項１７８】
ゴルフクラブヘッドのクラウン部とソール部と外周の接合部分を除くフェース部の正面である表面には、カーボン繊維などの比重の軽い素材を使用し、２層目にはステンレス合金かチタン合金を使用し、３層目にはマグネシューム合金を使用した物を接合し、２層目と３層目の間にステンレス合金かチタン合金、亜鉛、銅等の比重４．５から１９．３までの金属や非鉄金属又はセラミックで直径１ｍｍ以上であり深さ０．２ｍｍ以上で凸起状となる錘を、垂直と水平のフェース断面図において４ヶ所以上の場所に接合するか一体とし、２層目のステンレス合金かチタン合金の重量と凸起状錘の重量の合計がフェース全体重量の５０％以上から８０％未満であり、またウエイトエリア面積がフェース面全体の３０±２％の範囲にある凸起面の重量が凸起面全体重量の３０から６０％の範囲とし、そのフェースの重心点がフェースの中心から垂直に伸ばし天に向かった線を０度とした場合、０度からヒール側に架けて９０度の範囲で中心から直径１６ｍｍ以内の範囲を除く領域にあることを特徴とするゴルフクラブヘッドのフェース。
【請求項１７９】
ゴルフクラブヘッドのクラウン部とソール部と外周の接合部分を除くフェース部の正面である表面には、カーボン繊維などの比重の軽い素材を使用し、２層目にはステンレス合金かチタン合金を使用し、３層目にはマグネシューム合金を使用した物を接合し、２層目と３層目の間にステンレス合金かチタン合金、亜鉛、銅等の比重４．５から１９．３までの金属や非鉄金属又はセラミックで直径１ｍｍ以上であり深さ０．２ｍｍ以上で凸起状となる錘の形状が円、楕円、五角、六角形やＵ字形の単または複数パターンであり、２層目のステンレス合金かチタン合金に接合か一体とし、２層目のステンレス合金かチタン合金の重量と凸起状錘の重量の合計がフェース全体重量の５０％以上から８０％未満であり、またウエイトエリア面積がフェース面全体の３０±２％の範囲にある凸起面の重量が凸起面全体重量の３０から６０％の範囲とし、そのフェースの重心点がフェースの中心から垂直に伸ばし天に向かった線を０度とした場合、０度からヒール側に架けて９０度の範囲で中心から直径１６ｍｍ以内の範囲を除く領域にあることを特徴とするゴルフクラブヘッドのフェース。
【請求項１８０】
ゴルフクラブヘッドのクラウン部とソール部と外周の接合部分を除くフェース部全体の主材料としてマグネシューム合金を使用し正面である表面にステンレス合金かチタン合金を接合し、さらにステンレス合金かチタン合金、亜鉛、銅等の比重４．５から１９．３までの金属や非鉄金属又はセラミックで直径１ｍｍ以上であり深さ０．２ｍｍ以上で凸起状となる錘を、垂直と水平のフェース断面図において２ヶ所以上の場所に接合か一体とし、表面のステンレス合金かチタン合金の重量と凸起状錘の重量の合計がフェース全体重量の５０％以上から８０％未満であり、またウエイトエリア面積がフェース面全体の３０±２％の範囲にある凸起面の重量が凸起面全体重量の３０から６０％の範囲とし、そのフェースの重心点がフェースの中心から垂直に伸ばし天に向かった線を０度とした場合、直角となるヒール側９０度から１８０度の範囲で中心から直径１６ｍｍ以内の範囲を除く領域にあることを特徴とするゴルフクラブヘッドのフェース。
【請求項１８１】
ゴルフクラブヘッドのクラウン部とソール部と外周の接合部分を除くフェース部全体の主材料としてマグネシューム合金を使用し正面である表面にステンレス合金かチタン合金を接合し、さらにステンレス合金かチタン合金、亜鉛、銅等の比重４．５から１９．３までの金属や非鉄金属又はセラミックで直径１ｍｍ以上であり深さ０．２ｍｍ以上で凸起状となる錘の形状が円、楕円、五角、六角形やＵ字形の単または複数パターンであり、フェース表面のステンレス合金かチタン合金に接合か一体とし、表面のステンレス合金かチタン合金の重量と凸起状錘の重量の合計がフェース全体重量の５０％以上から８０％未満であり、またウエイトエリア面積がフェース面全体の３０±２％の範囲にある凸起面の重量が凸起面全体重量の３０から６０％の範囲とし、そのフェースの重心点がフェースの中心から垂直に伸ばし天に向かった線を０度とした場合、直角となるヒール側９０度から１８０度の範囲で中心から直径１６ｍｍ以内の範囲を除く領域にあることを特徴とするゴルフクラブヘッドのフェース。
【請求項１８２】
ゴルフクラブヘッドのクラウン部とソール部と外周の接合部分を除くフェース部の正面である表面にはステンレス合金かチタン合金使用し、フェースの裏面にはカーボン繊維などの比重の軽い物を使用し、フェース正面である表面と裏面の間にマグネシューム合金を挟んで接合した形状であり、さらにステンレス合金かチタン合金、亜鉛、銅等の比重４．５から１９．３までの金属や非鉄金属又はセラミックで直径１ｍｍ以上であり深さ０．２ｍｍ以上で凸起状となる錘を、垂直と水平のフェース断面図において２ヶ所以上の場所に接合するか一体とし、表面のステンレス合金かチタン合金の重量と凸起状錘の重量の合計がフェース全体重量の５０％以上から８０％未満であり、またウエイトエリア面積がフェース面全体の３０±２％の範囲にある凸起面の重量が凸起面全体重量の３０から６０％の範囲とし、そのフェースの重心点がフェースの中心から垂直に伸ばし天に向かった線を０度とした場合、直角となるヒール側９０度から１８０度の範囲で中心から直径１６ｍｍ以内の範囲を除く領域にあることを特徴とするゴルフクラブヘッドのフェース。
【請求項１８３】
ゴルフクラブヘッドのクラウン部とソール部と外周の接合部分を除くフェース部の正面である表面にはステンレス合金かチタン合金使用し、フェースの裏面にはカーボン繊維などの比重の軽い物を使用し、フェース正面である表面と裏面の間にマグネシューム合金を挟んで接合した形状であり、さらにステンレス合金かチタン合金、亜鉛、銅等の比重４．５から１９．３までの金属や非鉄金属又はセラミックで直径１ｍｍ以上であり深さ０．２ｍｍ以上で凸起状となる錘の形状が円、楕円、五角、六角形やＵ字形の単または複数パターンであり、フェース表面のステンレス合金かチタン合金に接合か一体とし、表面のステンレス合金かチタン合金の重量と凸起状錘の重量の合計がフェース全体重量の５０％以上から８０％未満であり、またウエイトエリア面積がフェース面全体の３０±２％の範囲にある凸起面の重量が凸起面全体重量の３０から６０％の範囲とし、そのフェースの重心点がフェースの中心から垂直に伸ばし天に向かった線を０度とした場合、直角となるヒール側９０度から１８０度の範囲で中心から直径１６ｍｍ以内の範囲を除く領域にあることを特徴とするゴルフクラブヘッドのフェース。
【請求項１８４】
ゴルフクラブヘッドのクラウン部とソール部と外周の接合部分を除くフェース部の正面である表面には、カーボン繊維などの比重の軽い素材を使用し、２層目にはステンレス合金かチタン合金を使用し、３層目にはマグネシューム合金を使用した物を接合し、２層目と３層目の間にステンレス合金かチタン合金、亜鉛、銅等の比重４．５から１９．３までの金属や非鉄金属又はセラミックで直径１ｍｍ以上であり深さ０．２ｍｍ以上で凸起状となる錘を、垂直と水平のフェース断面図において２ヶ所以上の場所に接合するか一体とし、２層目のステンレス合金かチタン合金の重量と凸起状錘の重量の合計がフェース全体重量の５０％以上から８０％未満であり、またウエイトエリア面積がフェース面全体の３０±２％の範囲にある凸起面の重量が凸起面全体重量の３０から６０％の範囲とし、そのフェースの重心点がフェースの中心から垂直に伸ばし天に向かった線を０度とした場合、直角となるヒール側９０度から１８０度の範囲で中心から直径１６ｍｍ以内の範囲を除く領域にあることを特徴とするゴルフクラブヘッドのフェース。
【請求項１８５】
ゴルフクラブヘッドのクラウン部とソール部と外周の接合部分を除くフェース部の正面である表面には、カーボン繊維などの比重の軽い素材を使用し、２層目にはステンレス合金かチタン合金を使用し、３層目にはマグネシューム合金を使用した物を接合し、２層目と３層目の間にステンレス合金かチタン合金、亜鉛、銅等の比重４．５から１９．３までの金属や非鉄金属又はセラミックで直径１ｍｍ以上であり深さ０．２ｍｍ以上で凸起状となる錘の形状が円、楕円、五角、六角形やＵ字形の単または複数パターンであり、２層目のステンレス合金かチタン合金に接合か一体とし、２層目のステンレス合金かチタン合金の重量と凸起状錘の重量の合計がフェース全体重量の５０％以上から８０％未満であり、またウエイトエリア面積がフェース面全体の３０±２％の範囲にある凸起面の重量が凸起面全体重量の３０から６０％の範囲とし、そのフェースの重心点がフェースの中心から垂直に伸ばし天に向かった線を０度とした場合、直角となるヒール側９０度から１８０度の範囲で中心から直径１６ｍｍ以内の範囲を除く領域にあることを特徴とするゴルフクラブヘッドのフェース。
【請求項１８６】
ゴルフクラブヘッドのクラウン部とソール部と外周の接合部分を除くフェース部の正面である表面には、カーボン繊維などの比重の軽い素材を使用し、２層目にはステンレス合金かチタン合金を使用し、３層目にはマグネシューム合金を使用した物を接合し、２層目と３層目の間にステンレス合金かチタン合金、亜鉛、銅等の比重４．５から１９．３までの金属や非鉄金属又はセラミックで直径１ｍｍ以上であり深さ０．２ｍｍ以上で凸起状となる錘を、垂直と水平のフェース断面図において２ヶ所以上の場所に接合するか一体とし、２層目のステンレス合金かチタン合金の重量と凸起状錘の重量の合計がフェース全体重量の５０％以上から８０％未満であり、またウエイトエリア面積がフェース面全体の３０±２％の範囲にある凸起面の重量が凸起面全体重量の３０から６０％の範囲とし、そのフェースの重心点がフェースの中心から垂直に伸ばし天に向かった線を０度とした場合、直角となるヒール側９０度から１８０度の範囲で中心から直径１６ｍｍ以内の範囲を除く領域にあることを特徴とするゴルフクラブヘッドのフェース。
【請求項１８７】
ゴルフクラブヘッドのクラウン部とソール部と外周の接合部分を除くフェース部の正面である表面には、カーボン繊維などの比重の軽い素材を使用し、２層目にはステンレス合金かチタン合金を使用し、３層目にはマグネシューム合金を使用した物を接合し、２層目と３層目の間にステンレス合金かチタン合金、亜鉛、銅等の比重４．５から１９．３までの金属や非鉄金属又はセラミックで直径１ｍｍ以上であり深さ０．２ｍｍ以上で凸起状となる錘の形状が円、楕円、五角、六角形やＵ字形の単または複数パターンであり、２層目のフェース上部のステンレス合金かチタン合金に接合か一体とし、２層目のステンレス合金かチタン合金の重量と凸起状錘の重量の合計がフェース全体重量の５０％以上から８０％未満であり、またウエイトエリア面積がフェース面全体の３０±２％の範囲にある凸起面の重量が凸起面全体重量の３０から６０％の範囲とし、そのフェースの重心点がフェースの中心から垂直に伸ばし天に向かった線を０度とした場合、直角となるヒール側９０度から１８０度の範囲で中心から直径１６ｍｍ以内の範囲を除く領域にあることを特徴とするゴルフクラブヘッドのフェース。
【請求項１８８】
ゴルフクラブヘッドのクラウン部とソール部と外周の接合部分を除くフェース部全体の主材料としてマグネシューム合金を使用し正面である表面にステンレス合金かチタン合金を接合し、さらにステンレス合金かチタン合金、亜鉛、銅等の比重４．５から１９．３までの金属や非鉄金属又はセラミックで直径１ｍｍ以上であり深さ０．２ｍｍ以上で凸起状となる錘を、垂直と水平のフェース断面図において２ヶ所以上の場所に接合か一体とし、表面のステンレス合金かチタン合金の重量と凸起状錘の重量の合計がフェース全体重量の５０％以上から８０％未満であり、またウエイトエリア面積がフェース面全体の３０±２％の範囲にある凸起面の重量が凸起面全体重量の３０から６０％の範囲とし、そのフェースの重心点がフェースの中心から垂直に伸ばし天に向かった線を０度とした場合、０度からトウ側に架けて９０度の範囲で中心から直径１６ｍｍ以内の範囲を除く領域にあることを特徴とするゴルフクラブヘッドのフェース。
【請求項１８９】
ゴルフクラブヘッドのクラウン部とソール部と外周の接合部分を除くフェース部全体の主材料としてマグネシューム合金を使用し正面である表面にステンレス合金かチタン合金を接合し、さらにステンレス合金かチタン合金、亜鉛、銅等の比重４．５から１９．３までの金属や非鉄金属又はセラミックで直径１ｍｍ以上であり深さ０．２ｍｍ以上で凸起状となる錘の形状が円、楕円、五角、六角形やＵ字形の単または複数パターンであり、フェース表面のステンレス合金かチタン合金に接合か一体とし、表面のステンレス合金かチタン合金の重量と凸起状錘の重量の合計がフェース全体重量の５０％以上から８０％未満であり、またウエイトエリア面積がフェース面全体の３０±２％の範囲にある凸起面の重量が凸起面全体重量の３０から６０％の範囲とし、そのフェースの重心点がフェースの中心から垂直に伸ばし天に向かった線を０度とした場合、０度からトウ側に架けて９０度の範囲で中心から直径１６ｍｍ以内の範囲を除く領域にあることを特徴とするゴルフクラブヘッドのフェース。
【請求項１９０】
ゴルフクラブヘッドのクラウン部とソール部と外周の接合部分を除くフェース部の正面である表面にはステンレス合金かチタン合金使用し、フェースの裏面にはカーボン繊維などの比重の軽い物を使用し、フェース正面である表面と裏面の間にマグネシューム合金を挟んで接合した形状であり、さらにステンレス合金かチタン合金、亜鉛、銅等の比重４．５から１９．３までの金属や非鉄金属又はセラミックで直径１ｍｍ以上であり深さ０．２ｍｍ以上で凸起状となる錘を、垂直と水平のフェース断面図において２ヶ所以上の場所に接合するか一体とし、表面のステンレス合金かチタン合金の重量と凸起状錘の重量の合計がフェース全体重量の５０％以上から８０％未満であり、またウエイトエリア面積がフェース面全体の３０±２％の範囲にある凸起面の重量が凸起面全体重量の３０から６０％の範囲とし、そのフェースの重心点がフェースの中心から垂直に伸ばし天に向かった線を０度とした場合、０度からトウ側に架けて９０度の範囲で中心から直径１６ｍｍ以内の範囲を除く領域にあることを特徴とするゴルフクラブヘッドのフェース。
【請求項１９１】
ゴルフクラブヘッドのクラウン部とソール部と外周の接合部分を除くフェース部の正面である表面にはステンレス合金かチタン合金使用し、フェースの裏面にはカーボン繊維などの比重の軽い物を使用し、フェース正面である表面と裏面の間にマグネシューム合金を挟んで接合した形状であり、さらにステンレス合金かチタン合金、亜鉛、銅等の比重４．５から１９．３までの金属や非鉄金属又はセラミックで直径１ｍｍ以上であり深さ０．２ｍｍ以上で凸起状となる錘の形状が円、楕円、五角、六角形やＵ字形の単または複数パターンであり、フェース表面のステンレス合金かチタン合金に接合か一体とし、表面のステンレス合金かチタン合金の重量と凸起状錘の重量の合計がフェース全体重量の５０％以上から８０％未満であり、またウエイトエリア面積がフェース面全体の３０±２％の範囲にある凸起面の重量が凸起面全体重量の３０から６０％の範囲とし、そのフェースの重心点がフェースの中心から垂直に伸ばし天に向かった線を０度とした場合、０度からトウ側に架けて９０度の範囲で中心から直径１６ｍｍ以内の範囲を除く領域にあることを特徴とするゴルフクラブヘッドのフェース。
【請求項１９２】
ゴルフクラブヘッドのクラウン部とソール部と外周の接合部分を除くフェース部の正面である表面には、カーボン繊維などの比重の軽い素材を使用し、２層目にはステンレス合金かチタン合金を使用し、３層目にはマグネシューム合金を使用した物を接合し、２層目と３層目の間にステンレス合金かチタン合金、亜鉛、銅等の比重４．５から１９．３までの金属や非鉄金属又はセラミックで直径１ｍｍ以上であり深さ０．２ｍｍ以上で凸起状となる錘を、垂直と水平のフェース断面図において２ヶ所以上の場所に接合するか一体とし、２層目のステンレス合金かチタン合金の重量と凸起状錘の重量の合計がフェース全体重量の５０％以上から８０％未満であり、またウエイトエリア面積がフェース面全体の３０±２％の範囲にある凸起面の重量が凸起面全体重量の３０から６０％の範囲とし、そのフェースの重心点がフェースの中心から垂直に伸ばし天に向かった線を０度とした場合、０度からトウ側に架けて９０度の範囲で中心から直径１６ｍｍ以内の範囲を除く領域にあることを特徴とするゴルフクラブヘッドのフェース。
【請求項１９３】
ゴルフクラブヘッドのクラウン部とソール部と外周の接合部分を除くフェース部の正面である表面には、カーボン繊維などの比重の軽い素材を使用し、２層目にはステンレス合金かチタン合金を使用し、３層目にはマグネシューム合金を使用した物を接合し、２層目と３層目の間にステンレス合金かチタン合金、亜鉛、銅等の比重４．５から１９．３までの金属や非鉄金属又はセラミックで直径１ｍｍ以上であり深さ０．２ｍｍ以上で凸起状となる錘の形状が円、楕円、五角、六角形やＵ字形の単または複数パターンであり、２層目のフェース上部のステンレス合金かチタン合金に接合か一体とし、２層目のステンレス合金かチタン合金の重量と凸起状錘の重量の合計がフェース全体重量の５０％以上から８０％未満であり、またウエイトエリア面積がフェース面全体の３０±２％の範囲にある凸起面の重量が凸起面全体重量の３０から６０％の範囲とし、そのフェースの重心点がフェースの中心から垂直に伸ばし天に向かった線を０度とした場合、０度からトウ側に架けて９０度の範囲で中心から直径１６ｍｍ以内の範囲を除く領域にあることを特徴とするゴルフクラブヘッドのフェース。
【請求項１９４】
ゴルフクラブヘッドのクラウン部とソール部と外周の接合部分を除くフェース部の正面である表面には、カーボン繊維などの比重の軽い素材を使用し、２層目にはステンレス合金かチタン合金を使用し、３層目にはマグネシューム合金を使用した物を接合し、２層目と３層目の間にステンレス合金かチタン合金、亜鉛、銅等の比重４．５から１９．３までの金属や非鉄金属又はセラミックで直径１ｍｍ以上であり深さ０．２ｍｍ以上で凸起状となる錘を、垂直と水平のフェース断面図において２ヶ所以上の場所に接合するか一体とし、２層目のステンレス合金かチタン合金の重量と凸起状錘の重量の合計がフェース全体重量の５０％以上から８０％未満であり、またウエイトエリア面積がフェース面全体の３０±２％の範囲にある凸起面の重量が凸起面全体重量の３０から６０％の範囲とし、そのフェースの重心点がフェースの中心から垂直に伸ばし天に向かった線を０度とした場合、０度からトウ側に架けて９０度の範囲で中心から直径１６ｍｍ以内の範囲を除く領域にあることを特徴とするゴルフクラブヘッドのフェース。
【請求項１９５】
ゴルフクラブヘッドのクラウン部とソール部と外周の接合部分を除くフェース部の正面である表面には、カーボン繊維などの比重の軽い素材を使用し、２層目にはステンレス合金かチタン合金を使用し、３層目にはマグネシューム合金を使用した物を接合し、２層目と３層目の間にステンレス合金かチタン合金、亜鉛、銅等の比重４．５から１９．３までの金属や非鉄金属又はセラミックで直径１ｍｍ以上であり深さ０．２ｍｍ以上で凸起状となる錘の形状が円、楕円、五角、六角形やＵ字形の単または複数パターンであり、２層目のフェース上部のステンレス合金かチタン合金に接合か一体とし、２層目のステンレス合金かチタン合金の重量と凸起状錘の重量の合計がフェース全体重量の５０％以上から８０％未満であり、またウエイトエリア面積がフェース面全体の３０±２％の範囲にある凸起面の重量が凸起面全体重量の３０から６０％の範囲とし、そのフェースの重心点がフェースの中心から垂直に伸ばし天に向かった線を０度とした場合、０度からトウ側に架けて９０度の範囲で中心から直径１６ｍｍ以内の範囲を除く領域にあることを特徴とするゴルフクラブヘッドのフェース。
【請求項１９６】
ゴルフクラブヘッドのクラウン部とソール部と外周の接合部分を除くフェース部全体の主材料としてマグネシューム合金を使用し正面である表面にステンレス合金かチタン合金を接合し、さらにステンレス合金かチタン合金、亜鉛、銅等の比重４．５から１９．３までの金属や非鉄金属又はセラミックで直径１ｍｍ以上であり深さ０．２ｍｍ以上で凸起状となる錘を、垂直と水平のフェース断面図において２ヶ所以上の場所に接合か一体とし、表面のステンレス合金かチタン合金の重量と凸起状錘の重量の合計がフェース全体重量の５０％以上から８０％未満であり、またウエイトエリア面積がフェース面全体の３０±２％の範囲にある凸起面の重量が凸起面全体重量の３０から６０％の範囲とし、そのフェースの重心点がフェースの中心から垂直に伸ばし天に向かった線を０度とした場合、直角となるトウ側９０度から１８０度の範囲で中心から直径１６ｍｍ以内の範囲を除く領域にあることを特徴とするゴルフクラブヘッドのフェース。
【請求項１９７】
ゴルフクラブヘッドのクラウン部とソール部と外周の接合部分を除くフェース部全体の主材料としてマグネシューム合金を使用し正面である表面にステンレス合金かチタン合金を接合し、さらにステンレス合金かチタン合金、亜鉛、銅等の比重４．５から１９．３までの金属や非鉄金属又はセラミックで直径１ｍｍ以上であり深さ０．２ｍｍ以上で凸起状となる錘の形状が円、楕円、五角、六角形やＵ字形の単または複数パターンであり、フェース表面のステンレス合金かチタン合金に接合か一体とし、表面のステンレス合金かチタン合金の重量と凸起状錘の重量の合計がフェース全体重量の５０％以上から８０％未満であり、またウエイトエリア面積がフェース面全体の３０±２％の範囲にある凸起面の重量が凸起面全体重量の３０から６０％の範囲とし、そのフェースの重心点がフェースの中心から垂直に伸ばし天に向かった線を０度とした場合、直角となるトウ側９０度から１８０度の範囲で中心から直径１６ｍｍ以内の範囲を除く領域にあることを特徴とするゴルフクラブヘッドのフェース。
【請求項１９８】
ゴルフクラブヘッドのクラウン部とソール部と外周の接合部分を除くフェース部の正面である表面にはステンレス合金かチタン合金使用し、フェースの裏面にはカーボン繊維などの比重の軽い物を使用し、フェース表面と裏面の間にマグネシューム合金を挟んで接合した形状であり、さらにステンレス合金かチタン合金、亜鉛、銅等の比重４．５から１９．３までの金属や非鉄金属又はセラミックで直径１ｍｍ以上であり深さ０．２ｍｍ以上で凸起状となる錘を、垂直と水平のフェース断面図において２ヶ所以上の場所に接合するか一体とし、表面のステンレス合金かチタン合金の重量と凸起状錘の重量の合計がフェース全体重量の５０％以上から８０％未満であり、またウエイトエリア面積がフェース面全体の３０±２％の範囲にある凸起面の重量が凸起面全体重量の３０から６０％の範囲とし、そのフェースの重心点がフェースの中心から垂直に伸ばし天に向かった線を０度とした場合、直角となるトウ側９０度から１８０度の範囲で中心から直径１６ｍｍ以内の範囲を除く領域にあることを特徴とするゴルフクラブヘッドのフェース。
【請求項１９９】
ゴルフクラブヘッドのクラウン部とソール部と外周の接合部分を除くフェース部の正面である表面にはステンレス合金かチタン合金使用し、フェースの裏面にはカーボン繊維などの比重の軽い物を使用し、フェース正面である表面と裏面の間にマグネシューム合金を挟んで接合した形状であり、さらに、ステンレス合金かチタン合金、亜鉛、銅等の比重４．５から１９．３までの金属や非鉄金属又はセラミックで直径１ｍｍ以上であり深さ０．２ｍｍ以上で凸起状となる錘の形状が円、楕円、五角、六角形やＵ字形の単または複数パターンであり、フェース表面のステンレス合金かチタン合金に接合か一体とし、表面のステンレス合金かチタン合金の重量と凸起状錘の重量の合計がフェース全体重量の５０％以上から８０％未満であり、またウエイトエリア面積がフェース面全体の３０±２％の範囲にある凸起面の重量が凸起面全体重量の３０から６０％の範囲とし、そのフェースの重心点がフェースの中心から垂直に伸ばし天に向かった線を０度とした場合、直角となるトウ側９０度から１８０度の範囲で中心から直径１６ｍｍ以内の範囲を除く領域にあることを特徴とするゴルフクラブヘッドのフェース。
【請求項２００】
ゴルフクラブヘッドのクラウン部とソール部と外周の接合部分を除くフェース部の正面である表面には、カーボン繊維などの比重の軽い素材を使用し、２層目にはステンレス合金かチタン合金を使用し、３層目にはマグネシューム合金を使用した物を接合し、２層目と３層目の間にステンレス合金かチタン合金、亜鉛、銅等の比重４．５から１９．３までの金属や非鉄金属又はセラミックで直径１ｍｍ以上であり深さ０．２ｍｍ以上で凸起状となる錘を、垂直と水平のフェース断面図において２ヶ所以上の場所に接合するか一体とし、２層目のステンレス合金かチタン合金の重量と凸起状錘の重量の合計がフェース全体重量の５０％以上から８０％未満であり、またウエイトエリア面積がフェース面全体の３０±２％の範囲にある凸起面の重量が凸起面全体重量の３０から６０％の範囲とし、そのフェースの重心点がフェースの中心から垂直に伸ばし天に向かった線を０度とした場合、直角となるトウ側９０度から１８０度の範囲で中心から直径１６ｍｍ以内の範囲を除く領域にあることを特徴とするゴルフクラブヘッドのフェース。
【請求項２０１】
ゴルフクラブヘッドのクラウン部とソール部と外周の接合部分を除くフェース部の正面である表面には、カーボン繊維などの比重の軽い素材を使用し、２層目にはステンレス合金かチタン合金を使用し、３層目にはマグネシューム合金を使用した物を接合し、２層目と３層目の間にステンレス合金かチタン合金、亜鉛、銅等の比重４．５から１９．３までの金属や非鉄金属又はセラミックで直径１ｍｍ以上であり深さ０．２ｍｍ以上で凸起状となる錘の形状が円、楕円、五角、六角形やＵ字形の単または複数パターンであり、２層目のフェース上部のステンレス合金かチタン合金に接合か一体とし、２層目のステンレス合金かチタン合金の重量と凸起状錘の重量の合計がフェース全体重量の５０％以上から８０％未満であり、またウエイトエリア面積がフェース面全体の３０±２％の範囲にある凸起面の重量が凸起面全体重量の３０から６０％の範囲とし、そのフェースの重心点がフェースの中心から垂直に伸ばし天に向かった線を０度とした場合、直角となるトウ側９０度から１８０度の範囲で中心から直径１６ｍｍ以内の範囲を除く領域にあることを特徴とするゴルフクラブヘッドのフェース。
【請求項２０２】
ゴルフクラブヘッドのクラウン部とソール部と外周の接合部分を除くフェース部の正面である表面には、カーボン繊維などの比重の軽い素材を使用し、２層目にはステンレス合金かチタン合金を使用し、３層目にはマグネシューム合金を使用した物を接合し、２層目と３層目の間にステンレス合金かチタン合金、亜鉛、銅等の比重４．５から１９．３までの金属や非鉄金属又はセラミックで直径１ｍｍ以上であり深さ０．２ｍｍ以上で凸起状となる錘を、垂直と水平のフェース断面図において２ヶ所以上の場所に接合するか一体とし、２層目のステンレス合金かチタン合金の重量と凸起状錘の重量の合計がフェース全体重量の５０％以上から８０％未満であり、またウエイトエリア面積がフェース面全体の３０±２％の範囲にある凸起面の重量が凸起面全体重量の３０から６０％の範囲とし、そのフェースの重心点がフェースの中心から垂直に伸ばし天に向かった線を０度とした場合、直角となるトウ側９０度から１８０度の範囲で中心から直径１６ｍｍ以内の範囲を除く領域にあることを特徴とするゴルフクラブヘッドのフェース。
【請求項２０３】
ゴルフクラブヘッドのクラウン部とソール部と外周の接合部分を除くフェース部の正面である表面には、カーボン繊維などの比重の軽い素材を使用し、２層目にはステンレス合金かチタン合金を使用し、３層目にはマグネシューム合金を使用した物を接合し、２層目と３層目の間にステンレス合金かチタン合金、亜鉛、銅等の比重４．５から１９．３までの金属や非鉄金属又はセラミックで直径１ｍｍ以上であり深さ０．２ｍｍ以上で凸起状となる錘の形状が円、楕円、五角、六角形やＵ字形の単または複数パターンであり、２層目のフェース上部のステンレス合金かチタン合金に接合か一体とし、２層目のステンレス合金かチタン合金の重量と凸起状錘の重量の合計がフェース全体重量の５０％以上から８０％未満であり、またウエイトエリア面積がフェース面全体の３０±２％の範囲にある凸起面の重量が凸起面全体重量の３０から６０％の範囲とし、そのフェースの重心点がフェースの中心から垂直に伸ばし天に向かった線を０度とした場合、直角となるトウ側９０度から１８０度の範囲で中心から直径１６ｍｍ以内の範囲を除く領域にあることを特徴とするゴルフクラブヘッドのフェース。
【請求項２０４】
ゴルフクラブヘッドのクラウン部とソール部と外周の接合部分を除くフェース部正面である表面にステンレス合金かチタン合金を使用し、さらに、ステンレス合金かチタン合金、亜鉛、銅等の比重４．５から１９．３までの金属や非鉄金属又はセラミックで直径１ｍｍ以上であり深さ０．２ｍｍ以上で凸起状となる錘を、垂直と水平のフェース断面図において２ヶ所以上の場所に接合か一体とし、表面のステンレス合金かチタン合金の重量と凸起状錘の重量の合計がフェース全体重量の２０％から５０％未満であり、また、ウエイトエリア面積がフェース面全体の３０±２％の範囲にある凸起面の重量が凸起面全体重量の３０から６０％の範囲とし、そのフェースの重心点がフェースの中心から直径１６ｍｍ以内の領域にあることを特徴とするゴルフクラブヘッドのフェース。
【請求項２０５】
ゴルフクラブヘッドのクラウン部とソール部と外周の接合部分を除くフェース部正面である表面にステンレス合金かチタン合金を使用し、さらに、ステンレス合金かチタン合金、亜鉛、銅等の比重４．５から１９．３までの金属や非鉄金属又はセラミックで直径１ｍｍ以上であり深さ０．２ｍｍ以上で凸起状となる錘の形状が円、楕円、五角、六角形やＵ字形の単または複数パターンであり、フェース表面のステンレス合金かチタン合金に接合するか一体とし、表面のステンレス合金かチタン合金の重量と凸起状錘の重量の合計がフェース全体重量の２０％から５０％未満であり、またウエイトエリア面積がフェース面全体の３０±２％の範囲にある凸起面の重量が凸起面全体重量の３０から６０％の範囲とし、そのフェースの重心点がフェースの中心から直径１６ｍｍ以内の領域にあることを特徴とするゴルフクラブヘッドのフェース。
【請求項２０６】
ゴルフクラブヘッドのクラウン部とソール部と外周の接合部分を除くフェース部の正面である表面にはステンレス合金かチタン合金を使用し、フェースの裏面にステンレス合金かチタン合金、亜鉛、銅等の比重４．５から１９．３までの金属や非鉄金属又はセラミックで直径１ｍｍ以上であり深さ０．２ｍｍ以上で凸起状となる錘を、垂直と水平のフェース断面図において２ヶ所以上の場所に接合するか一体とし、表面のステンレス合金かチタン合金の重量と凸起状錘の重量の合計がフェース全体重量の２０％から５０％未満であり、またウエイトエリア面積がフェース面全体の３０±２％の範囲にある凸起面の重量が凸起面全体重量の３０から６０％の範囲とし、そのフェースの重心点がフェースの中心から直径１６ｍｍ以内の領域にあることを特徴とするゴルフクラブヘッドのフェース。
【請求項２０７】
ゴルフクラブヘッドのクラウン部とソール部と外周の接合部分を除くフェース部の正面である表面にはステンレス合金かチタン合金を使用し、フェースの裏面にステンレス合金かチタン合金、亜鉛、銅等の比重４．５から１９．３までの金属や非鉄金属又はセラミックで直径１ｍｍ以上であり深さ０．２ｍｍ以上で凸起状となる錘の形状が円、楕円、五角、六角形やＵ字形の単または複数パターンであり、フェース表面のステンレス合金かチタン合金に接合か一体とし、表面のステンレス合金かチタン合金の重量と凸起状錘の重量の合計がフェース全体重量の２０％から５０％未満であり、またウエイトエリア面積がフェース面全体の３０±２％の範囲にある凸起面の重量が凸起面全体重量の３０から６０％の範囲とし、そのフェースの重心点がフェースの中心から直径１６ｍｍ以内の領域にあることを特徴とするゴルフクラブヘッドのフェース。
【請求項２０８】
ゴルフクラブヘッドのクラウン部とソール部と外周の接合部分を除くフェース部の正面である表面には、カーボン繊維などの比重の軽い素材を使用し、２層目にはステンレス合金かチタン合金を使用し、３層目にステンレス合金かチタン合金、亜鉛、銅等の比重４．５から１９．３までの金属や非鉄金属又はセラミックで直径１ｍｍ以上であり深さ０．２ｍｍ以上で凸起状となる錘を、垂直と水平のフェース断面図において２ヶ所以上の場所に接合するか一体とし、２層目のステンレス合金かチタン合金の重量と凸起状錘の重量の合計がフェース全体重量の２０％から５０％未満であり、またウエイトエリア面積がフェース面全体の３０±２％の範囲にある凸起面の重量が凸起面全体重量の３０から６０％の範囲とし、そのフェースの重心点がフェースの中心から直径１６ｍｍ以内の領域にあることを特徴とするゴルフクラブヘッドのフェース。
【請求項２０９】
ゴルフクラブヘッドのクラウン部とソール部と外周の接合部分を除くフェース部の正面である表面には、カーボン繊維などの比重の軽い素材を使用し、２層目にはステンレス合金かチタン合金を使用し、３層目にステンレス合金かチタン合金、亜鉛、銅等の比重４．５から１９．３までの金属や非鉄金属又はセラミックで直径１ｍｍ以上であり深さ０．２ｍｍ以上で凸起状となる錘の形状が円、楕円、五角、六角形やＵ字形の単または複数パターンであり、２層目のステンレス合金かチタン合金に接合か一体とし、２層目のステンレス合金かチタン合金の重量と凸起状錘の重量の合計がフェース全体重量の２０％から５０％未満であり、またウエイトエリア面積がフェース面全体の３０±２％の範囲にある凸起面の重量が凸起面全体重量の３０から６０％の範囲とし、そのフェースの重心点がフェースの中心から直径１６ｍｍ以内の領域にあることを特徴とするゴルフクラブヘッドのフェース。
【請求項２１０】
ゴルフクラブヘッドのクラウン部とソール部と外周の接合部分を除くフェース部の正面である表面には、カーボン繊維などの比重の軽い素材を使用し、２層目にはステンレス合金かチタン合金を使用し、３層目にステンレス合金かチタン合金、亜鉛、銅等の比重４．５から１９．３までの金属や非鉄金属又はセラミックで直径１ｍｍ以上であり深さ０．２ｍｍ以上で凸起状となる錘を、垂直と水平のフェース断面図において２ヶ所以上の場所に接合するか一体とし、２層目のステンレス合金かチタン合金の重量と凸起状錘の重量の合計がフェース全体重量の２０％から５０％未満であり、またウエイトエリア面積がフェース面全体の３０±２％の範囲にある凸起面の重量が凸起面全体重量の３０から６０％の範囲とし、そのフェースの重心点がフェースの中心から直径１６ｍｍ以内の領域にあることを特徴とするゴルフクラブヘッドのフェース。
【請求項２１１】
ゴルフクラブヘッドのクラウン部とソール部と外周の接合部分を除くフェース部の正面である表面には、カーボン繊維などの比重の軽い素材を使用し、２層目にはステンレス合金かチタン合金を使用し、３層目にステンレス合金かチタン合金、亜鉛、銅等の比重４．５から１９．３までの金属や非鉄金属又はセラミックで直径１ｍｍ以上であり深さ０．２ｍｍ以上で凸起状となる錘の形状が円、楕円、五角、六角形やＵ字形の単または複数パターンであり、２層目のステンレス合金かチタン合金に接合か一体とし、２層目のステンレス合金かチタン合金の重量と凸起状錘の重量の合計がフェース全体重量の２０％から５０％未満であり、またウエイトエリア面積がフェース面全体の３０±２％の範囲にある凸起面の重量が凸起面全体重量の３０から６０％の範囲とし、そのフェースの重心点がフェースの中心から直径１６ｍｍ以内の領域にあることを特徴とするゴルフクラブヘッドのフェース。
【請求項２１２】
ゴルフクラブヘッドのクラウン部とソール部と外周の接合部分を除くフェース部正面である表面にステンレス合金かチタン合金を使用し、さらに、ステンレス合金かチタン合金、亜鉛、銅等の比重４．５から１９．３までの金属や非鉄金属又はセラミックで直径１ｍｍ以上であり深さ０．２ｍｍ以上で凸起状となる錘を、垂直と水平のフェース断面図において２ヶ所以上の場所に接合か一体とし、表面のステンレス合金かチタン合金の重量と凸起状錘の重量の合計がフェース全体重量の２０％から５０％未満であり、またウエイトエリア面積がフェース面全体の３０±２％の範囲にある凸起面の重量が凸起面全体重量の３０から６０％の範囲とし、そのフェースの重心点がフェースの中心から垂直に伸ばし天に向かった線を０度とした場合、０度からヒール側に架けて９０度の範囲で中心から直径１６ｍｍ以内の範囲を除く領域にあることを特徴とするゴルフクラブヘッドのフェース。
【請求項２１３】
ゴルフクラブヘッドのクラウン部とソール部と外周の接合部分を除くフェース部正面である表面にステンレス合金かチタン合金を使用し、さらに、ステンレス合金かチタン合金、亜鉛、銅等の比重４．５から１９．３までの金属や非鉄金属又はセラミックで直径１ｍｍ以上であり深さ０．２ｍｍ以上で凸起状となる錘の形状が円、楕円、五角、六角形やＵ字形の単または複数パターンであり、フェース表面のステンレス合金かチタン合金に接合するか一体とし、表面のステンレス合金かチタン合金の重量と凸起状錘の重量の合計がフェース全体重量の２０％から５０％未満であり、またウエイトエリア面積がフェース面全体の３０±２％の範囲にある凸起面の重量が凸起面全体重量の３０から６０％の範囲とし、そのフェースの重心点がフェースの中心から垂直に伸ばし天に向かった線を０度とした場合、０度からヒール側に架けて９０度の範囲で中心から直径１６ｍｍ以内の範囲を除く領域にあることを特徴とするゴルフクラブヘッドのフェース。
【請求項２１４】
ゴルフクラブヘッドのクラウン部とソール部と外周の接合部分を除くフェース部の正面である表面にはステンレス合金かチタン合金使用し、フェースの裏面にステンレス合金かチタン合金、亜鉛、銅等の比重４．５から１９．３までの金属や非鉄金属又はセラミックで直径１ｍｍ以上であり深さ０．２ｍｍ以上で凸起状となる錘を、垂直と水平のフェース断面図において２ヶ所以上の場所に接合するか一体とし、表面のステンレス合金かチタン合金の重量と凸起状錘の重量の合計がフェース全体重量の２０％から５０％未満であり、またウエイトエリア面積がフェース面全体の３０±２％の範囲にある凸起面の重量が凸起面全体重量の３０から６０％の範囲とし、そのフェースの重心点がフェースの中心から垂直に伸ばし天に向かった線を０度とした場合、０度からヒール側に架けて９０度の範囲で中心から直径１６ｍｍ以内の範囲を除く領域にあることを特徴とするゴルフクラブヘッドのフェース。
【請求項２１５】
ゴルフクラブヘッドのクラウン部とソール部と外周の接合部分を除くフェース部の正面である表面にはステンレス合金かチタン合金使用し、フェースの裏面にステンレス合金かチタン合金、亜鉛、銅等の比重４．５から１９．３までの金属や非鉄金属又はセラミックで直径１ｍｍ以上であり深さ０．２ｍｍ以上で凸起状となる錘の形状が円、楕円、五角、六角形やＵ字形の単または複数パターンであり、フェース表面のステンレス合金かチタン合金に接合か一体とし、表面のステンレス合金かチタン合金の重量と凸起状錘の重量の合計がフェース全体重量の２０％から５０％未満であり、またウエイトエリア面積がフェース面全体の３０±２％の範囲にある凸起面の重量が凸起面全体重量の３０から６０％の範囲とし、そのフェースの重心点がフェースの中心から垂直に伸ばし天に向かった線を０度とした場合、０度からヒール側に架けて９０度の範囲で中心から直径１６ｍｍ以内の範囲を除く領域にあることを特徴とするゴルフクラブヘッドのフェース。
【請求項２１６】
ゴルフクラブヘッドのクラウン部とソール部と外周の接合部分を除くフェース部の正面である表面には、カーボン繊維などの比重の軽い素材を使用し、２層目にはステンレス合金かチタン合金を使用し、３層目にステンレス合金かチタン合金、亜鉛、銅等の比重４．５から１９．３までの金属や非鉄金属又はセラミックで直径１ｍｍ以上であり深さ０．２ｍｍ以上で凸起状となる錘を、垂直と水平のフェース断面図において２ヶ所以上の場所に接合するか一体とし、２層目のステンレス合金かチタン合金の重量と凸起状錘の重量の合計がフェース全体重量の２０％から５０％未満であり、またウエイトエリア面積がフェース面全体の３０±２％の範囲にある凸起面の重量が凸起面全体重量の３０から６０％の範囲とし、そのフェースの重心点がフェースの中心から垂直に伸ばし天に向かった線を０度とした場合、０度からヒール側に架けて９０度の範囲で中心から直径１６ｍｍ以内の範囲を除く領域にあることを特徴とするゴルフクラブヘッドのフェース。
【請求項２１７】
ゴルフクラブヘッドのクラウン部とソール部と外周の接合部分を除くフェース部の正面である表面には、カーボン繊維などの比重の軽い素材を使用し、２層目にはステンレス合金かチタン合金を使用し、３層目にステンレス合金かチタン合金、亜鉛、銅等の比重４．５から１９．３までの金属や非鉄金属又はセラミックで直径１ｍｍ以上であり深さ０．２ｍｍ以上で凸起状となる錘の形状が円、楕円、五角、六角形やＵ字形の単または複数パターンであり、２層目のフェース上部のステンレス合金かチタン合金に接合か一体とし、２層目のステンレス合金かチタン合金の重量と凸起状錘の重量の合計がフェース全体重量の２０％から５０％未満であり、またウエイトエリア面積がフェース面全体の３０±２％の範囲にある凸起面の重量が凸起面全体重量の３０から６０％の範囲とし、そのフェースの重心点がフェースの中心から垂直に伸ばし天に向かった線を０度とした場合、０度からヒール側に架けて９０度の範囲で中心から直径１６ｍｍ以内の範囲を除く領域にあることを特徴とするゴルフクラブヘッドのフェース。
【請求項２１８】
ゴルフクラブヘッドのクラウン部とソール部と外周の接合部分を除くフェース部の正面である表面には、カーボン繊維などの比重の軽い素材を使用し、２層目にはステンレス合金かチタン合金を使用し、３層目にステンレス合金かチタン合金、亜鉛、銅等の比重４．５から１９．３までの金属や非鉄金属又はセラミックで直径１ｍｍ以上であり深さ０．２ｍｍ以上で凸起状となる錘を、垂直と水平のフェース断面図において２ヶ所以上の場所に接合するか一体とし、２層目のステンレス合金かチタン合金の重量と凸起状錘の重量の合計がフェース全体重量の２０％から５０％未満であり、またウエイトエリア面積がフェース面全体の３０±２％の範囲にある凸起面の重量が凸起面全体重量の３０から６０％の範囲とし、そのフェースの重心点がフェースの中心から垂直に伸ばし天に向かった線を０度とした場合、０度からヒール側に架けて９０度の範囲で中心から直径１６ｍｍ以内の範囲を除く領域にあることを特徴とするゴルフクラブヘッドのフェース。
【請求項２１９】
ゴルフクラブヘッドのクラウン部とソール部と外周の接合部分を除くフェース部の正面である表面には、カーボン繊維などの比重の軽い素材を使用し、２層目にはステンレス合金かチタン合金を使用し、３層目にステンレス合金かチタン合金、亜鉛、銅等の比重４．５から１９．３までの金属や非鉄金属又はセラミックで直径１ｍｍ以上であり深さ０．２ｍｍ以上で凸起状となる錘の形状が円、楕円、五角、六角形やＵ字形の単または複数パターンであり、２層目のフェース上部のステンレス合金かチタン合金に接合か一体とし、２層目のステンレス合金かチタン合金の重量と凸起状錘の重量の合計がフェース全体重量の２０％から５０％未満であり、またウエイトエリア面積がフェース面全体の３０±２％の範囲にある凸起面の重量が凸起面全体重量の３０から６０％の範囲とし、そのフェースの重心点がフェースの中心から垂直に伸ばし天に向かった線を０度とした場合、０度からヒール側に架けて９０度の範囲で中心から直径１６ｍｍ以内の範囲を除く領域にあることを特徴とするゴルフクラブヘッドのフェース。
【請求項２２０】
ゴルフクラブヘッドのクラウン部とソール部と外周の接合部分を除くフェース部正面である表面にステンレス合金かチタン合金を使用し、さらにステンレス合金かチタン合金、亜鉛、銅等の比重４．５から１９．３までの金属や非鉄金属又はセラミックで直径１ｍｍ以上であり深さ０．２ｍｍ以上で凸起状となる錘を、垂直と水平のフェース断面図において２ヶ所以上の場所に接合か一体とし、表面のステンレス合金かチタン合金の重量と凸起状錘の重量の合計がフェース全体重量の２０％から５０％未満であり、またウエイトエリア面積がフェース面全体の３０±２％の範囲にある凸起面の重量が凸起面全体重量の３０から６０％の範囲とし、そのフェースの重心点がフェースの中心から垂直に伸ばし天に向かった線を０度とした場合、直角となるヒール側９０度から１８０度の範囲で中心から直径１６ｍｍ以内の範囲を除く領域にあることを特徴とするゴルフクラブヘッドのフェース。
【請求項２２１】
ゴルフクラブヘッドのクラウン部とソール部と外周の接合部分を除くフェース部正面である表面にステンレス合金かチタン合金を使用し、さらにステンレス合金かチタン合金、亜鉛、銅等の比重４．５から１９．３までの金属や非鉄金属又はセラミックで直径１ｍｍ以上であり深さ０．２ｍｍ以上で凸起状となる錘の形状が円、楕円、五角、六角形やＵ字形の単または複数パターンであり、フェース表面のステンレス合金かチタン合金に接合か一体とし、表面のステンレス合金かチタン合金の重量と凸起状錘の重量の合計がフェース全体重量の２０％から５０％未満であり、またウエイトエリア面積がフェース面全体の３０±２％の範囲にある凸起面の重量が凸起面全体重量の３０から６０％の範囲とし、そのフェースの重心点がフェースの中心から垂直に伸ばし天に向かった線を０度とした場合、直角となるヒール側９０度から１８０度の範囲で中心から直径１６ｍｍ以内の範囲を除く領域にあることを特徴とするゴルフクラブヘッドのフェース。
【請求項２２２】
ゴルフクラブヘッドのクラウン部とソール部と外周の接合部分を除くフェース部の正面である表面にはステンレス合金かチタン合金使用し、フェースの裏面にステンレス合金かチタン合金、亜鉛、銅等の比重４．５から１９．３までの金属や非鉄金属又はセラミックで直径１ｍｍ以上であり深さ０．２ｍｍ以上で凸起状となる錘を、垂直と水平のフェース断面図において２ヶ所以上の場所に接合するか一体とし、表面のステンレス合金かチタン合金の重量と凸起状錘の重量の合計がフェース全体重量の２０％から５０％未満であり、またウエイトエリア面積がフェース面全体の３０±２％の範囲にある凸起面の重量が凸起面全体重量の３０から６０％の範囲とし、そのフェースの重心点がフェースの中心から垂直に伸ばし天に向かった線を０度とした場合、直角となるヒール側９０度から１８０度の範囲で中心から直径１６ｍｍ以内の範囲を除く領域にあることを特徴とするゴルフクラブヘッドのフェース。
【請求項２２３】
ゴルフクラブヘッドのクラウン部とソール部と外周の接合部分を除くフェース部の正面である表面にはステンレス合金かチタン合金使用し、フェースの裏面にステンレス合金かチタン合金、亜鉛、銅等の比重４．５から１９．３までの金属や非鉄金属又はセラミックで直径１ｍｍ以上であり深さ０．２ｍｍ以上で凸起状となる錘の形状が円、楕円、五角、六角形やＵ字形の単または複数パターンであり、フェース表面のステンレス合金かチタン合金に接合か一体とし、表面のステンレス合金かチタン合金の重量と凸起状錘の重量の合計がフェース全体重量の２０％から５０％未満であり、またウエイトエリア面積がフェース面全体の３０±２％の範囲にある凸起面の重量が凸起面全体重量の３０から６０％の範囲とし、そのフェースの重心点がフェースの中心から垂直に伸ばし天に向かった線を０度とした場合、直角となるヒール側９０度から１８０度の範囲で中心から直径１６ｍｍ以内の範囲を除く領域にあることを特徴とするゴルフクラブヘッドのフェース。
【請求項２２４】
ゴルフクラブヘッドのクラウン部とソール部と外周の接合部分を除くフェース部の正面である表面には、カーボン繊維などの比重の軽い素材を使用し、２層目にはステンレス合金かチタン合金を使用し、３層目にステンレス合金かチタン合金、亜鉛、銅等の比重４．５から１９．３までの金属や非鉄金属又はセラミックで直径１ｍｍ以上であり深さ０．２ｍｍ以上で凸起状となる錘を、垂直と水平のフェース断面図において２ヶ所以上の場所に接合するか一体とし、２層目のステンレス合金かチタン合金の重量と凸起状錘の重量の合計がフェース全体重量の２０％から５０％未満であり、またウエイトエリア面積がフェース面全体の３０±２％の範囲にある凸起面の重量が凸起面全体重量の３０から６０％の範囲とし、そのフェースの重心点がフェースの中心から垂直に伸ばし天に向かった線を０度とした場合、直角となるヒール側９０度から１８０度の範囲で中心から直径１６ｍｍ以内の範囲を除く領域にあることを特徴とするゴルフクラブヘッドのフェース。
【請求項２２５】
ゴルフクラブヘッドのクラウン部とソール部と外周の接合部分を除くフェース部の正面である表面には、カーボン繊維などの比重の軽い素材を使用し、２層目にはステンレス合金かチタン合金を使用し、３層目にステンレス合金かチタン合金、亜鉛、銅等の比重４．５から１９．３までの金属や非鉄金属又はセラミックで直径１ｍｍ以上であり深さ０．２ｍｍ以上で凸起状となる錘の形状が円、楕円、五角、六角形やＵ字形の単または複数パターンであり、２層目のステンレス合金かチタン合金に接合か一体とし、２層目のステンレス合金かチタン合金の重量と凸起状錘の重量の合計がフェース全体重量の２０％から５０％未満であり、またウエイトエリア面積がフェース面全体の３０±２％の範囲にある凸起面の重量が凸起面全体重量の３０から６０％の範囲とし、そのフェースの重心点がフェースの中心から垂直に伸ばし天に向かった線を０度とした場合、直角となるヒール側９０度から１８０度の範囲で中心から直径１６ｍｍ以内の範囲を除く領域にあることを特徴とするゴルフクラブヘッドのフェース。
【請求項２２６】
ゴルフクラブヘッドのクラウン部とソール部と外周の接合部分を除くフェース部の正面である表面には、カーボン繊維などの比重の軽い素材を使用し、２層目にはステンレス合金かチタン合金を使用し、３層目にステンレス合金かチタン合金、亜鉛、銅等の比重４．５から１９．３までの金属や非鉄金属又はセラミックで直径１ｍｍ以上であり深さ０．２ｍｍ以上で凸起状となる錘を、垂直と水平のフェース断面図において２ヶ所以上の場所に接合するか一体とし、２層目のステンレス合金かチタン合金の重量と凸起状錘の重量の合計がフェース全体重量の２０％から５０％未満であり、またウエイトエリア面積がフェース面全体の３０±２％の範囲にある凸起面の重量が凸起面全体重量の３０から６０％の範囲とし、そのフェースの重心点がフェースの中心から垂直に伸ばし天に向かった線を０度とした場合、直角となるヒール側９０度から１８０度の範囲で中心から直径１６ｍｍ以内の範囲を除く領域にあることを特徴とするゴルフクラブヘッドのフェース。
【請求項２２７】
ゴルフクラブヘッドのクラウン部とソール部と外周の接合部分を除くフェース部の正面である表面には、カーボン繊維などの比重の軽い素材を使用し、２層目にはステンレス合金かチタン合金を使用し、３層目にステンレス合金かチタン合金、亜鉛、銅等の比重４．５から１９．３までの金属や非鉄金属又はセラミックで直径１ｍｍ以上であり深さ０．２ｍｍ以上で凸起状となる錘の形状が円、楕円、五角、六角形やＵ字形の単または複数パターンであり、２層目のステンレス合金かチタン合金に接合か一体とし、２層目のステンレス合金かチタン合金の重量と凸起状錘の重量の合計がフェース全体重量の２０％から５０％未満であり、またウエイトエリア面積がフェース面全体の３０±２％の範囲にある凸起面の重量が凸起面全体重量の３０から６０％の範囲とし、そのフェースの重心点がフェースの中心から垂直に伸ばし天に向かった線を０度とした場合、直角となるヒール側９０度から１８０度の範囲で中心から直径１６ｍｍ以内の範囲を除く領域にあることを特徴とするゴルフクラブヘッドのフェース。
【請求項２２８】
ゴルフクラブヘッドのクラウン部とソール部と外周の接合部分を除くフェース部正面である表面にステンレス合金かチタン合金を使用し、さらにステンレス合金かチタン合金、亜鉛、銅等の比重４．５から１９．３までの金属や非鉄金属又はセラミックで直径１ｍｍ以上であり深さ０．２ｍｍ以上で凸起状となる錘を、垂直と水平のフェース断面図において２ヶ所以上の場所に接合か一体とし、表面のステンレス合金かチタン合金の重量と凸起状錘の重量の合計がフェース全体重量の２０％から５０％未満であり、またウエイトエリア面積がフェース面全体の３０±２％の範囲にある凸起面の重量が凸起面全体重量の３０から６０％の範囲とし、そのフェースの重心点がフェースの中心から垂直に伸ばし天に向かった線を０度とした場合、０度からトウ側に架けて９０度の範囲で中心から直径１６ｍｍ以内の範囲を除く領域にあることを特徴とするゴルフクラブヘッドのフェース。
【請求項２２９】
ゴルフクラブヘッドのクラウン部とソール部と外周の接合部分を除くフェース部正面である表面にステンレス合金かチタン合金を接合し、さらにステンレス合金かチタン合金、亜鉛、銅等の比重４．５から１９．３までの金属や非鉄金属又はセラミックで直径１ｍｍ以上であり深さ０．２ｍｍ以上で凸起状となる錘の形状が円、楕円、五角、六角形やＵ字形の単または複数パターンであり、フェース表面のステンレス合金かチタン合金に接合か一体とし、表面のステンレス合金かチタン合金の重量と凸起状錘の重量の合計がフェース全体重量の２０％から５０％未満であり、またウエイトエリア面積がフェース面全体の３０±２％の範囲にある凸起面の重量が凸起面全体重量の３０から６０％の範囲とし、そのフェースの重心点がフェースの中心から垂直に伸ばし天に向かった線を０度とした場合、０度からトウ側に架けて９０度の範囲で中心から直径１６ｍｍ以内の範囲を除く領域にあることを特徴とするゴルフクラブヘッドのフェース。
【請求項２３０】
ゴルフクラブヘッドのクラウン部とソール部と外周の接合部分を除くフェース部の正面である表面にはステンレス合金かチタン合金使用し、フェースの裏面にステンレス合金かチタン合金、亜鉛、銅等の比重４．５から１９．３までの金属や非鉄金属又はセラミックで直径１ｍｍ以上であり深さ０．２ｍｍ以上で凸起状となる錘を、垂直と水平のフェース断面図において４ヶ所以上の場所に接合するか一体とし、表面のステンレス合金かチタン合金の重量と凸起状錘の重量の合計がフェース全体重量の２０％から５０％未満であり、またウエイトエリア面積がフェース面全体の３０±２％の範囲にある凸起面の重量が凸起面全体重量の３０から６０％の範囲とし、そのフェースの重心点がフェースの中心から垂直に伸ばし天に向かった線を０度とした場合、０度からトウ側に架けて９０度の範囲で中心から直径１６ｍｍ以内の範囲を除く領域にあることを特徴とするゴルフクラブヘッドのフェース。
【請求項２３１】
ゴルフクラブヘッドのクラウン部とソール部と外周の接合部分を除くフェース部の正面である表面にはステンレス合金かチタン合金使用し、フェースの裏面にステンレス合金かチタン合金、亜鉛、銅等の比重４．５から１９．３までの金属や非鉄金属又はセラミックで直径１ｍｍ以上であり深さ０．２ｍｍ以上で凸起状となる錘の形状が円、楕円、五角、六角形やＵ字形の単または複数パターンであり、フェース表面のステンレス合金かチタン合金に接合か一体とし、表面のステンレス合金かチタン合金の重量と凸起状錘の重量の合計がフェース全体重量の２０％から５０％未満であり、またウエイトエリア面積がフェース面全体の３０±２％の範囲にある凸起面の重量が凸起面全体重量の３０から６０％の範囲とし、そのフェースの重心点がフェースの中心から垂直に伸ばし天に向かった線を０度とした場合、０度からトウ側に架けて９０度の範囲で中心から直径１６ｍｍ以内の範囲を除く領域にあることを特徴とするゴルフクラブヘッドのフェース。
【請求項２３２】
ゴルフクラブヘッドのクラウン部とソール部と外周の接合部分を除くフェース部の正面である表面には、カーボン繊維などの比重の軽い素材を使用し、２層目にはステンレス合金かチタン合金を使用し、３層目にステンレス合金かチタン合金、亜鉛、銅等の比重４．５から１９．３までの金属や非鉄金属又はセラミックで直径１ｍｍ以上であり深さ０．２ｍｍ以上で凸起状となる錘を、垂直と水平のフェース断面図において２ヶ所以上の場所に接合するか一体とし、２層目のステンレス合金かチタン合金の重量と凸起状錘の重量の合計がフェース全体重量の２０％から５０％未満であり、またウエイトエリア面積がフェース面全体の３０±２％の範囲にある凸起面の重量が凸起面全体重量の３０から６０％の範囲とし、そのフェースの重心点がフェースの中心から垂直に伸ばし天に向かった線を０度とした場合、０度からトウ側に架けて９０度の範囲で中心から直径１６ｍｍ以内の範囲を除く領域にあることを特徴とするゴルフクラブヘッドのフェース。
【請求項２３３】
ゴルフクラブヘッドのクラウン部とソール部と外周の接合部分を除くフェース部の正面である表面には、カーボン繊維などの比重の軽い素材を使用し、２層目にはステンレス合金かチタン合金を使用し、３層目にステンレス合金かチタン合金、亜鉛、銅等の比重４．５から１９．３までの金属や非鉄金属又はセラミックで直径１ｍｍ以上であり深さ０．２ｍｍ以上で凸起状となる錘の形状が円、楕円、五角、六角形やＵ字形の単または複数パターンであり、２層目のステンレス合金かチタン合金に接合か一体とし、２層目のステンレス合金かチタン合金の重量と凸起状錘の重量の合計がフェース全体重量の２０％から５０％未満であり、またウエイトエリア面積がフェース面全体の３０±２％の範囲にある凸起面の重量が凸起面全体重量の３０から６０％の範囲とし、そのフェースの重心点がフェースの中心から垂直に伸ばし天に向かった線を０度とした場合、０度からトウ側に架けて９０度の範囲で中心から直径１６ｍｍ以内の範囲を除く領域にあることを特徴とするゴルフクラブヘッドのフェース。
【請求項２３４】
ゴルフクラブヘッドのクラウン部とソール部と外周の接合部分を除くフェース部の正面である表面には、カーボン繊維などの比重の軽い素材を使用し、２層目にはステンレス合金かチタン合金を使用し、３層目にステンレス合金かチタン合金、亜鉛、銅等の比重４．５から１９．３までの金属や非鉄金属又はセラミックで直径１ｍｍ以上であり深さ０．２ｍｍ以上で凸起状となる錘を、垂直と水平のフェース断面図において２ヶ所以上の場所に接合するか一体とし、２層目のステンレス合金かチタン合金の重量と凸起状錘の重量の合計がフェース全体重量の２０％から５０％未満であり、またウエイトエリア面積がフェース面全体の３０±２％の範囲にある凸起面の重量が凸起面全体重量の３０から６０％の範囲とし、そのフェースの重心点がフェースの中心から垂直に伸ばし天に向かった線を０度とした場合、０度からトウ側に架けて９０度の範囲で中心から直径１６ｍｍ以内の範囲を除く領域にあることを特徴とするゴルフクラブヘッドのフェース。
【請求項２３５】
ゴルフクラブヘッドのクラウン部とソール部と外周の接合部分を除くフェース部の正面である表面には、カーボン繊維などの比重の軽い素材を使用し、２層目にはステンレス合金かチタン合金を使用し、３層目にステンレス合金かチタン合金、亜鉛、銅等の比重４．５から１９．３までの金属や非鉄金属又はセラミックで直径１ｍｍ以上であり深さ０．２ｍｍ以上で凸起状となる錘の形状が円、楕円、五角、六角形やＵ字形の単または複数パターンであり、２層目のステンレス合金かチタン合金に接合か一体とし、２層目のステンレス合金かチタン合金の重量と凸起状錘の重量の合計がフェース全体重量の２０％から５０％未満であり、またウエイトエリア面積がフェース面全体の３０±２％の範囲にある凸起面の重量が凸起面全体重量の３０から６０％の範囲とし、そのフェースの重心点がフェースの中心から垂直に伸ばし天に向かった線を０度とした場合、０度からトウ側に架けて９０度の範囲で中心から直径１６ｍｍ以内の範囲を除く領域にあることを特徴とするゴルフクラブヘッドのフェース。
【請求項２３６】
ゴルフクラブヘッドのクラウン部とソール部と外周の接合部分を除くフェース部正面である表面にステンレス合金かチタン合金を使用し、さらにステンレス合金かチタン合金、亜鉛、銅等の比重４．５から１９．３までの金属や非鉄金属又はセラミックで直径１ｍｍ以上であり深さ０．２ｍｍ以上で凸起状となる錘を、垂直と水平のフェース断面図において２ヶ所以上の場所に接合か一体とし、表面のステンレス合金かチタン合金の重量と凸起状錘の重量の合計がフェース全体重量の２０％から５０％未満であり、またウエイトエリア面積がフェース面全体の３０±２％の範囲にある凸起面の重量が凸起面全体重量の３０から６０％の範囲とし、そのフェースの重心点がフェースの中心から垂直に伸ばし天に向かった線を０度とした場合、直角となるトウ側９０度から１８０度の範囲で中心から直径１６ｍｍ以内の範囲を除く領域にあることを特徴とするゴルフクラブヘッドのフェース。
【請求項２３７】
ゴルフクラブヘッドのクラウン部とソール部と外周の接合部分を除くフェース部正面である表面にステンレス合金かチタン合金を使用し、さらにステンレス合金かチタン合金、亜鉛、銅等の比重４．５から１９．３までの金属や非鉄金属又はセラミックで直径１ｍｍ以上であり深さ０．２ｍｍ以上で凸起状となる錘の形状が円、楕円、五角、六角形やＵ字形の単または複数パターンであり、フェース表面のステンレス合金かチタン合金に接合か一体とし、表面のステンレス合金かチタン合金の重量と凸起状錘の重量の合計がフェース全体重量の２０％から５０％未満であり、またウエイトエリア面積がフェース面全体の３０±２％の範囲にある凸起面の重量が凸起面全体重量の３０から６０％の範囲とし、そのフェースの重心点がフェースの中心から垂直に伸ばし天に向かった線を０度とした場合、直角となるトウ側９０度から１８０度の範囲で中心から直径１６ｍｍ以内の範囲を除く領域にあることを特徴とするゴルフクラブヘッドのフェース。
【請求項２３８】
ゴルフクラブヘッドのクラウン部とソール部と外周の接合部分を除くフェース部の正面である表面にはステンレス合金かチタン合金使用し、フェースの裏面にステンレス合金かチタン合金、亜鉛、銅等の比重４．５から１９．３までの金属や非鉄金属又はセラミックで直径１ｍｍ以上であり深さ０．２ｍｍ以上で凸起状となる錘を、垂直と水平のフェース断面図において２ヶ所以上の場所に接合するか一体とし、表面のステンレス合金かチタン合金の重量と凸起状錘の重量の合計がフェース全体重量の２０％から５０％未満であり、またウエイトエリア面積がフェース面全体の３０±２％の範囲にある凸起面の重量が凸起面全体重量の３０から６０％の範囲とし、そのフェースの重心点がフェースの中心から垂直に伸ばし天に向かった線を０度とした場合、直角となるトウ側９０度から１８０度の範囲で中心から直径１６ｍｍ以内の範囲を除く領域にあることを特徴とするゴルフクラブヘッドのフェース。
【請求項２３９】
ゴルフクラブヘッドのクラウン部とソール部と外周の接合部分を除くフェース部の正面である表面にはステンレス合金かチタン合金使用し、フェースの裏面にステンレス合金かチタン合金、亜鉛、銅等の比重４．５から１９．３までの金属や非鉄金属又はセラミックで直径１ｍｍ以上であり深さ０．２ｍｍ以上で凸起状となる錘の形状が円、楕円、五角、六角形やＵ字形の単または複数パターンであり、フェース表面のステンレス合金かチタン合金に接合か一体とし、表面のステンレス合金かチタン合金の重量と凸起状錘の重量の合計がフェース全体重量の２０％から５０％未満であり、またウエイトエリア面積がフェース面全体の３０±２％の範囲にある凸起面の重量が凸起面全体重量の３０から６０％の範囲とし、そのフェースの重心点がフェースの中心から垂直に伸ばし天に向かった線を０度とした場合、直角となるトウ側９０度から１８０度の範囲で中心から直径１６ｍｍ以内の範囲を除く領域にあることを特徴とするゴルフクラブヘッドのフェース。
【請求項２４０】
ゴルフクラブヘッドのクラウン部とソール部と外周の接合部分を除くフェース部の正面である表面には、カーボン繊維などの比重の軽い素材を使用し、２層目にはステンレス合金かチタン合金を使用し、３層目にステンレス合金かチタン合金、亜鉛、銅等の比重４．５から１９．３までの金属や非鉄金属又はセラミックで直径１ｍｍ以上であり深さ０．２ｍｍ以上で凸起状となる錘を、垂直と水平のフェース断面図において２ヶ所以上の場所に接合するか一体とし、２層目のステンレス合金かチタン合金の重量と凸起状錘の重量の合計がフェース全体重量の２０％から５０％未満であり、またウエイトエリア面積がフェース面全体の３０±２％の範囲にある凸起面の重量が凸起面全体重量の３０から６０％の範囲とし、そのフェースの重心点がフェースの中心から垂直に伸ばし天に向かった線を０度とした場合、直角となるトウ側９０度から１８０度の範囲で中心から直径１６ｍｍ以内の範囲を除く領域にあることを特徴とするゴルフクラブヘッドのフェース。
【請求項２４１】
ゴルフクラブヘッドのクラウン部とソール部と外周の接合部分を除くフェース部の正面である表面には、カーボン繊維などの比重の軽い素材を使用し、２層目にはステンレス合金かチタン合金を使用し、３層目にステンレス合金かチタン合金、亜鉛、銅等の比重４．５から１９．３までの金属や非鉄金属又はセラミックで直径１ｍｍ以上であり深さ０．２ｍｍ以上で凸起状となる錘の形状が円、楕円、五角、六角形やＵ字形の単または複数パターンであり、２層目のステンレス合金かチタン合金に接合か一体とし、２層目のステンレス合金かチタン合金の重量と凸起状錘の重量の合計がフェース全体重量の２０％から５０％未満であり、またウエイトエリア面積がフェース面全体の３０±２％の範囲にある凸起面の重量が凸起面全体重量の３０から６０％の範囲とし、そのフェースの重心点がフェースの中心から垂直に伸ばし天に向かった線を０度とした場合、直角となるトウ側９０度から１８０度の範囲で中心から直径１６ｍｍ以内の範囲を除く領域にあることを特徴とするゴルフクラブヘッドのフェース。
【請求項２４２】
ゴルフクラブヘッドのクラウン部とソール部と外周の接合部分を除くフェース部の正面である表面には、カーボン繊維などの比重の軽い素材を使用し、２層目にはステンレス合金かチタン合金を使用し、３層目にステンレス合金かチタン合金、亜鉛、銅等の比重４．５から１９．３までの金属や非鉄金属又はセラミックで直径１ｍｍ以上であり深さ０．２ｍｍ以上で凸起状となる錘を、垂直と水平のフェース断面図において２ヶ所以上の場所に接合するか一体とし、２層目のステンレス合金かチタン合金の重量と凸起状錘の重量の合計がフェース全体重量の２０％から５０％未満であり、またウエイトエリア面積がフェース面全体の３０±２％の範囲にある凸起面の重量が凸起面全体重量の３０から６０％の範囲とし、そのフェースの重心点がフェースの中心から垂直に伸ばし天に向かった線を０度とした場合、直角となるトウ側９０度から１８０度の範囲で中心から直径１６ｍｍ以内の範囲を除く領域にあることを特徴とするゴルフクラブヘッドのフェース。
【請求項２４３】
ゴルフクラブヘッドのクラウン部とソール部と外周の接合部分を除くフェース部の正面である表面には、カーボン繊維などの比重の軽い素材を使用し、２層目にはステンレス合金かチタン合金を使用し、３層目にステンレス合金かチタン合金、亜鉛、銅等の比重４．５から１９．３までの金属や非鉄金属又はセラミックで直径１ｍｍ以上であり深さ０．２ｍｍ以上で凸起状となる錘の形状が円、楕円、五角、六角形やＵ字形の単または複数パターンであり、２層目のステンレス合金かチタン合金に接合か一体とし、２層目のステンレス合金かチタン合金の重量と凸起状錘の重量の合計がフェース全体重量の２０％から５０％未満であり、またウエイトエリア面積がフェース面全体の３０±２％の範囲にある凸起面の重量が凸起面全体重量の３０から６０％の範囲とし、そのフェースの重心点がフェースの中心から垂直に伸ばし天に向かった線を０度とした場合、直角となるトウ側９０度から１８０度の範囲で中心から直径１６ｍｍ以内の範囲を除く領域にあることを特徴とするゴルフクラブヘッドのフェース。
【請求項２４４】
ゴルフクラブヘッドのクラウン部とソール部と外周の接合部分を除くフェース部正面である表面にステンレス合金かチタン合金を使用し、さらに、ステンレス合金かチタン合金、亜鉛、銅等の比重４．５から１９．３までの金属や非鉄金属又はセラミックで直径１ｍｍ以上であり深さ０．２ｍｍ以上で凸起状となる錘を、垂直と水平のフェース断面図において２ヶ所以上の場所に接合か一体とし、表面のステンレス合金かチタン合金の重量と凸起状錘の重量の合計がフェース全体重量の５０％以上から８０％未満であり、またウエイトエリア面積がフェース面全体の３０±２％の範囲にある凸起面の重量が凸起面全体重量の３０から６０％の範囲とし、そのフェースの重心点がフェースの中心から直径１６ｍｍ以内の領域にあることを特徴とするゴルフクラブヘッドのフェース。
【請求項２４５】
ゴルフクラブヘッドのクラウン部とソール部と外周の接合部分を除くフェース部正面である表面にステンレス合金かチタン合金を使用し、さらに、ステンレス合金かチタン合金、亜鉛、銅等の比重４．５から１９．３までの金属や非鉄金属又はセラミックで直径１ｍｍ以上であり深さ０．２ｍｍ以上で凸起状となる錘の形状が円、楕円、五角、六角形やＵ字形の単または複数パターンであり、フェース表面のステンレス合金かチタン合金に接合するか一体とし、表面のステンレス合金かチタン合金の重量と凸起状錘の重量の合計がフェース全体重量の５０％以上から８０％未満であり、またウエイトエリア面積がフェース面全体の３０±２％の範囲にある凸起面の重量が凸起面全体重量の３０から６０％の範囲とし、そのフェースの重心点がフェースの中心から直径１６ｍｍ以内の領域にあることを特徴とするゴルフクラブヘッドのフェース。
【請求項２４６】
ゴルフクラブヘッドのクラウン部とソール部と外周の接合部分を除くフェース部の正面である表面にはステンレス合金かチタン合金使用し、フェースの裏面にステンレス合金かチタン合金、亜鉛、銅等の比重４．５から１９．３までの金属や非鉄金属又はセラミックで直径１ｍｍ以上であり深さ０．２ｍｍ以上で凸起状となる錘を、垂直と水平のフェース断面図において２ヶ所以上の場所に接合するか一体とし、表面のステンレス合金かチタン合金の重量と凸起状錘の重量の合計がフェース全体重量の５０％以上から８０％未満であり、またウエイトエリア面積がフェース面全体の３０±２％の範囲にある凸起面の重量が凸起面全体重量の３０から６０％の範囲とし、そのフェースの重心点がフェースの中心から直径１６ｍｍ以内の領域にあることを特徴とするゴルフクラブヘッドのフェース。
【請求項２４７】
ゴルフクラブヘッドのクラウン部とソール部と外周の接合部分を除くフェース部の正面である表面にはステンレス合金かチタン合金使用し、フェースの裏面にステンレス合金かチタン合金、亜鉛、銅等の比重４．５から１９．３までの金属や非鉄金属又はセラミックで直径１ｍｍ以上であり深さ０．２ｍｍ以上で凸起状となる錘の形状が円、楕円、五角、六角形やＵ字形の単または複数パターンであり、フェース表面のステンレス合金かチタン合金に接合か一体とし、表面のステンレス合金かチタン合金の重量と凸起状錘の重量の合計がフェース全体重量の５０％以上から８０％未満であり、またウエイトエリア面積がフェース面全体の３０±２％の範囲にある凸起面の重量が凸起面全体重量の３０から６０％の範囲とし、そのフェースの重心点がフェースの中心から直径１６ｍｍ以内の領域にあることを特徴とするゴルフクラブヘッドのフェース。
【請求項２４８】
ゴルフクラブヘッドのクラウン部とソール部と外周の接合部分を除くフェース部の正面である表面には、カーボン繊維などの比重の軽い素材を使用し、２層目にはステンレス合金かチタン合金を使用し、３層目にステンレス合金かチタン合金、亜鉛、銅等の比重４．５から１９．３までの金属や非鉄金属又はセラミックで直径１ｍｍ以上であり深さ０．２ｍｍ以上で凸起状となる錘を、垂直と水平のフェース断面図において４ヶ所以上の場所に接合するか一体とし、表面のステンレス合金かチタン合金の重量と凸起状錘の重量の合計がフェース全体重量の５０％以上から８０％未満であり、またウエイトエリア面積がフェース面全体の３０±２％の範囲にある凸起面の重量が凸起面全体重量の３０から６０％の範囲とし、そのフェースの重心点がフェースの中心から直径１６ｍｍ以内の領域にあることを特徴とするゴルフクラブヘッドのフェース。
【請求項２４９】
ゴルフクラブヘッドのクラウン部とソール部と外周の接合部分を除くフェース部の表面には、カーボン繊維などの比重の軽い素材を使用し、２層目にはステンレス合金かチタン合金を使用し、３層目にステンレス合金かチタン合金、亜鉛、銅等の比重４．５から１９．３までの金属や非鉄金属又はセラミックで直径１ｍｍ以上であり深さ０．２ｍｍ以上で凸起状となる錘の形状が円、楕円、五角、六角形やＵ字形の単または複数パターンであり、２層目のステンレス合金かチタン合金に接合か一体とし、２層目のステンレス合金かチタン合金の重量と凸起状錘の重量の合計がフェース全体重量の５０％以上から８０％未満であり、またウエイトエリア面積がフェース面全体の３０±２％の範囲にある凸起面の重量が凸起面全体重量の３０から６０％の範囲とし、そのフェースの重心点がフェースの中心から直径１６ｍｍ以内の領域にあることを特徴とするゴルフクラブヘッドのフェース。
【請求項２５０】
ゴルフクラブヘッドのクラウン部とソール部と外周の接合部分を除くフェース部の正面である表面には、カーボン繊維などの比重の軽い素材を使用し、２層目にはステンレス合金かチタン合金を使用し、３層目にステンレス合金かチタン合金、亜鉛、銅等の比重４．５から１９．３までの金属や非鉄金属又はセラミックで直径１ｍｍ以上であり深さ０．２ｍｍ以上で凸起状となる錘を、垂直と水平のフェース断面図において２ヶ所以上の場所に接合するか一体とし、２層目のステンレス合金かチタン合金の重量と凸起状錘の重量の合計がフェース全体重量の５０％以上から８０％未満であり、またウエイトエリア面積がフェース面全体の３０±２％の範囲にある凸起面の重量が凸起面全体重量の３０から６０％の範囲とし、そのフェースの重心点がフェースの中心から直径１６ｍｍ以内の領域にあることを特徴とするゴルフクラブヘッドのフェース。
【請求項２５１】
ゴルフクラブヘッドのクラウン部とソール部と外周の接合部分を除くフェース部の正面である表面には、カーボン繊維などの比重の軽い素材を使用し、２層目にはステンレス合金かチタン合金を使用し、３層目にステンレス合金かチタン合金、亜鉛、銅等の比重４．５から１９．３までの金属や非鉄金属又はセラミックで直径１ｍｍ以上であり深さ０．２ｍｍ以上で凸起状となる錘の形状が円、楕円、五角、六角形やＵ字形の単または複数パターンであり、２層目のステンレス合金かチタン合金に接合か一体とし、２層目のステンレス合金かチタン合金の重量と凸起状錘の重量の合計がフェース全体重量の５０％以上から８０％未満であり、またウエイトエリア面積がフェース面全体の３０±２％の範囲にある凸起面の重量が凸起面全体重量の３０から６０％の範囲とし、そのフェースの重心点がフェースの中心から直径１６ｍｍ以内の領域にあることを特徴とするゴルフクラブヘッドのフェース。
【請求項２５２】
ゴルフクラブヘッドのクラウン部とソール部と外周の接合部分を除くフェース部正面である表面にステンレス合金かチタン合金を使用し、さらに、ステンレス合金かチタン合金、亜鉛、銅等の比重４．５から１９．３までの金属や非鉄金属又はセラミックで直径１ｍｍ以上であり深さ０．２ｍｍ以上で凸起状となる錘を、垂直と水平のフェース断面図において２ヶ所以上の場所に接合か一体とし、表面のステンレス合金かチタン合金の重量と凸起状錘の重量の合計がフェース全体重量の５０％以上から８０％未満であり、またウエイトエリア面積がフェース面全体の３０±２％の範囲にある凸起面の重量が凸起面全体重量の３０から６０％の範囲とし、そのフェースの重心点がフェースの中心から垂直に伸ばし天に向かった線を０度とした場合、０度からヒール側に架けて９０度の範囲で中心から直径１６ｍｍ以内の範囲を除く領域にあることを特徴とするゴルフクラブヘッドのフェース。
【請求項２５３】
ゴルフクラブヘッドのクラウン部とソール部と外周の接合部分を除くフェース部正面である表面にステンレス合金かチタン合金を使用し、さらに、ステンレス合金かチタン合金、亜鉛、銅等の比重４．５から１９．３までの金属や非鉄金属又はセラミックで直径１ｍｍ以上であり深さ０．２ｍｍ以上で凸起状となる錘の形状が円、楕円、五角、六角形やＵ字形の単または複数パターンであり、フェース表面のステンレス合金かチタン合金に接合するか一体とし、表面のステンレス合金かチタン合金の重量と凸起状錘の重量の合計がフェース全体重量の５０％以上から８０％未満であり、またウエイトエリア面積がフェース面全体の３０±２％の範囲にある凸起面の重量が凸起面全体重量の３０から６０％の範囲とし、そのフェースの重心点がフェースの中心から垂直に伸ばし天に向かった線を０度とした場合、０度からヒール側に架けて９０度の範囲で中心から直径１６ｍｍ以内の範囲を除く領域にあることを特徴とするゴルフクラブヘッドのフェース。
【請求項２５４】
ゴルフクラブヘッドのクラウン部とソール部と外周の接合部分を除くフェース部の正面である表面にはステンレス合金かチタン合金使用し、フェースの裏面にステンレス合金かチタン合金、亜鉛、銅等の比重４．５から１９．３までの金属や非鉄金属又はセラミックで直径１ｍｍ以上であり深さ０．２ｍｍ以上で凸起状となる錘を、垂直と水平のフェース断面図において４ヶ所以上の場所に接合するか一体とし、表面のステンレス合金かチタン合金の重量と凸起状錘の重量の合計がフェース全体重量の５０％以上から８０％未満であり、またウエイトエリア面積がフェース面全体の３０±２％の範囲にある凸起面の重量が凸起面全体重量の３０から６０％の範囲とし、そのフェースの重心点がフェースの中心から垂直に伸ばし天に向かった線を０度とした場合、０度からヒール側に架けて９０度の範囲で中心から直径１６ｍｍ以内の範囲を除く領域にあることを特徴とするゴルフクラブヘッドのフェース。
【請求項２５５】
ゴルフクラブヘッドのクラウン部とソール部と外周の接合部分を除くフェース部の正面である表面にはステンレス合金かチタン合金使用し、フェースの裏面にステンレス合金かチタン合金、亜鉛、銅等の比重４．５から１９．３までの金属や非鉄金属又はセラミックで直径１ｍｍ以上であり深さ０．２ｍｍ以上で凸起状となる錘の形状が円、楕円、五角、六角形やＵ字形の単または複数パターンであり、フェース表面のステンレス合金かチタン合金に接合か一体とし、表面のステンレス合金かチタン合金の重量と凸起状錘の重量の合計がフェース全体重量の５０％以上から８０％未満であり、またウエイトエリア面積がフェース面全体の３０±２％の範囲にある凸起面の重量が凸起面全体重量の３０から６０％の範囲とし、そのフェースの重心点がフェースの中心から垂直に伸ばし天に向かった線を０度とした場合、０度からヒール側に架けて９０度の範囲で中心から直径１６ｍｍ以内の範囲を除く領域にあることを特徴とするゴルフクラブヘッドのフェース。
【請求項２５６】
ゴルフクラブヘッドのクラウン部とソール部と外周の接合部分を除くフェース部の正面である表面には、カーボン繊維などの比重の軽い素材を使用し、２層目にはステンレス合金かチタン合金を使用し、３層目にステンレス合金かチタン合金、亜鉛、銅等の比重４．５から１９．３までの金属や非鉄金属又はセラミックで直径１ｍｍ以上であり深さ０．２ｍｍ以上で凸起状となる錘を、垂直と水平のフェース断面図において２ヶ所以上の場所に接合するか一体とし、２層目のステンレス合金かチタン合金の重量と凸起状錘の重量の合計がフェース全体重量の５０％以上から８０％未満であり、またウエイトエリア面積がフェース面全体の３０±２％の範囲にある凸起面の重量が凸起面全体重量の３０から６０％の範囲とし、そのフェースの重心点がフェースの中心から垂直に伸ばし天に向かった線を０度とした場合、０度からヒール側に架けて９０度の範囲で中心から直径１６ｍｍ以内の範囲を除く領域にあることを特徴とするゴルフクラブヘッドのフェース。
【請求項２５７】
ゴルフクラブヘッドのクラウン部とソール部と外周の接合部分を除くフェース部の正面である表面には、カーボン繊維などの比重の軽い素材を使用し、２層目にはステンレス合金かチタン合金を使用し、３層目にステンレス合金かチタン合金、亜鉛、銅等の比重４．５から１９．３までの金属や非鉄金属又はセラミックで直径１ｍｍ以上であり深さ０．２ｍｍ以上で凸起状となる錘の形状が円、楕円、五角、六角形やＵ字形の単または複数パターンであり、２層目のステンレス合金かチタン合金に接合か一体とし、２層目のステンレス合金かチタン合金の重量と凸起状錘の重量の合計がフェース全体重量の５０％以上から８０％未満であり、またウエイトエリア面積がフェース面全体の３０±２％の範囲にある凸起面の重量が凸起面全体重量の３０から６０％の範囲とし、そのフェースの重心点がフェースの中心から垂直に伸ばし天に向かった線を０度とした場合、０度からヒール側に架けて９０度の範囲で中心から直径１６ｍｍ以内の範囲を除く領域にあることを特徴とするゴルフクラブヘッドのフェース。
【請求項２５８】
ゴルフクラブヘッドのクラウン部とソール部と外周の接合部分を除くフェース部の正面である表面には、カーボン繊維などの比重の軽い素材を使用し、２層目にはステンレス合金かチタン合金を使用し、３層目にステンレス合金かチタン合金、亜鉛、銅等の比重４．５から１９．３までの金属や非鉄金属又はセラミックで直径１ｍｍ以上であり深さ０．２ｍｍ以上で凸起状となる錘を、垂直と水平のフェース断面図において２ヶ所以上の場所に接合するか一体とし、２層目のステンレス合金かチタン合金の重量と凸起状錘の重量の合計がフェース全体重量の５０％以上から８０％未満であり、またウエイトエリア面積がフェース面全体の３０±２％の範囲にある凸起面の重量が凸起面全体重量の３０から６０％の範囲とし、そのフェースの重心点がフェースの中心から垂直に伸ばし天に向かった線を０度とした場合、０度からヒール側に架けて９０度の範囲で中心から直径１６ｍｍ以内の範囲を除く領域にあることを特徴とするゴルフクラブヘッドのフェース。
【請求項２５９】
ゴルフクラブヘッドのクラウン部とソール部と外周の接合部分を除くフェース部の正面である表面には、カーボン繊維などの比重の軽い素材を使用し、２層目にはステンレス合金かチタン合金を使用し、３層目にステンレス合金かチタン合金、亜鉛、銅等の比重４．５から１９．３までの金属や非鉄金属又はセラミックで直径１ｍｍ以上であり深さ０．２ｍｍ以上で凸起状となる錘の形状が円、楕円、五角、六角形やＵ字形の単または複数パターンであり、２層目のステンレス合金かチタン合金に接合か一体とし、２層目のステンレス合金かチタン合金の重量と凸起状錘の重量の合計がフェース全体重量の５０％以上から８０％未満であり、またウエイトエリア面積がフェース面全体の３０±２％の範囲にある凸起面の重量が凸起面全体重量の３０から６０％の範囲とし、そのフェースの重心点がフェースの中心から垂直に伸ばし天に向かった線を０度とした場合、０度からヒール側に架けて９０度の範囲で中心から直径１６ｍｍ以内の範囲を除く領域にあることを特徴とするゴルフクラブヘッドのフェース。
【請求項２６０】
ゴルフクラブヘッドのクラウン部とソール部と外周の接合部分を除くフェース部正面である表面にステンレス合金かチタン合金を使用し、さらにステンレス合金かチタン合金、亜鉛、銅等の比重４．５から１９．３までの金属や非鉄金属又はセラミックで直径１ｍｍ以上であり深さ０．２ｍｍ以上で凸起状となる錘を、垂直と水平のフェース断面図において２ヶ所以上の場所に接合か一体とし、表面のステンレス合金かチタン合金の重量と凸起状錘の重量の合計がフェース全体重量の５０％以上から８０％未満であり、またウエイトエリア面積がフェース面全体の３０±２％の範囲にある凸起面の重量が凸起面全体重量の３０から６０％の範囲とし、そのフェースの重心点がフェースの中心から垂直に伸ばし天に向かった線を０度とした場合、直角となるヒール側９０度から１８０度の範囲で中心から直径１６ｍｍ以内の範囲を除く領域にあることを特徴とするゴルフクラブヘッドのフェース。
【請求項２６１】
ゴルフクラブヘッドのクラウン部とソール部と外周の接合部分を除くフェース部正面である表面にステンレス合金かチタン合金を使用し、さらにステンレス合金かチタン合金、亜鉛、銅等の比重４．５から１９．３までの金属や非鉄金属又はセラミックで直径１ｍｍ以上であり深さ０．２ｍｍ以上で凸起状となる錘の形状が円、楕円、五角、六角形やＵ字形の単または複数パターンであり、フェース表面のステンレス合金かチタン合金に接合か一体とし、表面のステンレス合金かチタン合金の重量と凸起状錘の重量の合計がフェース全体重量の５０％以上から８０％未満であり、またウエイトエリア面積がフェース面全体の３０±２％の範囲にある凸起面の重量が凸起面全体重量の３０から６０％の範囲とし、そのフェースの重心点がフェースの中心から垂直に伸ばし天に向かった線を０度とした場合、直角となるヒール側９０度から１８０度の範囲で中心から直径１６ｍｍ以内の範囲を除く領域にあることを特徴とするゴルフクラブヘッドのフェース。
【請求項２６２】
ゴルフクラブヘッドのクラウン部とソール部と外周の接合部分を除くフェース部の正面である表面にはステンレス合金かチタン合金使用し、フェースの裏面にステンレス合金かチタン合金、亜鉛、銅等の比重４．５から１９．３までの金属や非鉄金属又はセラミックで直径１ｍｍ以上であり深さ０．２ｍｍ以上で凸起状となる錘を、垂直と水平のフェース断面図において２ヶ所以上の場所に接合するか一体とし、表面のステンレス合金かチタン合金の重量と凸起状錘の重量の合計がフェース全体重量の５０％以上から８０％未満であり、またウエイトエリア面積がフェース面全体の３０±２％の範囲にある凸起面の重量が凸起面全体重量の３０から６０％の範囲とし、そのフェースの重心点がフェースの中心から垂直に伸ばし天に向かった線を０度とした場合、直角となるヒール側９０度から１８０度の範囲で中心から直径１６ｍｍ以内の範囲を除く領域にあることを特徴とするゴルフクラブヘッドのフェース。
【請求項２６３】
ゴルフクラブヘッドのクラウン部とソール部と外周の接合部分を除くフェース部の正面である表面にはステンレス合金かチタン合金使用し、フェースの裏面にステンレス合金かチタン合金、亜鉛、銅等の比重４．５から１９．３までの金属や非鉄金属又はセラミックで直径１ｍｍ以上であり深さ０．２ｍｍ以上で凸起状となる錘の形状が円、楕円、五角、六角形やＵ字形の単または複数パターンであり、フェース表面のステンレス合金かチタン合金に接合か一体とし、表面のステンレス合金かチタン合金の重量と凸起状錘の重量の合計がフェース全体重量の５０％以上から８０％未満であり、またウエイトエリア面積がフェース面全体の３０±２％の範囲にある凸起面の重量が凸起面全体重量の３０から６０％の範囲とし、そのフェースの重心点がフェースの中心から垂直に伸ばし天に向かった線を０度とした場合、直角となるヒール側９０度から１８０度の範囲で中心から直径１６ｍｍ以内の範囲を除く領域にあることを特徴とするゴルフクラブヘッドのフェース。
【請求項２６４】
ゴルフクラブヘッドのクラウン部とソール部と外周の接合部分を除くフェース部の正面である表面には、カーボン繊維などの比重の軽い素材を使用し、２層目にはステンレス合金かチタン合金を使用し、３層目にステンレス合金かチタン合金、亜鉛、銅等の比重４．５から１９．３までの金属や非鉄金属又はセラミックで直径１ｍｍ以上であり深さ０．２ｍｍ以上で凸起状となる錘を、垂直と水平のフェース断面図において２ヶ所以上の場所に接合するか一体とし、２層目のステンレス合金かチタン合金の重量と凸起状錘の重量の合計がフェース全体重量の５０％以上から８０％未満であり、またウエイトエリア面積がフェース面全体の３０±２％の範囲にある凸起面の重量が凸起面全体重量の３０から６０％の範囲とし、そのフェースの重心点がフェースの中心から垂直に伸ばし天に向かった線を０度とした場合、直角となるヒール側９０度から１８０度の範囲で中心から直径１６ｍｍ以内の範囲を除く領域にあることを特徴とするゴルフクラブヘッドのフェース。
【請求項２６５】
ゴルフクラブヘッドのクラウン部とソール部と外周の接合部分を除くフェース部の正面である表面には、カーボン繊維などの比重の軽い素材を使用し、２層目にはステンレス合金かチタン合金を使用し、３層目にステンレス合金かチタン合金、亜鉛、銅等の比重４．５から１９．３までの金属や非鉄金属又はセラミックで直径１ｍｍ以上であり深さ０．２ｍｍ以上で凸起状となる錘の形状が円、楕円、五角、六角形やＵ字形の単または複数パターンであり、２層目のステンレス合金かチタン合金に接合か一体とし、２層目のステンレス合金かチタン合金の重量と凸起状錘の重量の合計がフェース全体重量の５０％以上から８０％未満であり、またウエイトエリア面積がフェース面全体の３０±２％の範囲にある凸起面の重量が凸起面全体重量の３０から６０％の範囲とし、そのフェースの重心点がフェースの中心から垂直に伸ばし天に向かった線を０度とした場合、直角となるヒール側９０度から１８０度の範囲で中心から直径１６ｍｍ以内の範囲を除く領域にあることを特徴とするゴルフクラブヘッドのフェース。
【請求項２６６】
ゴルフクラブヘッドのクラウン部とソール部と外周の接合部分を除くフェース部の正面である表面には、カーボン繊維などの比重の軽い素材を使用し、２層目にはステンレス合金かチタン合金を使用し、３層目にステンレス合金かチタン合金、亜鉛、銅等の比重４．５から１９．３までの金属や非鉄金属又はセラミックで直径１ｍｍ以上であり深さ０．２ｍｍ以上で凸起状となる錘を、垂直と水平のフェース断面図において２ヶ所以上の場所に接合するか一体とし、２層目のステンレス合金かチタン合金の重量と凸起状錘の重量の合計がフェース全体重量の５０％以上から８０％未満であり、またウエイトエリア面積がフェース面全体の３０±２％の範囲にある凸起面の重量が凸起面全体重量の３０から６０％の範囲とし、そのフェースの重心点がフェースの中心から垂直に伸ばし天に向かった線を０度とした場合、直角となるヒール側９０度から１８０度の範囲で中心から直径１６ｍｍ以内の範囲を除く領域にあることを特徴とするゴルフクラブヘッドのフェース。
【請求項２６７】
ゴルフクラブヘッドのクラウン部とソール部と外周の接合部分を除くフェース部の正面である表面には、カーボン繊維などの比重の軽い素材を使用し、２層目にはステンレス合金かチタン合金を使用し、３層目にステンレス合金かチタン合金、亜鉛、銅等の比重４．５から１９．３までの金属や非鉄金属又はセラミックで直径１ｍｍ以上であり深さ０．２ｍｍ以上で凸起状となる錘の形状が円、楕円、五角、六角形やＵ字形の単または複数パターンであり、２層目のステンレス合金かチタン合金に接合か一体とし、２層目のステンレス合金かチタン合金の重量と凸起状錘の重量の合計がフェース全体重量の５０％以上から８０％未満であり、またウエイトエリア面積がフェース面全体の３０±２％の範囲にある凸起面の重量が凸起面全体重量の３０から６０％の範囲とし、そのフェースの重心点がフェースの中心から垂直に伸ばし天に向かった線を０度とした場合、直角となるヒール側９０度から１８０度の範囲で中心から直径１６ｍｍ以内の範囲を除く領域にあることを特徴とするゴルフクラブヘッドのフェース。
【請求項２６８】
ゴルフクラブヘッドのクラウン部とソール部と外周の接合部分を除くフェース部正面である表面にステンレス合金かチタン合金を使用し、さらにステンレス合金かチタン合金、亜鉛、銅等の比重４．５から１９．３までの金属や非鉄金属又はセラミックで直径１ｍｍ以上であり深さ０．２ｍｍ以上で凸起状となる錘を、垂直と水平のフェース断面図において２ヶ所以上の場所に接合か一体とし、表面のステンレス合金かチタン合金の重量と凸起状錘の重量の合計がフェース全体重量の５０％以上から８０％未満であり、またウエイトエリア面積がフェース面全体の３０±２％の範囲にある凸起面の重量が凸起面全体重量の３０から６０％の範囲とし、そのフェースの重心点がフェースの中心から垂直に伸ばし天に向かった線を０度とした場合、０度からトウ側に架けて９０度の範囲で中心から直径１６ｍｍ以内の範囲を除く領域にあることを特徴とするゴルフクラブヘッドのフェース。
【請求項２６９】
ゴルフクラブヘッドのクラウン部とソール部と外周の接合部分を除くフェース部正面である表面にステンレス合金かチタン合金を使用し、その間にステンレス合金かチタン合金、亜鉛、銅等の比重４．５から１９．３までの金属や非鉄金属又はセラミックで直径１ｍｍ以上であり深さ０．２ｍｍ以上で凸起状となる錘の形状が円、楕円、五角、六角形やＵ字形の単または複数パターンであり、フェース表面のステンレス合金かチタン合金に接合か一体とし、表面のステンレス合金かチタン合金の重量と凸起状錘の重量の合計がフェース全体重量の５０％以上から８０％未満であり、またウエイトエリア面積がフェース面全体の３０±２％の範囲にある凸起面の重量が凸起面全体重量の３０から６０％の範囲とし、そのフェースの重心点がフェースの中心から垂直に伸ばし天に向かった線を０度とした場合、０度からトウ側に架けて９０度の範囲で中心から直径１６ｍｍ以内の範囲を除く領域にあることを特徴とするゴルフクラブヘッドのフェース。
【請求項２７０】
ゴルフクラブヘッドのクラウン部とソール部と外周の接合部分を除くフェース部の正面である表面にはステンレス合金かチタン合金使用し、フェースの裏面にステンレス合金かチタン合金、亜鉛、銅等の比重４．５から１９．３までの金属や非鉄金属又はセラミックで直径１ｍｍ以上であり深さ０．２ｍｍ以上で凸起状となる錘を、垂直と水平のフェース断面図において２ヶ所以上の場所に接合するか一体とし、表面のステンレス合金かチタン合金の重量と凸起状錘の重量の合計がフェース全体重量の５０％以上から８０％未満であり、またウエイトエリア面積がフェース面全体の３０±２％の範囲にある凸起面の重量が凸起面全体重量の３０から６０％の範囲とし、そのフェースの重心点がフェースの中心から垂直に伸ばし天に向かった線を０度とした場合、０度からトウ側に架けて９０度の範囲で中心から直径１６ｍｍ以内の範囲を除く領域にあることを特徴とするゴルフクラブヘッドのフェース。
【請求項２７１】
ゴルフクラブヘッドのクラウン部とソール部と外周の接合部分を除くフェース部の正面である表面にはステンレス合金かチタン合金使用し、フェースの裏面にステンレス合金かチタン合金、亜鉛、銅等の比重４．５から１９．３までの金属や非鉄金属又はセラミックで直径１ｍｍ以上であり深さ０．２ｍｍ以上で凸起状となる錘の形状が円、楕円、五角、六角形やＵ字形の単または複数パターンであり、フェース表面のステンレス合金かチタン合金に接合か一体とし、表面のステンレス合金かチタン合金の重量と凸起状錘の重量の合計がフェース全体重量の５０％以上から８０％未満であり、またウエイトエリア面積がフェース面全体の３０±２％の範囲にある凸起面の重量が凸起面全体重量の３０から６０％の範囲とし、そのフェースの重心点がフェースの中心から垂直に伸ばし天に向かった線を０度とした場合、０度からトウ側に架けて９０度の範囲で中心から直径１６ｍｍ以内の範囲を除く領域にあることを特徴とするゴルフクラブヘッドのフェース。
【請求項２７２】
ゴルフクラブヘッドのクラウン部とソール部と外周の接合部分を除くフェース部の正面である表面には、カーボン繊維などの比重の軽い素材を使用し、２層目にはステンレス合金かチタン合金を使用し、３層目にステンレス合金かチタン合金、亜鉛、銅等の比重４．５から１９．３までの金属や非鉄金属又はセラミックで直径１ｍｍ以上であり深さ０．２ｍｍ以上で凸起状となる錘を、垂直と水平のフェース断面図において２ヶ所以上の場所に接合するか一体とし、２層目のステンレス合金かチタン合金の重量と凸起状錘の重量の合計がフェース全体重量の５０％以上から８０％未満であり、またウエイトエリア面積がフェース面全体の３０±２％の範囲にある凸起面の重量が凸起面全体重量の３０から６０％の範囲とし、そのフェースの重心点がフェースの中心から垂直に伸ばし天に向かった線を０度とした場合、０度からトウ側に架けて９０度の範囲で中心から直径１６ｍｍ以内の範囲を除く領域にあることを特徴とするゴルフクラブヘッドのフェース。
【請求項２７３】
ゴルフクラブヘッドのクラウン部とソール部と外周の接合部分を除くフェース部の正面である表面には、カーボン繊維などの比重の軽い素材を使用し、２層目にはステンレス合金かチタン合金を使用し、３層目にステンレス合金かチタン合金、亜鉛、銅等の比重４．５から１９．３までの金属や非鉄金属又はセラミックで直径１ｍｍ以上であり深さ０．２ｍｍ以上で凸起状となる錘の形状が円、楕円、五角、六角形やＵ字形の単または複数パターンであり、２層目のステンレス合金かチタン合金に接合か一体とし、２層目のステンレス合金かチタン合金の重量と凸起状錘の重量の合計がフェース全体重量の５０％以上から８０％未満であり、またウエイトエリア面積がフェース面全体の３０±２％の範囲にある凸起面の重量が凸起面全体重量の３０から６０％の範囲とし、そのフェースの重心点がフェースの中心から垂直に伸ばし天に向かった線を０度とした場合、０度からトウ側に架けて９０度の範囲で中心から直径１６ｍｍ以内の範囲を除く領域にあることを特徴とするゴルフクラブヘッドのフェース。
【請求項２７４】
ゴルフクラブヘッドのクラウン部とソール部と外周の接合部分を除くフェース部の正面である表面には、カーボン繊維などの比重の軽い素材を使用し、２層目にはステンレス合金かチタン合金を使用し、３層目にステンレス合金かチタン合金、亜鉛、銅等の比重４．５から１９．３までの金属や非鉄金属又はセラミックで直径１ｍｍ以上であり深さ０．２ｍｍ以上で凸起状となる錘を、垂直と水平のフェース断面図において２ヶ所以上の場所に接合するか一体とし、２層目のステンレス合金かチタン合金の重量と凸起状錘の重量の合計がフェース全体重量の５０％以上から８０％未満であり、またウエイトエリア面積がフェース面全体の３０±２％の範囲にある凸起面の重量が凸起面全体重量の３０から６０％の範囲とし、そのフェースの重心点がフェースの中心から垂直に伸ばし天に向かった線を０度とした場合、０度からトウ側に架けて９０度の範囲で中心から直径１６ｍｍ以内の範囲を除く領域にあることを特徴とするゴルフクラブヘッドのフェース。
【請求項２７５】
ゴルフクラブヘッドのクラウン部とソール部と外周の接合部分を除くフェース部の正面である表面には、カーボン繊維などの比重の軽い素材を使用し、２層目にはステンレス合金かチタン合金を使用し、３層目にステンレス合金かチタン合金、亜鉛、銅等の比重４．５から１９．３までの金属や非鉄金属又はセラミックで直径１ｍｍ以上であり深さ０．２ｍｍ以上で凸起状となる錘の形状が円、楕円、五角、六角形やＵ字形の単または複数パターンであり、２層目のステンレス合金かチタン合金に接合か一体とし、２層目のステンレス合金かチタン合金の重量と凸起状錘の重量の合計がフェース全体重量の５０％以上から８０％未満であり、またウエイトエリア面積がフェース面全体の３０±２％の範囲にある凸起面の重量が凸起面全体重量の３０から６０％の範囲とし、そのフェースの重心点がフェースの中心から垂直に伸ばし天に向かった線を０度とした場合、０度からトウ側に架けて９０度の範囲で中心から直径１６ｍｍ以内の範囲を除く領域にあることを特徴とするゴルフクラブヘッドのフェース。
【請求項２７６】
ゴルフクラブヘッドのクラウン部とソール部と外周の接合部分を除くフェース部正面である表面にステンレス合金かチタン合金を使用し、さらにステンレス合金かチタン合金、亜鉛、銅等の比重４．５から１９．３までの金属や非鉄金属又はセラミックで直径１ｍｍ以上であり深さ０．２ｍｍ以上で凸起状となる錘を、垂直と水平のフェース断面図において２ヶ所以上の場所に接合か一体とし、表面のステンレス合金かチタン合金の重量と凸起状錘の重量の合計がフェース全体重量の５０％以上から８０％未満であり、またウエイトエリア面積がフェース面全体の３０±２％の範囲にある凸起面の重量が凸起面全体重量の３０から６０％の範囲とし、そのフェースの重心点がフェースの中心から垂直に伸ばし天に向かった線を０度とした場合、直角となるトウ側９０度から１８０度の範囲で中心から直径１６ｍｍ以内の範囲を除く領域にあることを特徴とするゴルフクラブヘッドのフェース。
【請求項２７７】
ゴルフクラブヘッドのクラウン部とソール部と外周の接合部分を除くフェース部正面である表面にステンレス合金かチタン合金を使用し、さらにステンレス合金かチタン合金、亜鉛、銅等の比重４．５から１９．３までの金属や非鉄金属又はセラミックで直径１ｍｍ以上であり深さ０．２ｍｍ以上で凸起状となる錘の形状が円、楕円、五角、六角形やＵ字形の単または複数パターンであり、フェース表面のステンレス合金かチタン合金に接合か一体とし、表面のステンレス合金かチタン合金の重量と凸起状錘の重量の合計がフェース全体重量の５０％以上から８０％未満であり、またウエイトエリア面積がフェース面全体の３０±２％の範囲にある凸起面の重量が凸起面全体重量の３０から６０％の範囲とし、そのフェースの重心点がフェースの中心から垂直に伸ばし天に向かった線を０度とした場合、直角となるトウ側９０度から１８０度の範囲で中心から直径１６ｍｍ以内の範囲を除く領域にあることを特徴とするゴルフクラブヘッドのフェース。
【請求項２７８】
ゴルフクラブヘッドのクラウン部とソール部と外周の接合部分を除くフェース部の正面である表面にはステンレス合金かチタン合金使用し、フェースの裏面にステンレス合金かチタン合金、亜鉛、銅等の比重４．５から１９．３までの金属や非鉄金属又はセラミックで直径１ｍｍ以上であり深さ０．２ｍｍ以上で凸起状となる錘を、垂直と水平のフェース断面図において２ヶ所以上の場所に接合するか一体とし、表面のステンレス合金かチタン合金の重量と凸起状錘の重量の合計がフェース全体重量の５０％以上から８０％未満であり、またウエイトエリア面積がフェース面全体の３０±２％の範囲にある凸起面の重量が凸起面全体重量の３０から６０％の範囲とし、そのフェースの重心点がフェースの中心から垂直に伸ばし天に向かった線を０度とした場合、直角となるトウ側９０度から１８０度の範囲で中心から直径１６ｍｍ以内の範囲を除く領域にあることを特徴とするゴルフクラブヘッドのフェース。
【請求項２７９】
ゴルフクラブヘッドのクラウン部とソール部と外周の接合部分を除くフェース部の正面である表面にはステンレス合金かチタン合金使用し、フェースの裏面にステンレス合金かチタン合金、亜鉛、銅等の比重４．５から１９．３までの金属や非鉄金属又はセラミックで直径１ｍｍ以上であり深さ０．２ｍｍ以上で凸起状となる錘の形状が円、楕円、五角、六角形やＵ字形の単または複数パターンであり、フェース表面のステンレス合金かチタン合金に接合か一体とし、表面のステンレス合金かチタン合金の重量と凸起状錘の重量の合計がフェース全体重量の５０％以上から８０％未満であり、またウエイトエリア面積がフェース面全体の３０±２％の範囲にある凸起面の重量が凸起面全体重量の３０から６０％の範囲とし、そのフェースの重心点がフェースの中心から垂直に伸ばし天に向かった線を０度とした場合、直角となるトウ側９０度から１８０度の範囲で中心から直径１６ｍｍ以内の範囲を除く領域にあることを特徴とするゴルフクラブヘッドのフェース。
【請求項２８０】
ゴルフクラブヘッドのクラウン部とソール部と外周の接合部分を除くフェース部の正面である表面には、カーボン繊維などの比重の軽い素材を使用し、２層目にはステンレス合金かチタン合金を使用し、３層目にステンレス合金かチタン合金、亜鉛、銅等の比重４．５から１９．３までの金属や非鉄金属又はセラミックで直径１ｍｍ以上であり深さ０．２ｍｍ以上で凸起状となる錘を、垂直と水平のフェース断面図において２ヶ所以上の場所に接合するか一体とし、２層目のステンレス合金かチタン合金の重量と凸起状錘の重量の合計がフェース全体重量の５０％以上から８０％未満であり、またウエイトエリア面積がフェース面全体の３０±２％の範囲にある凸起面の重量が凸起面全体重量の３０から６０％の範囲とし、そのフェースの重心点がフェースの中心から垂直に伸ばし天に向かった線を０度とした場合、直角となるトウ側９０度から１８０度の範囲で中心から直径１６ｍｍ以内の範囲を除く領域にあることを特徴とするゴルフクラブヘッドのフェース。
【請求項２８１】
ゴルフクラブヘッドのクラウン部とソール部と外周の接合部分を除くフェース部の正面である表面には、カーボン繊維などの比重の軽い素材を使用し、２層目にはステンレス合金かチタン合金を使用し、３層目にステンレス合金かチタン合金、亜鉛、銅等の比重４．５から１９．３までの金属や非鉄金属又はセラミックで直径１ｍｍ以上であり深さ０．２ｍｍ以上で凸起状となる錘の形状が円、楕円、五角、六角形やＵ字形の単または複数パターンであり、２層目のステンレス合金かチタン合金に接合か一体とし、２層目のステンレス合金かチタン合金の重量と凸起状錘の重量の合計がフェース全体重量の５０％以上から８０％未満であり、またウエイトエリア面積がフェース面全体の３０±２％の範囲にある凸起面の重量が凸起面全体重量の３０から６０％の範囲とし、そのフェースの重心点がフェースの中心から垂直に伸ばし天に向かった線を０度とした場合、直角となるトウ側９０度から１８０度の範囲で中心から直径１６ｍｍ以内の範囲を除く領域にあることを特徴とするゴルフクラブヘッドのフェース。
【請求項２８２】
ゴルフクラブヘッドのクラウン部とソール部と外周の接合部分を除くフェース部の正面である表面には、カーボン繊維などの比重の軽い素材を使用し、２層目にはステンレス合金かチタン合金を使用し、３層目にステンレス合金かチタン合金、亜鉛、銅等の比重４．５から１９．３までの金属や非鉄金属又はセラミックで直径１ｍｍ以上であり深さ０．２ｍｍ以上で凸起状となる錘を、垂直と水平のフェース断面図において２ヶ所以上の場所に接合するか一体とし、２層目のステンレス合金かチタン合金の重量と凸起状錘の重量の合計がフェース全体重量の５０％以上から８０％未満であり、またウエイトエリア面積がフェース面全体の３０±２％の範囲にある凸起面の重量が凸起面全体重量の３０から６０％の範囲とし、そのフェースの重心点がフェースの中心から垂直に伸ばし天に向かった線を０度とした場合、直角となるトウ側９０度から１８０度の範囲で中心から直径１６ｍｍ以内の範囲を除く領域にあることを特徴とするゴルフクラブヘッドのフェース。
【請求項２８３】
ゴルフクラブヘッドのクラウン部とソール部と外周の接合部分を除くフェース部の正面である表面には、カーボン繊維などの比重の軽い素材を使用し、２層目にはステンレス合金かチタン合金を使用し、３層目にステンレス合金かチタン合金、亜鉛、銅等の比重４．５から１９．３までの金属や非鉄金属又はセラミックで直径１ｍｍ以上であり深さ０．２ｍｍ以上で凸起状となる錘の形状が円、楕円、五角、六角形やＵ字形の単または複数パターンであり、２層目のステンレス合金かチタン合金に接合か一体とし、２層目のステンレス合金かチタン合金の重量と凸起状錘の重量の合計がフェース全体重量の５０％以上から８０％未満であり、またウエイトエリア面積がフェース面全体の３０±２％の範囲にある凸起面の重量が凸起面全体重量の３０から６０％の範囲とし、そのフェースの重心点がフェースの中心から垂直に伸ばし天に向かった線を０度とした場合、直角となるトウ側９０度から１８０度の範囲で中心から直径１６ｍｍ以内の範囲を除く領域にあることを特徴とするゴルフクラブヘッドのフェース。
【請求項２８４】
請求項１から請求項２８０のゴルフクラブヘッドのフェースにおいて、ゴルフクラブヘッドのフェース内側でありクラウン部とソール部と外周との溶接ヶ所付近の内側の巾が１０ｍｍ以内で、クラウン部のトップライン中心付近とソール中心付近のトウからヒールに向かっての横幅が５０ｍｍ以内の領域で、肉厚がフェース中心部の肉厚より厚くした部分の錘の重さがフェース部分全体重量の２％から１０％までの重さであり、その取り付け位置がクラウン部のトップライン中心付近もしくはソール中心付近の両方に付けるか、又はどちらか一方に取り付けたことを特徴とするゴルフクラブヘッドのフェース。
【請求項２８５】
請求項１から請求項２８０のゴルフクラブヘッドのフェースにおいて、ゴルフクラブヘッドのフェース内側でありクラウン部とソール部と外周との溶接ヶ所付近の内側の巾が１０ｍｍ以内で、クラウン部のトップライン中心付近とソール中心付近のトウからヒールに向かっての横幅が５０ｍｍ以内の領域で、肉厚がフェース中心部の肉厚より厚くした部分の錘の重さがフェース部分全体重量の１０％から２０％までの重さであり、その取り付け位置がクラウン部のトップライン中心付近もしくはソール中心付近の両方に付けるか、又はどちらか一方に取り付けたことを特徴とするゴルフクラブヘッドのフェース。
【請求項２８６】
請求項１から請求項２８０のゴルフクラブヘッドのフェースにおいて、ゴルフクラブヘッドのフェース内側でありクラウン部とソール部と外周との溶接ヶ所付近の内側の巾が１０ｍｍ以内で、クラウン部のトップライン中心付近とソール中心付近のトウからヒールに向かっての横幅が５０ｍｍ以内の領域で、肉厚がフェース中心部の肉厚より厚くした部分の錘の重さがフェース部分全体重量の２０％から３０％までの重さであり、その取り付け位置がクラウン部のトップライン中心付近もしくはソール中心付近の両方に付けるか、又はどちらか一方に取り付けたことを特徴とするゴルフクラブヘッドのフェース。
【請求項２８７】
請求項１から請求項２８６について、多層にかけての部分は、別々ではなく一体として製作したゴルフクラブヘッド。
【発明の詳細な説明】
【０００１】
【発明の属する技術分野　】
この発明は、ゴルフクラブヘッドのフェースに関する。基本設計思想は、フェース部分を多層にし、内部に凹凸を付けたり各種比重の材料の調整により、飛距離やコントロール、音、衝撃吸収効果を組み合わせた、ゴルフクラブヘッドのフェースに関するものである。
【０００２】
【従来の技術　】
ゴルフクラブヘッドは、低重心、さらには、高反発フェースとヘッド体積とフェース面積の大きさに集中する。
【０００３】
ブリヂストンスポーツ株式会社、蛭田　正巨の特許公開番号・特開平９−２７６４５５には、インパクトの振動が手に伝わりにくく、打感も優れたものとする。
【０００４】
福井光器株式会社の特許公開番号・特開平１０−１７０８７３には、非常に軽くて長時間着用しても疲れなく、又レンズに無理がかからず該レンズとの馴染みのよいメガネフレームの提供。
【０００５】
有限会社アニージングスポーツ・寺本征一郎の特許公開番号・特開平１１−３３３０３７には、独自の縦横軸における番手毎の慣性モーメント理論の基づいてクラブヘッドのウエイトとフェースラウンドさらにはシャフトのトルク減衰率と時間、トルクの固有振動数調整を行うことによって、最適なバックスピン・サイドスピン量及び最適なパワーをボールに与える。
【０００６】
【発明が解決しようとする課題　】
ロングクラブのゴルフクラブヘッドのフェースについて、広い面積を採用しさらに肉厚を薄く、フェース周辺部の厚みを調整することで、打ちやすくさらにトランポリン効果重視したゴルフクラブヘッドのフェースが多い。
【０００７】
ゴルフクラブヘッドのフェースについては、薄くすることで飛距離増を狙っているのがほとんどであり、金属音の違和感があるプレーヤーも多い。
【０００８】
練習量の多いプレーヤーや初心者、高齢者、女性ゴルファーにとってだけでなく、プロゴルファーのトーナメントプレヤーについてもインパクト時の衝撃は好ましいものではない。手首のけんしょう炎や腰に対しての衝撃を和らげることは解決すべきもっとも重要な課題である。
【０００９】
勿論、インパクト時の衝撃は、ミスショットだけでなく、ナイスショットにおいても無視することの出来ない問題である。
【００１０】
従来は、ヘッドの体積を大きく設定することでアドレスした状態の安定感が得られるので、飛距離が出て良いゴルフクラブヘッドとなっている。
【００１１】
前述のようなゴルフクラブヘッドを使用すれば距離増が期待でき、ゴルフプレーがやさしくなるだけでなく、楽しくなるとされている。しかし、従来から言われているスイートエリアは広く大きくなるだけでは、飛距離増とコントロール性の向上の期待は難しい。
【００１２】
また、ゴルフクラブヘッドフェースの衝撃を和らげ、ボールの滑りや反発力だけでなく、正確な方向性、さらには好みの音をも選択しやすくすることができるようにする必要がある。
【００１３】
現在市場にあるチタンヘッドのフェースは２．５から３ｍｍ程度の物が多い。マグネシュームの単体のフェースにした場合、２０から３０ｍｍと約１０倍の厚みである、このことは、マグネシューム合金のインパクト時の衝撃にたいする弱さに適応するため厚くなったのである。ここで、問題なのは、厚くすることに対して問題があるわけではないが、飛距離に対してのマイナス要因が多いからである。チタンと比べて反発が極端に悪いので、マグネシューム合金単体構造で飛距離を出すゴルフクラブヘッドのフェースを設計するのは好ましくない。
【００１４】
勿論、マグネシューム合金は衝撃の吸収が極端に優秀であるととは周知の事実であり、比重も１．７程度とこれまた極端に軽いので、ゴルフクラブヘッドのフェースを設計する場合、好ましい条件も揃っているので複合が好ましいので、複合内部の改良構造について以下説明をする。
【００１５】
従来は、スイートエリアを広くとれば取るほど、良くて易しいゴルフクラブヘッドとなっていたが、スイートエリアが広くなればなるほど、芯という物が感じられなくなり、飛距離とコントロール性においてマイナス効果が大きい。この点が解決しなければいけない問題の最重要項目である。
【００１６】
【課題を解決するための手段】
この発明は、ゴルフクラブヘッドフェース面の内部構造を多層に調整することや、内部に凸起した構造の高比重素材を低比重素材とでサンドイッチすることで飛距離は当然であり、衝撃吸収性と音楽的感覚の好ましい音も調整することができる。
【００１７】
従来は、単一素材が多く音に対しての設計の範囲が肉厚の部分調整と素材、さらには、内側のカットや模様の調整が多く、設計自由度には限りがあった。
本発明品のような、マグネシューム合金を主素材に使用したり、ウエイトエリアを限定したりすることで、フェースに対する設計自由度が格段に増しゴルファーの好みの音や飛距離とコントロール性だけでなく体に感じる振動をも調整しやすくなった。
【００１８】
特に、重要な点としてマグネシューム合金単体では特に塩分と水に対しての腐食が早いという欠点があるだけでなく、ゴルフクラブヘッドのフェース部分にとって致命的な問題は、反発力が弱く飛距離が出にくいと言う点である。
【００１９】
従来から、様々なマグネシューム合金を使用したゴルフクラブウッドが開発されているが、テーマは比重の軽さと衝撃吸収を主目的としており、飛距離に対してのフェース多層に対しての研究開発は未開発の状態である。
【００２０】
本発明ゴルフクラブヘッドのフェースは、フェース面に対しての内部構造をフェース垂直軸である縦軸とフェース水平軸である横軸の運動効果。具体的には、フェース重心とソールである支点さらには、ウエイトエリアの錘から生じる振り子と音叉の振動エネルギーと慣性モーメントの複雑な調整による飛距離と方向性の改善。さらには高比重と低比重素材の多層と凸起形状のデザインによる相乗効果でゴルフクラブヘッドフェースの設計により従来から難しかった水平軸である横軸のスムーズな回転調整を解決できる。
【００２１】
また、ゴルフアーの大衆化を推進する上で重要なコストについても近い将来、量産した場合のコストダウンが可能であるかという問題にも取り組む必要があるが、ダイカスト合金と溶融鍛造との組み合わせで可能になる。
【００２２】
さらに、前述のように最近のゴルファーは、インパクト時の金属音の大きい音は好まれない傾向があるので本発明品のゴルフクラブヘッドはその点についても十分考慮に入れて製造した。
【００２３】
具体的にフェース面については、ステンレス合金かチタン合金を使用し、中には様々な模様の凸起形状の錘を設け、その周囲にマグネシューム合金やカーボン繊維やその他異種合金の組み合わせで音が変化するのでゴルファーの音の好みで調整すればよい。この場合、各種素材の厚みと比重が重要な要素になる。
【００２４】
ゴルフクラブヘッドフェースの主たる部分にマグネシューム合金を使用した場合、強度の点として耐くぼみ性は優れているが基本的にはアルミニュームに近いので、飛距離を追求するのには無理がある。金属の性質であるモース硬さで調べた場合、アルミニューム合金が２．９に対し、マグネシューム合金は２．０とかなり柔らかいので、マグネシューム合金の中でも硬い物を使用する。
【００２５】
図３と図４のように、ゴルフクラブヘッドのフェース周りを１から２層にかけて、凸部分としてＵ字形状を初め、楕円形状、五角形状、六角形状などの凸起部分にはステンレス合金かチタン合金など比重の重い金属か非鉄金属やセラミック系を使用し、凹部分はマグネシューム合金で接合することが望ましい。
【００２６】
結果として、コスト的に見ても、飛距離とコントロール性の向上だけでなく音は当然、衝撃吸収の点からみても、低比重の素材と高比重の素材を組み合わせで設計自由度が増し、従来のゴルフクラブヘッドのフェースとは全く異なるソール重心とフェース重心とウエイトエリアにおける振り子と音叉の振動エネルギーと慣性モーメントを利用した３次元効果のゴルフクラブヘッドフェースとなる。
【００２７】
前述の３次元設計理論はは、ゴルフクラブセットに於いて、米国特許を寺本征一郎が取得したものにヒントを得、３次元設計ゴルフクラブヘッドフェースとして改良した。米国特許番号ＵＳ　６．３１５．６７８　。
【００２８】
ゴルフクラブヘッドのフェースの場合、軽くて飛距離が出ることが最大のテーマであることは周知の事実である。ただ、インパクト時の音の好みだけでなく、飛距離と飛びの安定性にたいして最も影響力のあるウエイトエリアとフェース重心さらには水平軸である横軸の調整について、マグネシューム合金を使用することで設計自由度の大きいゴルフクラブヘッドのフェースとした。
【００２９】
勿論、マグネシューム合金を使用しなくても、ウエイトエリアとフェース重心の調整は可能である。当然、コストからみても少なくなるのでプレーヤーの好みで調整すればよい。このように、マグネシューム合金を使用しない場合のフェースについては、初心者や、スイートエリアの確認などとして利用する方法もあるし、上級者など複雑な振動を好むプレーヤーに最適である。
【００３０】
具体的な説明としては、ゴルフクラブヘッドのフェース内部構造の凸起状ウエイト錘でフェース上部クラウン付近とフェース下部ソール付近のウエイトがインパクト時の慣性モーメントと振り子と音叉の振動効果、さらに、プレーヤーに適したウエイトエリアの設定として、ゴルフクラブヘッドのフェースのヒール付近とフェーストウ付近にもステンレス合金かチタン合金さらには比重の重い金属や非金属やセラミックを使用するだけでなく、重さや長さ、太さを調整し、さらにマグネシューム合金で挟むようにすることでゴルフボールの反発と横軸と縦軸の設計自由度が大きくなり、ゴルフフレー時における衝撃を和らげ、サイドスピンの調整とバックスピンの調整とトップスピンの調整をやりやすくすることが出来、飛距離もよく、飛びの安定性とコントロール性もよくなる。
【００３１】
一例として、ゴルフクラブドライバーヘッドのフェースを高重心にするだけでなく、トウ方向重心やヒール方向重心にする場合は、フェース表面近くに使用した、ステンレス合金やチタン合金フェースに接合した比重の重い金属か非鉄金属やセラミックなどの素材を使用する凸起形状としては、Ｕ字形状を初め、楕円形形状、五角形形状、六角形形状と様々あるが、飛距離に対する基本は、個人に合ったフェース面のウエイトエリア付近の重心点の調整が重要である。
【００３２】
逆に、ゴルフクラブドライバーヘッドのフェースを低重心にしトウ方向重心やヒール方向重心にする場合は、フェース表面近くに使用した、ステンレス合金やチタン合金の裏面に比重の重い金属か非鉄金属などの素材を底辺に集中使用する。凸起形状の模様としては、Ｕ字形状を初め、楕円形形状、五角形形状、六角形形状と様々あるが、飛距離に対する基本は、個人に合ったフェース面のウエイトエリア付近の重心点の調整が重要となる。
【００３３】
さらに、フェース寄りのクラウン部分にステンレス合金かチタン合金の厚みをやや厚くすることで高重心設計になりやすい。従来は、ゴルフクラブヘッドのフェース部分の厚みを極限まで薄く広く設計しており、インパクト時のフェース垂直軸である縦軸とフェース水平軸である横軸のフェース面における、ウエイトエリアとソールとの振り子と音叉と振動エネルギーと慣性モーメント調整効果はフェース部分ではなく、クラウンとソール部分で行っていたので安定性やコントロール性に問題が多く課題も多い。
【００３４】
従来は、フェースのネック方向である、ヒール側と先のトウ側の回転効果を狙ったフェース垂直軸である縦軸の設計が主であった。
【００３５】
特に、ゴルフクラブヘッドのフェースにおける、水平軸である横軸のスムーズな回転はロフト角に影響するので、飛距離増大に重要である。
【００３６】
具体的には、フェースクラウンのトップラインの中心付近とフェース底辺のソール中心付近に錘を付けることで、横軸のスムーズな回転を助けるのである。なぜなら、縦軸は慣性モーメントが大きいが、横軸は慣性モーメントが小さく不安定な動きをするからである。本発明ゴルフクラブヘッドのフェース設計のように、縦軸と横軸の３次元効果の調整、さらには、ウエイトエリアの調整を多層凹凸設計で可能にした、設計自由度の多いものは見当たらない。
【００３７】
次に、前述のように、ゴルファー個人も個性に合ったゴルフクラブヘッドのフェースのウエイトエリアと重心点の位置調整で最適な弾道が出やすくなるように、フェース垂直軸である縦軸とフェース水平軸である横軸の設計自由度が大きくなることで、ゴルフクラブヘッドの振り子や音叉の振動エネルギーの集中効果が出、個人個人の個性に合ったゴルフクラブヘッドが提供でき最大飛距離が期待できる。
【００３８】
ゴルフクラブヘッドのフェース内部ウエイトである凸起状錘の調整構造については、ステンレス合金や比重の重い金属や非鉄金属の合金以外にセラミック他異種素材との複合であっても良い。
【００３９】
ゴルフクラブヘッドのフェース内部ウエイトである凸起状錘で主として調整する構造の重心位置の調整について、ストレート系の中級者や上級者でパワーも普通であるプレーヤーの場合の重心点は、フェース面の中心から直径１６ｍｍ以内領域でよい。図１９の領域Ｃである。
【００４０】
以下、重心構造の位置と効果について述べる。ハードヒッターと呼ばれる、力が強くヘッドスピードも速くボールの球筋がフック系統の場合は、フェース面の重心点が正面から見てトウ方向でクラウン上部付近が望ましい。図２２の領域Ｆである。
【００４１】
また、ハードヒッターと呼ばれる、力が強くヘッドスピードも速くボールの球筋がスライス系統の場合は、フェース面の重心点が正面から見てヒール方向でクラウン上部付近が望ましい。図２０の領域Ｄである。
【００４２】
通常スインガーと呼ばれる、ゆっくり振るヘッドスピードも遅いボールで球筋がスライス系統の場合は、フェース面の重心点が正面から見てヒール方向でソール下部付近が望ましい。図２１の領域Ｅである。
【００４３】
またスインガーと呼ばれる、ゆっくり振るヘッドスピードも遅いボールで球筋がフック系統の場合は、フェース面の重心点が正面から見てトウ方向でソール下部付近が望ましい。図２３の領域Ｇである。
【００４４】
ゴルフクラブヘッドのフェース面の音で重要な点は、フェース面の振動物体とプレーヤーとの音の共鳴現象を調整しやすくする。このことは、前述の重心調整と密接に関連してくるが、凸起状錘の形状さらにはフェース内部のサンドイッチ構造に十分注意を払う必要がある。この凸起部分の基本形状については、Ｕ字、丸、円、三角、四角、六角とある。
【００４５】
従来は、スイートエリアを広くとれば取るほど、良くて易しいゴルフクラブヘッドとなっていたが、本発明ゴルフクラブのヘッドフェース部分についてはその方法はとらない。なぜなら、スイートエリアが広くなればなるほど、当然ながら芯という物が感じられなくなり、飛距離とコントロール性においてマイナス効果が大きいので、その課題を解決する方法として本発明ゴルフクラブヘッドのフェースにはウエイトエリアを新しく定義する必要がある。
【００４６】
初心者や中級者はボールをヒットする場合どこにヒットするか分からないので、スイートエリアを大きくとる必要があると言うことが従来の基本設計であった。本発明ゴルフクラブヘッドのフェースは、従来の思考とは異なり、フェースの重心点付近であるウエイトエリアを小さくとること、さらに、フェースの横軸に大きく影響するフェースのクラウンのトップライン中間付近の錘とフェース底辺ソール中間付近の錘の重量調整をすることで、飛距離を追求すると同時にコントロール性を向上させるということが基本理念である。勿論、初心者や中級者がヒットしてあまりにもウエイトエリアが小さいのは避けるべきである。
【００４７】
あくまで、本発明の出願内容に書かれているウエイトエリアは、実際にプレーする場合のスイートエリアとは異なるので、このことを強調く。プレーヤーの打点は図１９のＣ、図２０のＤ、図２１のＥ、図２２のＦ、図２３のＧの範囲内である特定のウエイトエリアに拘らなくてよい。要するに、自然にプレーヤーの個性でボールをヒットすれば、理想の弾道と飛距離、さらにはコントロールの向上が得られるのである。
【００４８】
本発明ゴルフクラブヘッドのフェースの基本設計理論は、飛距離を出すためにゴルフプレーヤーの個性に合った設計をするために、プレーヤーの個性に近い重心点を設定し、そのフェース重心点に近いウエイトエリアはフェース面積全体の３０±２％程度の範囲に調整することで飛距離とコントロール性、さらには心地良さである音をも追求するという理論である。
【００４９】
そのために、ゴルフクラブヘッドのフェースの重心点の位置、振動物体である凸起状の内部構造を調整する必要がある。
【００５０】
特に、ステンレス合金かチタン合金のような比重の重い素材を使用するフェース部分と凸起形部分の素材である、ステンレス合金かチタン合金、亜鉛、銅などの比重４．５から１９．３までの金属や非鉄金属またはセラミックで直径１ｍｍ以上であり深さ０．２ｍｍ以上である図３５、図３６、図３７の凸起形状の重量合計がフェース全体重量の２０％から５０％未満であるフェースは、構造上どちらかと言うと、ボールのコントロール性より飛距離を重視するプレーヤー向きである。
【００５１】
また、ステンレス合金かチタン合金のような比重の重い素材を使用するフェース部分と凸起形部分の素材である、ステンレス合金かチタン合金、亜鉛、銅などの比重４．５から１９．３までの金属や非鉄金属またはセラミックで直径１ｍｍ以上であり深さ０．２ｍｍ以上である図３５、図３６、図３７の凸起形状の重量合計がフェース全体重量の５０％以上から８０％未満であるフェースは、構造上級者や中級者に最適である。どちらかと言うと、ボールの飛距離よりコントロール性を重視するプレーヤー向きである。
【００５２】
現在では、ゴルフクラブヘッドのフェース部分のスイートエリア定義がはっきりせず曖昧である。そこで、ゴルフクラブヘッドのフェースのスイートエリアを独断で定義すると混乱するのでスイートエリアは使用せず、本発明ゴルフクラブヘッドフェースのゴルファー個人の個性に合った最適なボールの打面の近くをウエイトエリアとする。
【００５３】
以下の内容をウエイトエリアの定義する。ゴルフクラブヘッドのフェース面の重心点を中心にフェース面全体の面積の２０％をウエイトエリアに設定する。さらに、ステンレス合金かチタン合金、亜鉛、銅などの比重４．５から１９．３までの金属や非鉄金属またはセラミックで直径１ｍｍ以上であり深さ０．２ｍｍ以上である凸起形状部分の重さが凸起形状部分全体の重さの２５％から５０％未満である部分とする。
【００５４】
【発明の実施の形態】
以下、添付図面を参照してこの発明の実施例を説明する。本発明に使用されるゴルフクラブヘッドのフェースは、ゴルフクラブデザインとして製造時にクラウン部やソール部と一体的に成形してもよく、あるいは、未完成のゴルフクラブヘッドを分割した部分とした物に後から溶接等で取り付けることも可能である。
【００５５】
従来のマグネシューム合金のゴルフクラブヘッドのフェースは全体として肉厚の設計であったし縦軸と横軸の重心移動と内部振動と振り子と音叉の振動の理論も無く、たいした飛距離も出ない全く特長の無い物であった。また、大変高価であり一般ゴルファーには手の届かないヘッドでもある。
【００５６】
本発明品ゴルフクラブヘッドのフェースの製造は、鍛造の組み合わせであり、量産可能であり価格的にみても十分競争できるゴルフクラブヘッドのフェースになった。
【００５７】
本発明のゴルフクラブヘッドのフェースを取り付けたゴルフクラブヘッドを製造する場合、鍛造と鋳造を組み合わせた方法や溶融鍛造など様々な方法が開発されているので、量産コストの安い方法を利用すればよい。
【００５８】
【実施例】
以下、本発明の実施例について説明する。
図１は、ゴルフクラブヘッドにおけるトウ側２００からヒール側３００に架けてのフェース部分を水平切断した断面図を示す。ゴルフクラブヘッドのフェース表面部にはステンレス合金かチタン合金７００を使用し裏面にはマグネシューム合金６００を使用。ステンレス合金かチタン合金７００の厚みは１ｍｍで、マグネシューム合金の厚みは３ｍｍで良い。
【００５９】
図２は、ゴルフクラブヘッドにおけるクラウン部分４００からソール部分５００に架けてのフェース部分で図１を垂直切断した断面図を示す。ゴルフクラブヘッドのフェース表面にはステンレス合金かチタン合金６００を使用し裏面にはマグネシューム合金６００を使用。
【００６０】
図３は、ゴルフクラブヘッドにおけるトウ側２００からヒール側３００に架けてのフェース部分を水平切断した断面図を示す。ゴルフクラブヘッドのフェース表面にはステンレス合金かチタン合金７００を使用し、ステンレス合金かチタン合金に錘８００を裏面に接合。錘８００の部分をマグネシューム合金６００で包んでいる。また、錘８００の部分の厚みを変化させる。
【００６１】
図４は、ゴルフクラブヘッドにおけるクラウン部分４００からソール部分５００に架けてのフェース部分で図３を垂直切断した断面図を示す。ゴルフクラブヘッドのフェース表面にはステンレス合金かチタン合金７００を使用し、ステンレス合金かチタン合金に錘８００を裏面に接合。錘８００の部分をマグネシューム合金６００で包んでいる。
【００６２】
図５は、ゴルフクラブヘッドにおけるトウ側２００からヒール側３００に架けてのフェース部分を水平切断した断面図を示す。ゴルフクラブヘッドのフェース表面にはステンレス合金かチタン合金７００を使用し、フェース裏面にカーボン繊維等１０００を使用して中間にマグネシューム合金６００を挟んでいる。この場合のカーボン繊維などの部分の厚みは１ｍｍでよい。
【００６３】
図６は、ゴルフクラブヘッドにおけるクラウン部分４００からソール部分５００に架けてのフェース部分で図５を垂直切断した断面図を示す。ゴルフクラブヘッドのフェース表面にはステンレス合金かチタン合金７００を使用し、フェース裏面にカーボン繊維等１０００を使用して中間にマグネシューム合金６００を挟んでいる。
【００６４】
図７は、ゴルフクラブヘッドにおけるトウ側２００からヒール側３００に架けてのフェース部分を水平切断した断面図を示す。ゴルフクラブヘッドのフェース表面にはステンレス合金かチタン合金７００を使用し、ステンレス合金かチタン合金に錘８００を裏面に接合。錘８００の部分をマグネシューム合金６００で包んでいる様子がよくわかる。さらに、その内側フェース裏面については、比重の軽いカーボン繊維かアルミ合金を使用している。錘８００の部分の厚みは厚くなり裏面に直接貫通している。
【００６５】
図８は、ゴルフクラブヘッドにおけるクラウン部分４００からソール部分５００に架けてのフェース部分で図７を垂直切断した断面図を示す。ゴルフクラブヘッドのフェース表面にはステンレス合金かチタン合金７００を使用し、ステンレス合金かチタン合金に錘８００を裏面に接合。錘８００の部分をマグネシューム合金６００で包んでいる。さらに、その内側フェース裏面については、比重の軽いカーボン繊維かアルミ合金を使用している。
【００６６】
図９は、ゴルフクラブヘッドにおけるトウ側２００からヒール側３００に架けてのフェース部分を水平切断した断面図を示す。ゴルフクラブヘッドのフェース表面には反発力の強いカーボン繊維９００を使用、その内側にステンレス合金かチタン合金７００を使用し、フェース裏面にマグネシューム合金６００を使用している。この場合のカーボン繊維９００の厚みは２ｍｍとする。
【００６７】
図１０は、ゴルフクラブヘッドにおけるクラウン部分４００からソール部分５００に架けてのフェース部分で図９を垂直切断した断面図を示す。ゴルフクラブヘッドのフェース表面には反発力の強いカーボン繊維９００を使用、その内側にステンレス合金かチタン合金７００を使用し、フェース裏面にマグネシューム合金６００を使用している。
【００６８】
図１１は、ゴルフクラブヘッドにおけるトウ側２００からヒール側３００に架けてのフェース部分を水平切断した断面図を示す。ゴルフクラブヘッドのフェース表面にはカーボン繊維９００など比重の軽い素材を使用しその下部にはステンレス合金かチタン合金７００を使用し、ステンレス合金かチタン合金に錘８００を裏面に接合。錘８００の部分をマグネシューム合金６００で包んでいる。
【００６９】
図１２は、ゴルフクラブヘッドにおけるクラウン部分４００からソール部分５００に架けてのフェース部分で図１１を垂直切断した断面図を示す。ゴルフクラブヘッドのフェース表面にはカーボン繊維９００など比重の軽い素材を使用しその下部にはステンレス合金かチタン合金７００を使用し、ステンレス合金かチタン合金に錘８００を裏面に接合。錘８００の部分をマグネシューム合金６００で包んでいる。
【００７０】
図１３は、ゴルフクラブヘッドにおけるトウ側２００からヒール側３００に架けてのフェース部分を水平切断した断面図を示す。ゴルフクラブヘッドのフェース表面にはカーボン繊維９００など比重の軽い素材を使用しその下部にはステンレス合金かチタン合金７００を使用し、さらに表面から３層目にマグネシューム合金を使用する。表面から４層目には比重の軽いカーボン繊維かアルミニューム合金１０００を使用している。この場合のアルミニュームの厚みは１ｍｍとする。
【００７１】
図１４は、ゴルフクラブヘッドにおけるクラウン部４００からソール部５００に架けてのフェース部分で図１３を垂直切断した断面図を示す。ゴルフクラブヘッドのフェース表面にはカーボン繊維９００など比重の軽い素材を使用しその下部にはステンレス合金かチタン合金７００を使用し、さらに表面から３層目にマグネシューム合金を使用する。表面から４層目には比重の軽いカーボン繊維かアルミニューム合金１０００を使用している。
【００７２】
図１５は、ゴルフクラブヘッドにおけるトウ側２００からヒール側３００に架けてのフェース部分を水平切断した断面図を示す。ゴルフクラブヘッドのフェース表面にはカーボン繊維９００など比重の軽い素材を使用しその下部にはステンレス合金かチタン合金７００を使用し、ステンレス合金かチタン合金に錘８００を裏面に接合。錘８００の部分をマグネシューム合金６００で包む。表面から４層目には比重の軽いカーボン繊維かアルミニューム合金を使用している。
【００７３】
図１６は、ゴルフクラブヘッドにおけるクラウン部４００からソール部５００に架けてのフェース部分で図１５を垂直切断した断面図を示す。ゴルフクラブヘッドのフェース表面にはカーボン繊維９００など比重の軽い素材を使用しその下部にはステンレス合金かチタン合金７００を使用し、ステンレス合金かチタン合金に錘８００を裏面に接合。錘８００の部分をマグネシューム合金６００で包む。表面から４層目には比重の軽いカーボン繊維かアルミニューム合金を使用している。
【００７４】
図１７は、ゴルフクラブヘッドの斜視図でフェース部分を外した図である。フェース面１００の点線の枠内で囲んだ部分Ａは、トウ側２００からヒール側３００に架けて水平に切断した部分をさす。
【００７５】
図１８は、ゴルフクラブヘッドの斜視図でフェース部分を外した図である。フェース面１００の点線の枠内で囲んだ部分Ｂは、クラウン部分４００からソール部分５００に架けて垂直に切断した領域をさす。
【００７６】
図１９は、ゴルフクラブヘッドのフェース部分のみを取り出した図である。フェース全体部分の中心点１２００から直径１６ｍｍの領域Ｃがよくわかる。
【００７７】
図２０は、ゴルフクラブヘッドのフェース部分のみを取り出した図である。フェース全体部分の中心点１２００から直径１６ｍｍの部分を除く、クラウン部の中心点１８００を０度とし、ヒール側３００に架けて９０度の方向１６００までの領域Ｄがよくわかる。
【００７８】
図２１は、ゴルフクラブヘッドのフェース部分のみを取り出した図である。フェース全体部分の中心点１２００から直径１６ｍｍの部分を除く、クラウン部の中心点１８００を０度とし、ヒール側３００に架けて９０度の方向１６００の位置からスタートしソール部の中心点１９００を１８０度までの領域Ｅがよくわかる。
【００７９】
図２２は、ゴルフクラブヘッドのフェース部分のみを取り出した図である。フェース全体部分の中心点１２００から直径１６ｍｍの部分を除く、クラウン部の中心点１８００を０度とし、トウ側２００に架けて９０度の方向１５００の位置までの領域Ｆがよくわかる。
【００８０】
図２３は、ゴルフクラブヘッドのフェース部分のみを取り出した図である。フェース全体部分の中心点１２００から直径１６ｍｍの部分を除く、クラウン部の中心点１８００を０度とし、トウ側２００に架けて９０度の方向１５００からスタートしソールの中心点１９００を１８０度までとした領域Ｇがよくわかる。
【００８１】
図２４は、ゴルフクラブヘッドのフェースであり、トウ側２００からヒール側３００に架けてのフェース部分を水平切断した断面図を示す。ゴルフクラブヘッドのフェース表面にステンレス合金かチタン合金７００を使用し、凸起状錘８００を裏面に接合した部分を斜線の点線で表示した領域Ｈがよくわかる。この部分の領域Ｈの重さは、フェース全体の重さの２０％以上から５０％未満までである。さらに、凸起状錘８００の部分をマグネシューム合金６００で包みフェース裏面には比重の軽いカーボン繊維かアルミニューム合金を使用している。
【００８２】
図２５は、ゴルフクラブヘッドのフェースであり、クラウン部分４００からソール部分５００に架けてのフェース部分を垂直切断した断面図を示す。ゴルフクラブヘッドのフェース表面にステンレス合金かチタン合金７００を使用し、凸起状錘８００を裏面に接合した部分を斜線の点線で表示した領域Ｈがよくわかる。この部分の領域Ｈの重さは、フェース全体の重さの２０％以上から５０％未満までである。さらに、凸起状錘８００の部分をマグネシューム合金６００で包みフェース裏面には比重の軽いカーボン繊維かアルミニューム合金を使用している。
【００８３】
図２６は、ゴルフクラブヘッドのフェース裏面１７００を示した図である。この図面では、トウ側とヒール側が正面図のフェース部分と反対になっている。
フェース裏面でステンレス合金かチタン合金に接合した凸起状の錘は深い場合と浅い場合があり、フェース重心位置の調整で裏面に貫通した錘で丸状８００のデザインがよくわかる。当然、浅い部分もあるが、内部に隠れるので表示していない。勿論、模様は１種類だけでなく混合もあるがウエイトエリアは反発効果の手段として設計することは言うまでもない。
【００８４】
図２７は、ゴルフクラブヘッドのフェース裏面１７００を示した図である。この図面では、トウ側とヒール側が正面図のフェース部分と反対になっている。
Ｕ字形状のウエイトエリアであるが、模様は１種類だけでなく混合もあるがウエイトエリアと重心移動の反発効果の手段として設計することは言うまでもない。
【００８５】
図２８は、ゴルフクラブヘッドのフェース裏面１７００を示した図である。この図面では、トウ側とヒール側が正面図のフェース部分と反対になっている。
フェース裏面でステンレス合金かチタン合金に接合した凸起状の錘は横Ｕ字形状８００のデザインがよくわかる。このデザインはフック系のプレーヤーに最適である。
【００８６】
図２９は、ゴルフクラブヘッドのフェース裏面１７００を示した図である。この図面では、トウ側とヒール側が正面図のフェース部分と反対になっている。
逆Ｕ字形状の錘８００である。勿論、模様は１種類だけでなく混合もあるがウエイトエリアと反発効果の手段として設計することは言うまでもない。
【００８７】
図３０は、ゴルフクラブヘッドのフェース裏面１７００を示した図である。この図面では、トウ側とヒール側が正面図のフェース部分と反対になっている。
このデザインは、楕円を中心にウエイトエリアを改良したものである。スライス系のプレーヤーに最適である。
【００８８】
図３１は、ゴルフクラブヘッドの斜視図でゴルフクラブヘッドの部分とフェース部分を取り出した図である。ゴルフクラブフェースの正面である表面部分１００がよくわかる。スコアライン１３００の深さは０．３ｍｍである。
【００８９】
図３２は、ゴルフクラブヘッドの斜視図でゴルフクラブヘッドの部分とフェース部分を取り出した図である。ゴルフクラブフェースの裏面である枠の部分２０００で接合部分がよくわかる。外周の溶接の接合部分は４から１０ｍｍである。
【００９０】
図３３は、ゴルフクラブヘッドのフェースの水平面の断面図であり、トウ側２００からヒール側３００に架けてのフェース部分を水平切断する。ゴルフクラブヘッドのフェース表面にステンレス合金かチタン合金７００を使用し、凸起状錘８００を表面に接合した部分を斜線の点線で表示した領域Ｈがよくわかる。この部分の領域Ｈの重さは、フェース全体の重さの２０％以上から５０％未満までである。さらに、凸起状錘８００の部分を比重の軽いカーボン繊維９００で挟んでいる。
【００９１】
図３４は、ゴルフクラブヘッドのフェースであり、トウ側２００からヒール側３００に架けてのフェース部分で図３３を水平切断した断面図を示す。ゴルフクラブヘッドのフェース表面にステンレス合金かチタン合金７００を使用し、凸起状錘８００を表面と裏面の両面に接合した部分を斜線の点線で表示した領域Ｈがよくわかる。この部分の領域Ｈの重さは、フェース全体の重さの２０％以上から５０％未満までである。さらに、凸起状の錘８００のフェース表面部分を比重の軽いカーボン繊維で挟んでいるが、フェース下部に接合している凸起状の錘８００はマグネシューム合金６００で挟んでいる様子がよくわかる。
【００９２】
図３５は、ゴルフクラブヘッドのフェース内のステンレス合金かチタン合金７００に凸起状で比重の大きい金属か非鉄金属さらにはセラミック８００を使用、さらに一方には、複合材を使用した断面の拡大図である。
【００９３】
図３６は、ゴルフクラブヘッドのフェース内のステンレス合金かチタン合金７００に凸起状の表面である正面方向に付け、フェース正面から裏側にと両面取り付けた状態で、凸面部分に比重の大きい金属か非鉄金属さらにはセラミック８００と複合材８００を使用した部分の断面の拡大図である。
【００９４】
図３７は、ゴルフクラブヘッドのフェース内のステンレス合金かチタン合金７００に凸起状で比重の大きい金属か非鉄金属さらにはセラミック８００を使用、一方には、複合材として厚み２ｍｍを使用した部分の断面の拡大図である。
【００９５】
図３８は、ゴルフクラブヘッドのフェースであり、ヒール側３００でソール方向にあるウエイトエリア２２００とソール重心部分２１００とクラウンのトップライン中間付近２８００と底辺であるソールの中心付近２９００の２ヶ所に錘を付けた図である。この錘は、水平軸である横軸の回転を助ける役目をする。また、低重心化により、ボールが上がりやすくなるだけでなく、非力でスライス系のゴルファーに効果がある。
【００９６】
図３９は、ゴルフクラブヘッドのフェースであり、トウ側２００でソール方向にあるウエイトエリア２３００とソール重心部分２１００に、クラウンのトップライン中心付近２８００に錘を付けた図である。この錘は、重すぎてもいけないが通常は、５ｇ程度で十分である。また、低重心化により、ボールが上がりやすくなるだけでなく、非力でフック系のゴルファーに効果がある。
【００９７】
図４０は、ゴルフクラブヘッドのフェースであり、センター付近にあるウエイトエリア２４００とソール重心部分２１００にＵ字デザインのウエイトを設けている。さらに、クラウンのトップライン中心付近に錘２８００を付けることで、センター重心で横軸の回転を進めることが出来る。中重心化により、ボールが伸びやすくなるだけでなく、一般的なストレート系のゴルファーに効果がある。
【００９８】
図４１は、ゴルフクラブヘッドのフェースであり、ヒール側３００でクラウン上部方向にあるウエイトエリア２５００を特に強調する。ソール重心部分２１００が、軽くなりすぎ、横軸の回転が強くなりすぎるので、低辺であるソール中心付近に錘２９００を５ｇ程度付けるとスムーズになる。高重心化により、ボールが伸びやすくなるだけでなく、スピードのありスライス系のゴルファーに効果がある。
【００９９】
図４２は、ゴルフクラブヘッドのフェースであり、トウ側２００でクラウン上部方向にあるウエイトエリア２６００とソール重心部分２１００があり、横軸の回転を助けるために、クラウンのトップライン中心付近の錘２８００と底辺のソール中心付近の錘２９０を付ける。高重心化により、ボールが伸びやすくなるだけでなく、スピードのありフック系のゴルファーに効果がある。
【０１００】
図４３は、ゴルフクラブヘッドのフェースであり、トウ側２００からヒール側３００に架けての水平軸である、横軸の説明図である。フェース部分が回転する様子がよくわかる。
【０１０１】
図４４は、ゴルフクラブヘッドのフェースであり、トウ側２００からヒール側３００のセンター付近を垂直にクラウン上部からソール部分か架けて伸ばした芯である垂直軸である、縦軸の説明図である。フェース部分が回転する様子がよくわかる。
【０１０２】
図４５は、ゴルフクラブヘッドのフェース裏面のクラウントップライン中心付近とフェースの底でソールの中心付近に錘を付ける。この錘は、通常、トップラインの中間付近に２から１０ｇを付けるが、底辺であるソール中間付近に付けることでも良い。この場合は、２から５ｇでよい。勿論、上下両方に錘を取り付けても良いが、特にロングクラブの場合、トップラインの中心付近の錘２８００の部分を重くすることが重要である。
【０１０３】
本発明のゴルフクラブヘッドのフェースを溶融鍛造にて製造する場合は、素材と素材の間に通常は亜鉛を使用するが、不純物が多いとヒビ割れを起こすので十分注意しなければならない。
【０１０４】
図３、図４、図７、図８、図１１、図１２、図１５、図１６における、肉厚部分であるウエイト錘８００については、ステンレス合金かチタン合金と同じ素材で一体として形成してもよいし、ステンレス合金やチタン合金に切り込みを入れて加工してもよい。
【０１０５】
重要なのは、図２４、図２５の点線で斜線表示している部分の領域Ｈであって、この部分がインパクト時の音と飛び、さらには、方向性をも微調整するこが可能であり、上級ゴルファーになればなるほど重視する必要がある。
【０１０６】
【発明の効果】
本発明によって以下の効果を奏する。
（あ）このような、ゴルフクラブヘッドのフェースを利用することにより、ステンレスやチタンのような金属音から自然木のパーシモンに近い優しい音まで楽器のように種類を多くできるのでプレーヤーとゴルフクラブヘッド音との好ましい共鳴効果が得られる。
（い）ゴルフクラブヘッドのフェース面は、ボールとの接点でありインパクト時の重心軸の慣性モーメントの設計自由度が増し個人にとって最適なウエイトエリアと反発力のよいフェースを開発、提供しやすくなった。
（う）基本素材がマグネシュームということで、衝撃にたいする吸収がきわめて優れている素材であり、手首や腰に負担が少なくなり、体に優しい素材である。高齢者、女性、子供や初心者に特に喜ばれるだけでなく、ミスショットの多いゴルファーのも待望の商品である。
（え）ゴルフクラブヘッドのフェース部分での横軸は、縦軸と比べて不安定な動きをするので、フェース面の上下付近に錘を付けることで安定感が出、結果として飛距離、コントロール性の向上に寄与する。
（お）本発明のゴルフクラブヘッドを使用することで、従来には考えられなかった易しいゴルフクラブフェースが調整出来るようになったのでゴルフプレーが楽しくなった。
【図面の簡単な説明】
【図１】ゴルフクラブヘッドのフェース面のトウ側からヒール側に架けて２層である水平断面図
【図２】ゴルフクラブヘッドのフェース面のクラウン部分からソール部分に架けて２層である水平断面図
【図３】ゴルフクラブヘッドのフェース面のトウ側からヒール側に架けて２層であり、フェース表面１層目内側に凸起形状の錘を接合した部分のある水平断面図
【図４】ゴルフクラブヘッドのフェース面のクラウン部分からソール部分に架けて２層であり、フェース表面である１層目内側に凸起形状の錘を接合した部分のある垂直断面図
【図５】ゴルフクラブヘッドのフェース面のトウ側からヒール側に架けて３層である水平断面図
【図６】ゴルフクラブヘッドのフェース面のクラウン部分からソール部分に架けて３層である垂直断面図
【図７】ゴルフクラブヘッドのフェース面のトウ側からヒール側に架けて３層であり、フェース表面である１層目内側に錘を接合した部分のある水平断面図
【図８】ゴルフクラブヘッドのフェース面のクラウン部分からソール部分に架けて３層であり、フェース表面である１層目内側に凸起形状の錘を接合した部分のある垂直断面図
【図９】ゴルフクラブヘッドのフェース面のトウ側からヒール側に架けて３層である水平断面図
【図１０】ゴルフクラブヘッドのフェース面のクラウン部分からソール部分に架けて３層である垂直断面図
【図１１】ゴルフクラブヘッドのトウ側からヒール側に架けて３層であり、フェース表面から２層目内側に凸起形状の錘を接合した部分のある水平断面図
【図１２】ゴルフクラブヘッドのフェース面のクラウン部分からソール部分に架けて３層であり、フェース表面から２層目内側に凸起形状の錘を接合した部分のある垂直断面図
【図１３】ゴルフクラブヘッドのフェース面のトウ側からヒール側に架けて４層である水平断面図
【図１４】ゴルフクラブヘッドのフェース面のクラウン部分からソール部分に架けて４層である垂直断面図
【図１５】ゴルフクラブヘッドのトウ側からヒール側に架けて４層であり、フェース表面から２層目内側に凸起形状の錘を接合した部分のある水平断面図
【図１６】ゴルフクラブヘッドのフェース面のクラウン部分からソール部分に架けて４層であり、フェース表面から２層目内側に凸起形状の錘を接合した部分のある垂直断面図
【図１７】ゴルフクラブヘッドの上面図であり、トウ側からヒール側に架けての水平断面図の位置を点線枠で示す
【図１８】ゴルフクラブヘッドの正面図であり、クラウン部からヒールに架けての垂直断面図の位置を点線枠で示す
【図１９】ゴルフクラブヘッドのフェース単体部分のスコアラインを除く正面図であり、フェース面中心点から直径１６ｍｍの領域Ｃを示す
【図２０】ゴルフクラブヘッドのフェース単体部分のスコアラインを除く正面図であり、フェース面中心点から上方向に垂直１８００とヒール方向で水平１６００を結んだ範囲である斜線領域Ｄを示す
【図２１】ゴルフクラブヘッドのフェース単体部分のスコアラインを除く正面図であり、フェース面中心点から下方向に垂直１９００とヒール方向で水平１６００を結んだ範囲である斜線領域Ｅを示す
【図２２】ゴルフクラブヘッドのフェース単体部分のスコアラインを除く正面図であり、フェース面中心点から上方向に垂直１８００とトウ方向で水平１５００を結んだ範囲である斜線領域Ｆを示す
【図２３】ゴルフクラブヘッドのフェース単体部分のスコアラインを除く正面図であり、フェース面中心点から下方向に垂直１９００とトウ方向で水平１５００を結んだ範囲である斜線領域Ｇを示す
【図２４】ゴルフクラブヘッドのトウ側からヒール側に架けて３層であり、フェース表面内側に凸起形状の錘を接合した部分のある水平断面図で、フェース重心と振動調整変化の主要調整領域を斜線にて示す
【図２５】ゴルフクラブヘッドのクラウン部からソール部に架けて３層であり、フェース表面内側に凸起形状の錘を接合した部分のある垂直断面図で、フェース重心と振動調整変化の主要調整領域を斜線にて示す
【図２６】ゴルフクラブヘッドのフェース裏面であり、フェース内部に接合した凸起形状の錘の一部が裏面に出た楕円状の模様を示す
【図２７】ゴルフクラブヘッドのフェース裏面であり、フェース内部に接合した凸起形状の錘の一部が裏面に出たＵ字形状の模様を示す
【図２８】ゴルフクラブヘッドのフェース裏面であり、フェース内部に接合した凸起形状の錘の一部が裏面に出た横Ｕ字形状の模様を示す
【図２９】ゴルフクラブヘッドのフェース裏面であり、フェース内部に接合した凸起形状の錘の一部が裏面に出た山型状の模様を示す
【図３０】ゴルフクラブヘッドのフェース裏面であり、フェース内部に接合した凸起形状の錘の一部が裏面に出た六角状と楕円状の模様を示す
【図３１】ゴルフクラブヘッド全体斜視図から、フェース部分のみを分離した図であり、フェース面は正面を向いている。
【図３２】ゴルフクラブヘッド全体斜視図から、フェース部分のみを分離した図であり、フェース面は裏面を向いている。
【図３３】ゴルフクラブヘッドのトウ側からヒール側に架けて３層であり、フェース表面に凸起形状の錘を接合した部分のある水平断面図で、フェース重心と振動調整変化の主要調整領域を斜線にて示す
【図３４】ゴルフクラブヘッドのトウ側からヒール側に架けて３層であり、フェース表面と裏面の両面に凸起形状の錘を接合した部分のある水平断面図で、フェース重心と振動調整変化の主要調整領域を斜線にて示す
【図３５】ゴルフクラブヘッドの、フェース内側に凸起形状の錘を接合した部分の断面図で複合材料を使用したものと、単体材料の場合を示す。
【図３６】ゴルフクラブヘッドの、フェース裏表両面に凸起形状の錘を接合した部分の断面図で複合材料を使用したものと、単体材料の場合を示す。
【図３７】ゴルフクラブヘッドの、フェース表面に凸起形状の錘を接合した部分の断面図で複合材料を使用したものと、単体材料の場合を示す。
【図３８】ゴルフクラブヘッドのフェース単体部分のスコアラインを除く正面図であり、フェース低重心でヒール側にあるウエイトエリアの位置。
【図３９】ゴルフクラブヘッドのフェース単体部分のスコアラインを除く正面図であり、フェース低重心でトウ側にあるウエイトエリアの位置。
【図４０】ゴルフクラブヘッドのフェース単体部分のスコアラインを除く正面図であり、フェース中心付近にあるウエイトエリアの位置。
【図４１】ゴルフクラブヘッドのフェース単体部分のスコアラインを除く正面図であり、フェース高重心でヒール側にあるウエイトエリアの位置。
【図４２】ゴルフクラブヘッドのフェース単体部分のスコアラインを除く正面図であり、フェース高重心でトウ側にあるウエイトエリアの位置。
【図４３】ゴルフクラブヘッドのフェースの水平である横軸のイメージ図
【図４４】ゴルフクラブヘッドのフェースの水平である縦軸のイメージ図
【図４５】ゴルフクラブヘッドのフェースの裏面であり、周辺の溶接部分でクラウントップラインのセンター付近とフェース低部分のソール中心付近、２ヶ所の錘を付ける場所
【符号の説明】
１００　　　ゴルフクラブヘッドの正面、フェースの表面
２００　　　ゴルフクラブヘッドのトウ側
３００　　　ゴルフクラブヘッドのヒール側
４００　　　ゴルフクラブヘッドのクラウン部分
５００　　　ゴルフクラブヘッドのソール部分
６００　　　マグネシューム合金
７００　　　ステンレス合金かチタン合金
８００　　　ステンレス合金かチタン合金に接合した比重の重い凸起形状の金属の錘
９００　　　カーボン繊維
１０００　　カーボン繊維か比重の軽いアルミニューム合金などの非鉄金属
１１００　　ゴルフクラブヘッドのネック部分
１２００　　ゴルフクラブヘッドの正面、フェース部分の中心点
１３００　　ゴルフクラブヘッドの正面、スコアライン
１４００　　ゴルフクラブヘッドのバックフェース部分
１５００　　ゴルフクラブヘッドの正面、フェース部分の中心点からトウ方向に水平に向かった線
１６００　　ゴルフクラブヘッドの正面、フェース部分の中心点からヒール方向に水平に向かった線
１７００　　ゴルフクラブヘッドのフェース裏面
１８００　　ゴルフクラブヘッドの正面、フェース部分の中心点からクラウン上部方向に垂直に向かった線
１９００　　ゴルフクラブヘッドの正面、フェース部分の中心点からソール方向に垂直に向かった線
２０００　　ゴルフクラブヘッドのフェース裏面の外周の溶接接合の部分
２１００　　ゴルフクラブヘッドのフェース底辺ソール中心付近の位置
２２００　　ゴルフクラブヘッドのヒール側低重心のウエイトエリア
２３００　　ゴルフクラブヘッドのトウ側低重心のウエイトエリア
２４００　　ゴルフクラブヘッドのフェースセンターのウエイトエリア
２５００　　ゴルフクラブヘッドのヒール側高重心のウエイトエリア
２６００　　ゴルフクラブヘッドのトウ側高重心のウエイトエリア
２７００　　ウエイトエリアのデザイン
２８００　　ゴルフクラブヘッドのフェースクラウントップラインセンター付近の錘を取り付ける位置であり、内巾１０ｍｍ×横巾５０ｍｍの長方形の領域
２９００　　ゴルフクラブヘッドのフェース底辺ソールセンター付近の錘を取り付ける位置であり、内巾１０ｍｍ×横巾５０ｍｍの長方形の領域
Ａ　　　　　ゴルフクラブヘッドのトウ側からヒール側に架けての水平切断する部分
Ｂ　　　　　ゴルフクラブヘッドのクラウン部分からソール部分に架けての垂直切断する部分
Ｃ　　　　　ゴルフクラブヘッドの正面、フェース部分の中心点から直径１６ｍｍの領域
Ｄ　　　　　ゴルフクラブヘッドの正面、フェース部分の中心点からクラウン部分に垂直に伸ばした線を０度とし、ヒール方向に向かって９０度の領域
Ｅ　　　　　ゴルフクラブヘッドの正面、フェース部分の中心点、クラウン部分に垂直に伸ばした線を０度とし、ヒール方向に向かって９０度からスタートしソール前部の中心付近に向かっての１８０度の領域
Ｆ　　　　　ゴルフクラブヘッドの正面、フェース部分の中心点、クラウン部分に垂直に伸ばした線を０度とし、トウ方向に向かって９０度までの領域
Ｇ　　　　　ゴルフクラブヘッドの正面、フェース部分の中心点、クラウン部分に垂直に伸ばした線を０度とし、ヒール方向に向かって９０度からスタートしソール前部の中心付近に向かっての１８０度の領域
Ｈ　　　　　ゴルフクラブヘッドのフェース面に近い部分でステンレス合金かチタン合金を使用した部分とその部分に接合もしくは同素材で一体になった比重の重い金属を使用した凸起状錘の領域
【図１】
2004057521.tif 000003
【図２】
2004057521.tif 000004
【図３】
2004057521.tif 000005
【図４】
2004057521.tif 000006
【図５】
2004057521.tif 000007
【図６】
2004057521.tif 000008
【図７】
2004057521.tif 000009
【図８】
2004057521.tif 000010
【図９】
2004057521.tif 000011
【図１０】
2004057521.tif 000012
【図１１】
2004057521.tif 000013
【図１２】
2004057521.tif 000014
【図１３】
2004057521.tif 000015
【図１４】
2004057521.tif 000016
【図１５】
2004057521.tif 000017
【図１６】
2004057521.tif 000018
【図１７】
2004057521.tif 000019
【図１８】
2004057521.tif 000020
【図１９】
2004057521.tif 000021
【図２０】
2004057521.tif 000022
【図２１】
2004057521.tif 000023
【図２２】
2004057521.tif 000024
【図２３】
2004057521.tif 000025
【図２４】
2004057521.tif 000026
【図２５】
2004057521.tif 000027
【図２６】
2004057521.tif 000028
【図２７】
2004057521.tif 000029
【図２８】
2004057521.tif 000030
【図２９】
2004057521.tif 000031
【図３０】
2004057521.tif 000032
【図３１】
2004057521.tif 000033
【図３２】
2004057521.tif 000034
【図３３】
2004057521.tif 000035
【図３４】
2004057521.tif 000036
【図３５】
2004057521.tif 000037
【図３６】
2004057521.tif 000038
【図３７】
2004057521.tif 000039
【図３８】
2004057521.tif 000040
【図３９】
2004057521.tif 000041
【図４０】
2004057521.tif 000042
【図４１】
2004057521.tif 000043
【図４２】
2004057521.tif 000044
【図４３】
2004057521.tif 000045
【図４４】
2004057521.tif 000046
【図４５】
2004057521.tif 000047